(57)【要約】一例によると、システムはプロセッサを有するコンピュータ装置を含んでおり、当該プロセッサは調理のレシピの第１の部分を表示するように作動する。このシステムは熱源システムをさらに含んでおり、当該熱源システムは、調理のレシピに従って食料品を調理するために使用されるエネルギー量を供給するように作動する熱源と、コンピュータ装置との１つ以上の通信に基づいて、熱源により供給されるエネルギー量を調整するように作動するプロセッサと、を有している。このシステムは補助ボタンシステムをさらに含んでおり、当該補助ボタンシステムは、調理のレシピの第１のステップから調理のレシピの第２のステップへと移行するための命令を受信するように作動するインターフェースと、コンピュータ装置との第２の通信リンクを用いて、当該命令の指示を送信するように作動するプロセッサと、を有している。【選択図】図２
2019509453.tif 000002
【特許請求の範囲】
【請求項１】
ａ）プロセッサを有するコンピュータ装置であって、当該プロセッサは実行されるときに、
ｉ）複数のステップを有する調理のレシピの第１の部分を表示するように作動し、前記調理のレシピの前記第１の部分が前記調理のレシピの第１のステップと関連し、
ｉｉ）熱源システムとの第１の通信リンクを確立するように作動し、前記調理のレシピに従って食料品を調理するために使用される、
前記コンピュータ装置と、
ｂ）前記熱源システムであって、
ｉ）前記調理のレシピに従って前記食料品を調理するために使用されるエネルギー量を供給するように作動する熱源と、
ｉｉ）前記熱源に通信可能に連結されたプロセッサであって、実行されるときに、
１）前記コンピュータ装置との前記第１の通信リンクを用いて、前記調理のレシピの前記第１のステップに関連する第１の温度の指示を受信するように作動し、
２）前記第１の温度の指示に基づいて、前記熱源により供給される前記エネルギー量を調整するように作動する前記プロセッサと、
を備える前記熱源システムと、
ｃ）補助ボタンシステムであって、
ｉ）前記調理のレシピの前記第１のステップから前記調理のレシピの第２のステップへと移行するための命令を受信するように作動するインターフェースと、
ｉｉ）前記インターフェースに通信可能に連結されたプロセッサであって、実行されるときに、
１）前記コンピュータ装置との第２の通信リンクを確立するように作動し、
２）前記コンピュータ装置との前記第２の通信リンクを用いて、前記調理のレシピの前記第１のステップから前記調理のレシピの前記第２のステップへと移行するための前記命令を送信するように作動する前記プロセッサと、
を備える前記補助ボタンシステムと、
を備えるシステムにおいて、
ｄ）前記コンピュータ装置の前記プロセッサは、さらに、
ｉ）前記補助ボタンシステムとの前記第２の通信リンクを用いて、前記調理のレシピの前記第１のステップから前記調理のレシピの前記第２のステップへと移行するための前記命令の前記指示を受信するように作動し、
ｉｉ）前記命令の前記指示の受信を受けて、前記調理のレシピの第２の部分を表示し、前記調理のレシピの前記第２の部分が前記調理のレシピの前記第２のステップと関連していることを特徴とするシステム。
【請求項２】
前記熱源システムの前記プロセッサは、実行されるときに、さらに、
ａ）前記コンピュータ装置との前記第１の通信リンクを用いて、前記調理のレシピの前記第２のステップと関連する第２の温度の指示を受信するように作動し、
ｂ）前記第２の温度の指示に基づいて、前記熱源により供給される前記エネルギー量をさらに調整するように作動することを特徴とする請求項１記載のシステム。
【請求項３】
ａ）プロセッサを有するコンピュータ装置であって、当該プロセッサは実行されるときに、複数のステップを有する調理のレシピの第１の部分を表示するように作動し、前記調理のレシピの前記第１の部分が前記調理のレシピの第１のステップと関連する、
前記コンピュータ装置と、
ｂ）熱源システムであって、
ｉ）前記調理のレシピに従って食料品を調理するために使用されるエネルギー量を供給するように作動する熱源と、
ｉｉ）前記熱源に通信可能に連結されたプロセッサであって、実行されるときに、第１の通信リンクを用いて、前記コンピュータ装置との１つ以上の通信に基づいて、前記熱源により供給される前記エネルギー量を調整するように作動する前記プロセッサと、
を備える前記熱源システムと、
ｃ）補助ボタンシステムであって、
ｉ）前記調理のレシピの前記第１のステップから前記調理のレシピの第２のステップへと移行するための命令を受信するように作動するインターフェースと、
ｉｉ）前記インターフェースに通信可能に連結されたプロセッサであって、実行されるときに、前記コンピュータ装置との第２の通信リンクを用いて、前記調理のレシピの前記第１のステップから前記調理のレシピの前記第２のステップへと移行するための前記命令の指示を送信するように作動する前記プロセッサと、
を備える前記補助ボタンシステムと、
を備えることを特徴とするシステム。
【請求項４】
前記コンピュータ装置の前記プロセッサは、さらに、
ａ）前記補助ボタンシステムとの前記第２の通信リンクを用いて、前記調理のレシピの前記第１のステップから前記調理のレシピの前記第２のステップへと移行するための前記命令の前記指示を受信するように作動し、
ｂ）前記命令の前記指示の受信を受けて、前記調理のレシピの第２の部分を表示し、前記調理のレシピの前記第２の部分が前記調理のレシピの前記第２のステップと関連することを特徴とする請求項３記載のシステム。
【請求項５】
前記熱源システムの前記プロセッサは、実行されるときに、前記第１の通信リンクを用いて、前記コンピュータ装置との１つ以上の追加の通信に基づいて、前記熱源により供給される前記エネルギー量をさらに調整するように、さらに作動することを特徴とする請求項４記載のシステム。
【請求項６】
前記補助ボタンシステムが、
ａ）前記コンピュータ装置から切り離されている補助装置と、
ｂ）前記補助装置と連結される補助ボタンモジュールであって、前記インターフェースを含む前記補助ボタンモジュールと、
をさらに備えることを特徴とする請求項３記載のシステム。
【請求項７】
前記補助ボタンモジュールが前記補助装置と一体化していることを特徴とする請求項６記載のシステム。
【請求項８】
前記補助ボタンモジュールが前記補助ボタンシステムの前記プロセッサをさらに含み、
前記補助ボタンモジュールは、前記補助装置から取り外し可能であり、スタンドアロンの装置として使用されるように作動することを特徴とする請求項６記載のシステム。
【請求項９】
前記補助装置が、調理機器、調理容器、調理用の表面、調理用具、支持システム、補助表示器、またはウェアラブルデバイスを備えることを特徴とする請求項６記載のシステム。
【請求項１０】
前記補助装置が前記熱源システムを備えることを特徴とする請求項６記載のシステム。
【請求項１１】
前記補助ボタンシステムの少なくとも一部が、水で洗浄できることを特徴とする請求項３記載のシステム。
【請求項１２】
前記コンピュータ装置の前記プロセッサは、実行されるときに、前記コンピュータ装置の表示器、または、前記コンピュータ装置と切り離されている補助表示器に前記調理のレシピの前記第１の部分を表示するように作動することを特徴とする請求項３記載のシステム。
【請求項１３】
前記調理のレシピの前記第２のステップは、前記調理のレシピの前記第１のステップの後のステップ、または前記調理のレシピの前記第１のステップより前のステップであることを特徴とする請求項３記載のシステム。
【請求項１４】
ａ）複数のステップを有する調理のレシピの第１の部分を、コンピュータ装置のプロセッサにより表示する段階であって、前記調理のレシピの前記第１の部分が前記調理のレシピの第１のステップと関連する段階と、
ｂ）熱源システムとの第１の通信リンクを前記コンピュータ装置の前記プロセッサにより確立する段階であって、前記熱源システムが、前記調理のレシピに従って食料品を調理するために使用されるエネルギー量を供給するように作動する熱源を有する段階と、
ｃ）補助ボタンシステムとの第２の通信リンクを前記コンピュータ装置の前記プロセッサにより確立する段階であって、前記補助ボタンシステムが、前記調理のレシピの前記第１のステップから前記調理のレシピの第２のステップへと移行するための命令を受信するように作動するインターフェースを有する段階と、
ｄ）１つ以上の通信を、前記第１の通信リンクを用いて前記コンピュータ装置の前記プロセッサにより前記熱源システムに送信し、前記熱源システムが、前記調理のレシピに従って前記熱源により供給される前記エネルギー量を調整するようにする段階と、
ｅ）前記第２の通信リンクを用いて前記コンピュータ装置の前記プロセッサにより、前記調理のレシピの前記第１のステップから前記調理のレシピの前記第２のステップへと移行するための前記命令の指示を受信する段階と、
を備えることを特徴とする方法。
【請求項１５】
前記命令の前記指示の受信を受けて、前記コンピュータ装置の前記プロセッサにより前記調理のレシピの第２の部分を表示する段階であって、前記調理のレシピの前記第２の部分が前記調理のレシピの前記第２のステップと関連する段階をさらに備えることを特徴とする請求項１４記載の方法。
【請求項１６】
前記命令の前記指示の受信を受けて、１つ以上の追加の通信を、前記第１の通信リンクを用いて前記コンピュータ装置の前記プロセッサにより前記熱源システムに送信し、前記熱源システムが、前記調理のレシピに従って前記熱源により供給される前記エネルギー量をさらに調整するようにする段階をさらに備えることを特徴とする請求項１５記載の方法。
【請求項１７】
前記補助ボタンシステムが、
ａ）前記コンピュータ装置から切り離されている補助装置と、
ｂ）前記補助装置と連結される補助ボタンモジュールであって、前記インターフェースを含む前記補助ボタンモジュールと、
を備えることを特徴とする請求項１４記載の方法。
【請求項１８】
前記補助ボタンモジュールが前記補助装置と一体化していることを特徴とする請求項１７記載の方法。
【請求項１９】
前記補助ボタンモジュールが、前記補助装置から取り外し可能であり、スタンドアロンの装置として使用されるように作動することを特徴とする請求項１７記載の方法。
【請求項２０】
前記補助装置が、調理機器、調理容器、調理用の表面、調理用具、支持システム、補助表示器、またはウェアラブルデバイスを備えることを特徴とする請求項１７記載の方法。
【請求項２１】
ａ）プロセッサを有するコンピュータ装置であって、当該プロセッサは実行されるときに、
ｉ）調理のレシピの少なくとも一部を表示するように作動し、
ｉｉ）前記調理のレシピと関連する１つ以上の通信を、第１の無線の通信リンクを用いて熱源システムに送信するように作動し、前記調理のレシピに従って食料品を調理することを補助するようにしている、
前記コンピュータ装置と、
ｂ）前記コンピュータ装置から切り離されている補助ボタンシステムであって、
ｉ）前記調理のレシピと関連する命令を受信するように作動するインターフェースと、
ｉｉ）前記インターフェースに通信可能に連結されたプロセッサであって、実行されるときに、前記コンピュータ装置との第２の無線の通信リンクを用いて、前記調理のレシピと関連する前記命令の指示を送信するように作動する前記プロセッサと、
を備える前記補助ボタンシステムと、
を備えることを特徴とするシステム。
【発明の詳細な説明】
【技術分野】
【０００１】
本開示は、一般に調理機器の分野に関し、より具体的には、無線で制御される調理システムに関する。
【背景技術】
【０００２】
従来、使用者は、つまみを使用して手動で熱源をオンにし、熱源の上方に食品を配置し、食品の調理が完了する時間を推定（または測定あるいは判断）することにより、食品を調理している。しかしながら、このような従来の調理技術は不十分である虞がある。
【先行技術文献】
【特許文献】
【０００３】
【特許文献１】米国特許第８，６９２，１６２号明細書
【特許文献２】米国特許第８，８００，５６２号明細書
【特許文献３】米国特許出願公開第２０１３／０００３６３０号明細書
【特許文献４】米国特許出願公開第２０１４／０３２１３２１号明細書
【特許文献５】米国特許出願公開第２０１５／０１７２３１９号明細書
【特許文献６】米国特許出願公開第２０１５／０１７２９０２号明細書
【特許文献７】米国特許出願公開第２０１６／００２９１４９号明細書
【特許文献８】米国特許第６，７９５，４２１号明細書
【特許文献９】米国特許第７，６０２，７５４号明細書
【特許文献１０】米国特許第８，５８８，６８８号明細書
【特許文献１１】米国特許第８，７３７，９１７号明細書
【特許文献１２】米国特許第８，８１７，７１７号明細書
【特許文献１３】米国特許第９，１８５，６５２号明細書
【特許文献１４】米国特許第９，２５８，６９５号明細書
【特許文献１５】米国特許第９，３５７，３４２号明細書
【特許文献１６】米国特許第９，４１４，２１７号明細書
【特許文献１７】米国特許第９，４５６，２９５号明細書
【特許文献１８】米国特許第９，５３８，３５６号明細書
【特許文献１９】米国特許第９，５４４，７５５号明細書
【特許文献２０】米国特許出願公開第２０１６／００５１０７８号明細書
【発明の概要】
【０００４】
本発明の第１の態様は、プロセッサを有するコンピュータ装置であって、当該プロセッサは実行されるときに、複数のステップを有する調理のレシピの第１の部分を表示するように作動し、前記調理のレシピの前記第１の部分が調理のレシピの第１のステップと関連し、熱源システムとの第１の通信リンクを確立するように作動し、前記調理のレシピに従って食料品を調理するために使用される前記コンピュータ装置と、前記熱源システムであって、前記調理のレシピに従って食料品を調理するために使用されるエネルギー量を供給するように作動する熱源と、前記熱源に通信可能に連結されたプロセッサであって、実行されるときに、前記コンピュータ装置との前記第１の通信リンクを用いて、前記調理のレシピの前記第１のステップに関連する第１の温度の指示を受信するように作動し、前記第１の温度の指示に基づいて、前記熱源により供給される前記エネルギー量を調整するように作動する前記プロセッサと、を備える前記熱源システムと、補助ボタンシステムであって、前記調理のレシピの前記第１のステップから前記調理のレシピの第２のステップへと移行するための命令を受信するように作動するインターフェースと、前記インターフェースに通信可能に連結されたプロセッサであって、実行されるときに、前記コンピュータ装置との第２の通信リンクを確立するように作動し、前記コンピュータ装置との前記第２の通信リンクを用いて、前記調理のレシピの前記第１のステップから前記調理のレシピの前記第２のステップへと移行するための前記命令を送信するように作動する前記プロセッサと、を備える前記補助ボタンシステムと、を備えるシステムにおいて、前記コンピュータ装置の前記プロセッサは、さらに、前記補助ボタンシステムとの前記第２の通信リンクを用いて、前記調理のレシピの前記第１のステップから前記調理のレシピの前記第２のステップへと移行するための前記命令の前記指示を受信するように作動し、前記命令の前記指示の受信を受けて、前記調理のレシピの第２の部分を表示し、前記調理のレシピの前記第２の部分が前記調理のレシピの前記第２のステップと関連していることを特徴とするシステムにより達成される。
【０００５】
本発明の別の態様は、前記熱源システムの前記プロセッサは、実行されるときに、さらに、前記コンピュータ装置との第１の通信リンクを用いて、前記調理のレシピの前記第２のステップと関連する第２の温度の指示を受信するように作動し、前記第２の温度の指示に基づいて、前記熱源により供給される前記エネルギー量をさらに調整するように作動するようなシステムである。
【０００６】
本発明の第２の態様は、プロセッサを有するコンピュータ装置であって、当該プロセッサは実行されるときに、複数のステップを有する調理のレシピの第１の部分を表示し、前記調理のレシピの前記第１の部分が前記調理のレシピの第１のステップと関連する前記コンピュータ装置と、熱源システムであって、前記調理のレシピに従って食料品を調理するために使用されるエネルギー量を供給するように作動する熱源と、前記熱源に通信可能に連結されたプロセッサであって、実行されるときに、第１の通信リンクを用いて、前記コンピュータ装置との１つ以上の通信に基づいて、前記熱源により供給される前記エネルギー量を調整するように作動する前記プロセッサと、を備える前記熱源システムと、補助ボタンシステムであって、前記調理のレシピの前記第１のステップから前記調理のレシピの第２のステップへと移行するための命令を受信するように作動するインターフェースと、前記インターフェースに通信可能に連結されたプロセッサであって、実行されるときに、前記コンピュータ装置との第２の通信リンクを用いて、前記調理のレシピの前記第１のステップから前記調理のレシピの前記第２のステップへと移行するための前記命令の指示を送信するように作動する前記プロセッサと、を備える前記補助ボタンシステムと、を備えるシステムにより達成される。
【０００７】
本発明の別の態様は、前記コンピュータ装置の前記プロセッサは、さらに、前記補助ボタンシステムとの前記第２の通信リンクを用いて、前記調理のレシピの前記第１のステップから前記調理のレシピの前記第２のステップへと移行するための前記命令の前記指示を受信するように作動し、命令の指示の受信を受けて、調理のレシピの第２の部分を表示し、当該調理のレシピの第２の部分が調理のレシピの第２のステップと関連しているようなシステムである。
【０００８】
本発明の別の態様は、熱源システムのプロセッサが、実行されるときに、前記第１の通信リンクを用いて、前記コンピュータ装置との１つ以上の追加の通信に基づいて、前記熱源により供給される前記エネルギー量をさらに調整するように、さらに作動するようなシステムである。
【０００９】
本発明の別の態様は、前記補助ボタンシステムが、前記コンピュータ装置から切り離される補助装置と、前記補助装置と連結される補助ボタンモジュールであって、前記インターフェースを含んでいる前記補助ボタンモジュールと、をさらに備えているようなシステムである。
【００１０】
本発明の別の態様は、補助ボタンモジュールが補助装置と一体化しているようなシステムである。
【００１１】
本発明の別の態様は、前記補助ボタンモジュールが前記補助ボタンシステムの前記プロセッサをさらに含んでおり、前記補助ボタンモジュールは、前記補助装置から取り外し可能であり、スタンドアロンの装置として使用されるように作動するようなシステムである。
【００１２】
本発明の別の態様は、前記補助装置が、調理機器、調理容器、調理用の表面、調理用具、支持システム、補助表示器、またはウェアラブルデバイスを備えるようなシステムである。
【００１３】
本発明の別の態様は、前記補助装置が前記熱源システムを備えるようなシステムである。
【００１４】
本発明の別の態様は、前記補助ボタンシステムの少なくとも一部が、水で洗浄できるようなシステムである。
【００１５】
本発明の別の態様は、前記コンピュータ装置の前記プロセッサは、実行されるときに、前記コンピュータ装置の表示器、または、前記コンピュータ装置と切り離されている補助表示器に前記調理のレシピの前記第１の部分を表示するように作動するようなシステムである。
【００１６】
本発明の別の態様は、前記調理のレシピの前記第２のステップは、前記調理のレシピの前記第１のステップの後のステップ、または前記調理のレシピの前記第１のステップより前のステップであるようなシステムである。
【００１７】
本発明の第３の態様は、複数のステップを有する調理のレシピの第１の部分を、コンピュータ装置のプロセッサにより表示する段階であって、前記調理のレシピの前記第１の部分が前記調理のレシピの第１のステップと関連する段階と、熱源システムとの第１の通信リンクを前記コンピュータ装置の前記プロセッサにより確立する段階であって、前記熱源システムが、前記調理のレシピに従って食料品を調理するために使用されるエネルギー量を供給するように作動する熱源を有する段階と、補助ボタンシステムとの第２の通信リンクを前記コンピュータ装置の前記プロセッサにより確立する段階であって、前記補助ボタンシステムが、前記調理のレシピの前記第１のステップから前記調理のレシピの第２のステップへと移行するための命令を受信するように作動するインターフェースを有する段階と、１つ以上の通信を、前記第１の通信リンクを用いて前記コンピュータ装置の前記プロセッサにより前記熱源システムに送信し、前記熱源システムが、前記調理のレシピに従って前記熱源により供給される前記エネルギー量を調整するようにする段階と、前記第２の通信リンクを用いて前記コンピュータ装置の前記プロセッサにより、前記調理のレシピの前記第１のステップから前記調理のレシピの前記第２のステップへと移行するための前記命令の指示を受信する段階と、を備える方法により達成される。
【００１８】
本発明の別の態様は、前記命令の前記指示の受信を受けて、前記コンピュータ装置の前記プロセッサにより前記調理のレシピの第２の部分を表示する段階であって、前記調理のレシピの前記第２の部分が前記調理のレシピの前記第２のステップと関連する段階をさらに備えているような方法である。
【００１９】
本発明の別の態様は、前記命令の前記指示の受信を受けて、１つ以上の追加の通信を、前記第１の通信リンクを用いて前記コンピュータ装置の前記プロセッサにより前記熱源システムに送信し、前記熱源システムが、前記調理のレシピに従って前記熱源により供給される前記エネルギー量をさらに調整するようにする段階をさらに備えているような方法である。
【００２０】
本発明の別の態様は、前記補助ボタンシステムが、前記コンピュータ装置から切り離されている補助装置と、前記補助装置と連結される補助ボタンモジュールであって、前記インターフェースを含んでいる前記補助ボタンモジュールと、を備えているような方法である。
【００２１】
本発明の別の態様は、前記補助ボタンモジュールが前記補助装置と一体化しているような方法である。
【００２２】
本発明の別の態様は、前記補助ボタンモジュールが前記補助装置から取り外し可能であり、スタンドアロンの装置として使用されるように作動するような方法である。
【００２３】
本発明の別の態様は、補助装置が、調理機器、調理容器、調理用の表面、調理用具、支持システム、補助表示器、またはウェアラブルデバイスを備えるような方法である。
【００２４】
本発明の第４の態様は、プロセッサを有するコンピュータ装置であって、当該プロセッサは実行されるときに、調理のレシピの少なくとも一部を表示し、前記調理のレシピと関連する１つ以上の通信を、第１の無線の通信リンクを用いて熱源システムに送信するように作動し、前記調理のレシピに従って食料品を調理することを補助するようにしている前記コンピュータ装置と、前記コンピュータ装置から切り離されている補助ボタンシステムであって、前記調理のレシピと関連する命令を受信するように作動するインターフェースと、前記インターフェースに通信可能に連結されたプロセッサであって、実行されるときに、前記コンピュータ装置との第２の無線の通信リンクを用いて、前記調理のレシピと関連する前記命令の指示を送信するように作動する前記プロセッサと、を備える前記補助ボタンシステムと、を備えるシステムにより達成される。
【００２５】
本発明の第５の態様は、使用者に指示された命令を無線装置に送信し、無線装置で実行される電子料理本とインターフェースで接続するように作動する補助ボタンシステムであって、補助ボタンシステムと共に使用するための補助ボタンモジュールを備え、当該補助ボタンモジュールがインターフェースを備えて、当該インターフェースによって使用者が操作の命令を指示している補助ボタンシステムにより達成される。
【００２６】
本発明の別の態様は、インターフェースが作動装置を備えるようなシステムである。
【００２７】
本発明の別の態様は、作動装置がスイッチであるようなシステムである。
【００２８】
本発明の別の態様は、インターフェースがタッチスクリーンを備えているようなシステムである。
【００２９】
本発明の別の態様は、インターフェースがマイクロフォンを備えているようなシステムである。
【００３０】
本発明の別の態様は、インターフェースが運動センサを備えているようなシステムである。
【００３１】
本発明の別の態様は、インターフェースが静電容量センサを備えているようなシステムである。
【００３２】
本発明の別の態様は、インターフェースと操作可能に結合された操作用の電気回路をさらに備え、インターフェースから指示された操作を電気的に受信しているようなシステムである。
【００３３】
本発明の別の態様は、操作用の電気回路が変換器を備えているようなシステムである。
【００３４】
本発明の別の態様は、インターフェースが照明付きの表示器を備え、操作用の電気回路が静電容量センサを備えているようなシステムである。
【００３５】
本発明の別の態様は、インターフェースがタッチスクリーンを備え、操作用の電気回路が静電容量センサを備えているようなシステムである。
【００３６】
本発明の別の態様は、操作用の電気回路がオーディオセンサを備えているようなシステムである。
【００３７】
本発明の別の態様は、操作用の電気回路が運動センサを備えているようなシステムである。
【００３８】
本発明の別の態様は、操作用の電気回路が光センサを備えているようなシステムである。
【００３９】
本発明の別の態様は、操作用の電気回路が熱センサを備えているようなシステムである。
【００４０】
本発明の別の態様は、操作用の電気回路が静電容量センサを備えているようなシステムである。
【００４１】
本発明の別の態様は、操作用の回路から受け取った、指示された操作を無線装置に送信するように構成された通信用の電気回路をさらに備え、当該無線装置は、プロセッサと、プロセッサにより実行可能な命令を記憶するメモリとを備えて、電子料理本を実行し、電子料理本を実行することが、無線装置により熱源システムを無線制御することを含んでいるようなシステムである。
【００４２】
本発明の別の態様は、通信用の電気回路が、有線接続を用いて、指示された操作を無線装置に送信するように構成されるようなシステムである。
【００４３】
本発明の別の態様は、通信用の電気回路が、無線接続を用いて、指示された操作を無線装置に送信するように構成されるようなシステムである。
【００４４】
本発明の別の態様は、無線接続がブルートゥース（登録商標）による接続を含んでいるようなシステムである。
【００４５】
本発明の別の態様は、無線接続が、通信用の電気回路により送信された信号を備え、当該通信用の電気回路が、無線方式、セルラー方式、Ｉｒシステム、ブルートゥース方式、またはこれらの組み合わせから選択された１つ以上の信号を備えているようなシステムである。
【００４６】
本発明の別の態様は、補助ボタンモジュールが補助装置と一体化しているようなシステムである。
【００４７】
本発明の別の態様は、補助装置が、調理機器、調理用具、調理容器、調理用の表面、電子調理本支持体、補助表示器、またはウェアラブルデバイスを備えるようなシステムである。
【００４８】
本発明の別の態様は、補助装置が、冷蔵庫、オーブン、レンジ、鉄板、はかり、長時間調理用の鍋（slow cooker）、食器洗い機、または電子レンジを含んでいる調理機器であるようなシステムである。
【００４９】
本発明の別の態様は、補助装置が、スプーン、フォーク、トング、またはナイフを含んでいる調理用具であるようなシステムである。
【００５０】
本発明の別の態様は、補助装置が、平鍋、フライパン、またはスロークッカー用の容器を含んでいる調理容器であるようなシステムである。
【００５１】
本発明の別の態様は、補助装置が、まな板または調理台を含んでいる調理用の表面であるようなシステムである。
【００５２】
本発明の別の態様は、補助装置が、スタンドまたはケースを含んでいる電子調理本支持体であるようなシステムである。
【００５３】
本発明の別の態様は、補助装置が、眼鏡、プロジェクター、または台所用の機器に関連する表示器を含んでいる補助表示器であるようなシステムである。
【００５４】
本発明の別の態様は、補助装置が、腕時計、エプロン、またはベルトを含んでいるウェアラブルデバイスであるようなシステムである。
【００５５】
本発明の別の態様は、補助ボタンモジュールが、補助装置の装置本体に関連する取付部位で取り付けるために構成された取付具を備えているようなシステムである。
【００５６】
本発明の別の態様は、補助ボタンモジュールが、補助装置の装置本体に関連する取付部位で取り外し可能に取り付けるために構成された取付具を備えているようなシステムである。
【００５７】
本発明の別の態様は、本発明の別の態様は、補助ボタンモジュールが、補助装置の装置本体に関連する取付部位で取り外し可能に使用できる取付用に構成された取付具を備えているようなシステムである。
【００５８】
本発明の別の態様は、取付具が電気的接続部を備えているようなシステムである。
【００５９】
本発明の別の態様は、補助ボタンが装置本体に取付けられ、電気的接続部が補助ボタンモジュールに電気的に接続して、電源、操作回路、通信回路、またはこれらの組み合わせを提供し、あるいは完成させるようなシステムである。
【００６０】
本発明の別の態様は、補助ボタンモジュールが洗濯機で洗えるようなシステムである。
【００６１】
本発明の別の態様は、補助ボタンモジュールが流し台で洗えるようなシステムである。
【００６２】
本発明の別の態様は、補助ボタンモジュールが噴霧器で洗浄可能であるようなシステムである。
【００６３】
本発明の別の態様は、取り外し可能なインターフェース用のカバーをさらに備え、インターフェースは、使用者から指示された操作命令を当該使用者から受信するように作動し、当該インターフェース用のカバーは、インターフェースを覆っているようなシステムである。
【００６４】
本発明の別の態様は、インターフェース用のカバーが洗濯機で洗えるようなシステムである。
【００６５】
本発明の第６の態様は、食品加熱器具であって、無線送信手段と、前記食品加熱器具の熱出力を調整するように機能する制御信号を受信する無線手段と、ユーザーインターフェースと、食品温度と食品器具温度のいずれか一方を検出するセンサと、を備える前記食品加熱器具と、表示装置であって、食品調理用の１つ以上のレシピを記憶するメモリと、記憶した前記レシピにおける段階のシーケンスを表示または強調するように作動する電子表示器と、前記センサと前記食品加熱器具の少なくとも一方の出力を受信する受信手段と、を備える表示装置を備え、前記食品加熱器具の前記ユーザーインターフェースは、前記レシピにおける段階の前記シーケンスにより進めるように作動する調理システムにより達成される。
【００６６】
本発明の第７の態様は、使用者や食品加熱器具により実行されるステップを表示または制御する装置制御手段を有する前記食品加熱器具により達成される。
【００６７】
本発明の第８の態様は、調理システムを用いた調理過程であって、前記調理過程は、食品加熱器具におけるユーザーインターフェースを起動させるステップを備え、当該起動させるステップは、レシピの表示を調節するように作動する補助ボタンを、タッチするステップまたは作動させるステップを備える調理過程により達成される。
【００６８】
本発明の第９の態様は、食品加熱器具であって、無線送信手段と、前記食品加熱器具の熱出力を調整するように機能する制御信号を受信する無線手段と、ユーザーインターフェースと、食品温度と食品器具温度のいずれか一方を検出するセンサと、を備える前記食品加熱器具と、表示装置であって、食品調理用の１つ以上のレシピを記憶するメモリと、前記レシピにおける段階のシーケンスを表示または強調するように作動する電子表示器と、前記センサと前記食品加熱器具の少なくとも一方の出力を受信する手段と、を備える表示装置を備え、前記食品加熱器具の前記ユーザーインターフェースは、前記表示装置により表示された前記レシピにおける段階の前記シーケンスにより進めるように作動する補助ボタンシステムにより達成される。
【図面の簡単な説明】
【００６９】
本開示や、本開示の特徴および利点をより完全に理解するために、添付している図面と併せて、以下の説明を参照する。
【図１Ａ】様々な実施形態による、使用者が食料品を調理することを補助できる調理システムの一例を示す図である。
【図１Ｂ】様々な実施形態による、使用者が食料品を調理することを補助できる調理システムの一例を示す図である。
【図２】様々な実施形態による調理システムの通信方式の概略図である。
【図３】様々な実施形態による補助ボタンシステムの様々なハードウェアユニットを概略的に示す図である。
【図４】様々な実施形態による補助ボタンシステムのインターフェースを示す図である。
【図５】様々な実施形態による補助ボタンシステムのインターフェースを示す図である。
【図６】様々な実施形態による補助ボタンシステムのインターフェースを示す図である。
【図７Ａ】様々な実施形態による、装置本体を有する補助ボタンモジュールを含んでいる補助ボタンシステムを概略的に示す図である。
【図７Ｂ】様々な実施形態による、補助装置と一体化された補助ボタンモジュールを含んでいる補助ボタンシステムを概略的に示す図である。
【図８】様々な実施形態による、補助装置に取り外し可能に取付けることができる補助ボタンモジュールを含んでいる補助ボタンシステムを概略的に示す図である。
【図９】様々な実施形態による、補助装置の装置本体に動作可能に取付けるように構成された補助ボタンモジュールを概略的に示す図である。
【図１０】様々な実施形態による補助ボタンシステムであって、補助装置が熱源システムである補助ボタンシステムを示す図である。
【図１１】様々な実施形態による補助ボタンシステムであって、補助装置が調理用具である補助ボタンシステムを示す図である。
【図１２】様々な実施形態による補助ボタンシステムであって、補助装置が調理装置である補助ボタンシステムを示す図である。
【図１３】様々な実施形態による補助ボタンシステムであって、補助装置が、電磁誘導式のバーナーを含む熱源システムである補助ボタンシステムを示す図である。
【図１４】様々な実施形態による補助ボタンシステムであって、補助装置が調理器具である補助ボタンシステムを示す図である。
【図１５】様々な実施形態による補助ボタンシステムであって、補助装置が調理容器である補助ボタンシステムを示す図である。
【図１６】様々な実施形態による補助ボタンシステムであって、補助装置が機器である補助ボタンシステムを示す図である。
【図１７】様々な実施形態による補助ボタンシステムであって、補助装置が支持装置である補助ボタンシステムを示す図である。
【図１８】様々な実施形態による補助ボタンシステムであって、補助装置が支持装置の別の実施例である補助ボタンシステムを示す図である。
【図１９】様々な実施形態による補助ボタンシステムであって、補助装置が表示装置である補助ボタンシステムを示す図である。
【図２０】様々な実施形態による補助ボタンシステムであって、補助装置がウェアラブル装置である補助ボタンシステムを示す図である。
【図２１】様々な実施形態による補助ボタンシステムであって、補助ボタンモジュールがスタンドアロンの装置として使用されるように構成される補助ボタンシステムを示す図である。
【図２２】様々な実施形態による、電子調理本により提示可能な表示の実施例である。
【図２３】様々な実施形態による、電子調理本により提示可能な表示の実施例である。
【図２４】様々な実施形態による、電子調理本により提示可能な表示の実施例である。
【図２５】様々な実施形態による、電子調理本により提示可能な表示の実施例である。
【図２６】様々な実施形態による、電子調理本により提示可能な表示の実施例である。
【図２７】様々な実施形態による、電子調理本により提示可能な表示の実施例である。
【図２８】様々な実施形態による、電子調理本により提示可能な表示の実施例である。
【発明を実施するための形態】
【００７０】
本開示の実施形態は、図面の図１Ａ〜図２８を参照することにより最もよく理解される。同様の参照番号は、様々な図面の類似部分や対応する部分に使用される。
【００７１】
図１Ａおよび図１Ｂは、使用者が（例えばステーキやチリ・コン・カルネなどの）食料品を調理することを補助できる調理システム１０の実施例を示す。図示されるように、調理システム１０は、電子調理本３０を実行可能な、（例えば携帯電話やタブレットなどの）無線装置１４を含んでいる。さらに調理システム１０は、（例えば、ガスバーナーシステム、電気式のバーナーシステム、または電磁誘導式のバーナーシステムなどの）熱源システム４６と、当該食料品の調理に使用される、（例えば調理用の平鍋や深鍋などの）調理装置システムとを含んでいる。
【００７２】
図１Ａおよび図１Ｂの操作の一例において、使用者が、例えばステーキやチリ・コン・カルネなどの食料品を調理したいと望むかもしれない。そうするために、使用者は（例えば携帯電話やタブレットなどの）無線装置１４を利用し、電子調理本３０により無線装置１４に表示された当該食品用の特定のレシピを選択してもよい。この選択に基づき、無線装置１４が食料品の調理に使用される（例えばレンジの上部などの）熱源システム４６との（例えばブルートゥース（登録商標）による通信リンクやＷｉＦｉによる通信リンクなどの）第１の通信リンクを確立してもよい。一実施形態において、熱源システム４６との当該第１の通信リンクは、（例えばＵＳＢ（universal serial bus：ユニバーサル・シリアル・バス）接続やシリアル接続を用いる、などの）有線接続であってもよい。
【００７３】
無線装置１４がこの通信リンクを使用し、調理指示７０を熱源システム４６に送信してもよい。調理指示７０は、特定の温度（例えば華氏375度など）や特定の持続時間（例えば10分など）を含んでもよい。これらの調理指示７０が、熱源システム４６の（例えばレンジ上部の左前のガスバーナーなどの）熱源５０に、調理装置システム８２の（例えば5クオートの深鍋などの）調理装置８６へのエネルギーの提供を始めさせてもよい。例えば調理指示７０が、熱源５０に、時間と共に変化する強度を有する炎（または他のエネルギー源）を提供させて、調理装置８６の温度を所望の調理温度（例えば華氏375度など）に上昇させるようにしてもよく、その後、調理過程の間はこの特定の温度（例えば華氏375度など）を維持するようにしてもよい。また調理指示７０が、熱源５０に、特定の時間（例えば10分など）このような炎をさらに提供させてもよく、炎の強度をアルゴリズムで調整し、調理過程を通して当該所望の調理温度を維持している。
【００７４】
無線装置１４と熱源システム４６の間の第１の通信リンクに加えて、熱源システム４６が調理装置システム８２との（例えばブルートゥース（登録商標）による第２の通信リンクやＷｉＦｉによる第２の通信リンクなどの）第２の通信リンクを確立してもよい。調理装置システム８２は当該第２の通信リンクを利用し、熱源システム４６に測定情報７４を送信してもよい。例えば、調理装置システム８２が食料品に関連する現在の温度を測定してもよく、また、この現在の温度を測定情報７４として熱源システム４６に伝達してもよい。測定情報７４に基づき、熱源システム４６が、熱源５０により提供されるエネルギー量の１つ以上の変更または調整を行なってもよい。例えば、現在の調理温度が意図された温度の華氏375度未満であることを測定情報７４が示している場合、熱源システム４６は、熱源５０により提供されるエネルギー量を増加させてもよい。他の例として、現在の調理温度が意図された温度の華氏375度を上回っていることを測定情報７４が示している場合、熱源システム４６は、熱源５０により提供されるエネルギー量を減少させてもよい。さらに他の例として、現在の調理温度が意図された温度の華氏375度であることを測定情報７４が示している場合、熱源システム４６は、同一の量のエネルギーを提供し続けてもよい。さらに他の例として、現在の調理温度が意図された温度の華氏375度未満であるものの、この意図された温度を通り過ぎる虞があるように急速に上昇していることを測定情報７４が示している場合、熱源システム４６は、熱源５０により提供されるエネルギー量を減少させてもよい。さらに他の例として、一連の温度測定値または他の測定情報７４におけるフィードバックアルゴリズムまたはフィードフォワードアルゴリズム（例えば、比例−積分−微分アルゴリズム（ＰＩＤアルゴリズム）など）の動作に基づいて、熱源システム４６が、熱源５０により提供されるエネルギーを任意の様々な量に調整してもよい。料理に使用するためのＰＩＤアルゴリズムの例は、「データ駆動型の論理を利用しているオーブンの制御」という発明の名称の米国特許第８，６９２，１６２号、および「固体燃料燃焼式の食品調理器用の自動温度制御装置」という発明の名称の米国特許第８，８００，５６２号に記載されており、これらの米国特許の両方は、参照により本願に組み込まれている。
【００７５】
いくつかの例において、食料品を調理している使用者が、この食料品の調理中に台所を離れることを望むかもしれない。さらに使用者は、（例えば携帯電話などの）彼らの無線装置１４を持ち運ぶかもしれない。このことにより、いくつかの例において、熱源システム４６との通信範囲外に無線装置１４を移動させ（、通信リンクを切断させ）る虞がある。しかしながら、熱源システム４６と調理装置システム８２との間の第２の通信リンクの結果として、いくつかの例において、使用者および／または無線装置１４が存在しない場合にもかかわらず、この食料品を料理することができる。例えば上述したように、調理指示７０が（例えば10分などの）特定の持続時間を含んでもよい。このような例において、10分が経過する前に、無線装置１４が熱源システム４６との通信範囲外に移動する場合、熱源システム４６が、当該10分の残りの間中に、調理装置８６にエネルギー量を供給し続けてもよい。このことにより、使用者および／または無線装置１４が存在しない場合でも、熱源５０が食料品を調理し続けることができる。このように、無線装置１４が調理過程中ずっと通信範囲内に留まる必要がなく、使用者および／または無線装置１４を長時間にわたって自由にすることができる。このような例において調理システム１０は、無線装置１４と、熱源システム４６および／または調理装置システム８２との間の切断（または接続不良）に対する耐性があってもよい。
【００７６】
さらに、無線装置１４が当該時間の終了前に通信範囲内に戻る場合、まるで使用者および／または無線装置１４が一度も放置していないかのように、食料品の調理を続けることができる。あるいは、無線装置１４が当該時間の終了前に通信範囲内に戻らない場合、熱源システム４６が停止してもよく、または（例えば加温温度などの）保持温度へと移行してもよく、潜在的な火災の危険性を防止し、および／または食料品を調理し過ぎることを防止している。
【００７７】
上述されるように、図１Ａおよび図１Ｂの調理システム１０は無線装置１４を含んでいる。無線装置１４は、使用者と通信できて使用者に（例えば料理のレシピなどの）調理情報を提供しており、かつ、熱源システム４６とさらに通信できて使用者が調理することを補助する任意の適切な構成要素を表している。加えて、無線装置１４が調理装置システム８２とさらに通信して、使用者が調理することをさらに補助するようにしてもよい。無線装置１４は、ノート型パソコン、（例えばスマートフォンなどの）携帯電話またはセル型の携帯無線電話、電子手帳、（例えばｉＰａｄ（登録商標）などの）タブレット、個人用デジタル補助装置（ＰＤＡ）、ビデオ投影装置、調理システム１０の他の構成要素との情報を受信可能、処理可能、記憶可能および／または通信可能な任意の他の装置、あるいはこれらの任意の組み合わせであってよい。図１Ａおよび図１Ｂに示されるように、無線装置１４はタブレットである。さらに図示されるように、無線装置１４は、ネットワークインターフェース１８、プロセッサ２２、およびメモリユニット２６を含んでいる。
【００７８】
ネットワークインターフェース１８は、ネットワーク３８および／またはネットワーク４２からの情報の受信、ネットワーク３８および／またはネットワーク４２による情報の送信、情報の処理の実行、他の装置との通信、あるいはこれらの任意の組み合わせ、を行なうように機能する任意の適切な装置を表している。例えばネットワークインターフェース１８は、調理装置システム８２から（例えば食料品の調理に関連する現在の温度などの）測定情報７４を受信する。他の例として、ネットワークインターフェース１８は、調理指示７０を熱源システム４６に伝達する。ネットワークインターフェース１８は、（ローカルエリアネットワーク（Local Area Network：ＬＡＮ）、都市規模ネットワーク（Metropolitan Area Network：ＭＡＮ）、広域ネットワーク（Wide Area Network：ＷＡＮ）、または他の通信システムにより通信するための、プロトコル変換およびデータ処理能力を含む任意の適切なハードウェアおよび／またはソフトウェアを含んでいる）実際の、または仮想の、任意のポートまたは接続を表しており、当該ポートまたは接続は、無線装置１４が、ネットワーク３８、ネットワーク４２、熱源システム４６、ネットワーク７８、調理装置システム８２、またはシステム１０の他の構成要素と、情報を交換することを可能にしている。
【００７９】
プロセッサ２２は、ネットワークインターフェース１８およびメモリユニット２６と通信可能に連結しており、ネットワークインターフェース１８およびメモリユニット２６から受信した情報を処理することにより、無線装置１４の動作およびネットワーク管理を制御している。プロセッサ２２は、情報を制御および処理するように動作する任意のハードウェアおよび／またはソフトウェアを含んでいる。例えばプロセッサ２２は電子調理本３０を実行し、無線装置１４の動作を制御して、例えば無線装置１４を使用者と通信させるようにしており、（例えば料理のレシピなどの）調理情報を使用者に提供するようにし、また、熱源システム４６とさらに通信して、使用者が調理することを補助するようにしている。プロセッサ２２は、プログラム可能な論理デバイス、マイクロコントローラ、マイクロプロセッサ、任意の適切な処理装置、またはこれらの組み合わせであってよい。
【００８０】
メモリユニット２６は、データ、動作可能なソフトウェア、またはプロセッサ２２用の他の情報を、恒久的または一時的のどちらか一方で記憶している。メモリユニット２６は、情報を記憶することに適している、揮発性または不揮発性の、ローカル装置または遠隔装置の、任意の１つまたは任意の組み合わせを含んでいる。例えばメモリユニット２６は、ランダムアクセスメモリ（Random Access Memory：ＲＡＭ）、リードオンリーメモリ（Read Only Memory：ＲＯＭ）、磁気記憶装置、光学記憶装置、他の任意の適切な情報記憶装置、またはこれらの任意の組み合わせを含んでもよい。メモリユニット２６は、特定の情報モジュールを含むものとして図示される一方で、無線装置１４の動作で用いる任意の適切な情報を含んでもよい。
【００８１】
図示されるように、メモリユニット２６は電子調理本３０を含んでいる。電子調理本３０は任意の適切な命令、論理またはコードのセットを表し、当該セットは、コンピュータで読み取り可能な記憶媒体に具体化され、調理および／または電子料理本３０に関する無線装置１４の操作を容易にするように機能している。例えば無線装置１４の電話機能、無線装置１４の任意の他のスマートフォンの機能またはタブレットの機能、無線装置１４の任意の他の機能、あるいはこれらの任意の組み合わせのような、コンピュータで読み取り可能な記憶媒体に具体化され、無線装置１４の操作を容易にするように機能する、任意の適切な命令、論理またはコードのセットを、メモリユニット２６がさらに含んでもよい。
【００８２】
電子調理本３０が調理に関連する命令（および他のコンテンツの命令）を使用者に提供してもよい。例えば電子調理本３０は、使用者に１つ以上の料理のレシピや追加のコンテンツを提供してもよく、当該料理のレシピや追加のコンテンツは、使用者が（例えばステーキやチリ・コン・カルネなどの）食料品を調理することを補助することができる。電子調理本３０の実施例に関する追加の情報が、電子調理本２３０に関して以下に説明される。
【００８３】
ネットワーク３８は、例えば無線装置１４や熱源システム４６などの、調理システム１０の構成要素間の通信を容易にするように機能する任意の適切なネットワークを表している。ネットワーク３８は、音声、映像、信号、データ、メッセージ、またはこれらの任意の組み合わせを送信可能な、任意の相互接続システムを含んでもよい。例えばインターネット、有線または無線ネットワーク、企業イントラネット、あるいは、これらの組み合わせを含む調理システム１０の構成要素間の通信を容易にするように機能する任意の他の適切な通信リンクなどの、公衆交換電話網（Public Switched Telephone Network：ＰＳＴＮ）、公衆または私設のデータネットワーク、ＬＡＮ、ＭＡＮ、ＷＡＮ、ＷＰＡＮ、市内通信、地域的通信、グローバル通信、あるいはコンピュータネットワークの全部または一部を、ネットワーク３８が含んでもよい。ネットワーク３８の好ましい例としては、ＷＰＡＮ（当該ＷＰＡＮは、例えば、ブルートゥース（登録商標）、ブルートゥース  ローパワー（Bluetooth low power）、ブルートゥース  ５、ＡＮＴ＋、ジグビー（ＩＥＥＥ  ８０２．１５．４）、他のＩＥＥＥ  ８０２．１５．４のプロトコル、限定なしのＩＥＥＥ  ８０２．１１Ａ，ＢまたはＧ、およびＷｉＦｉ（ＩＥＥＥ  ８０２．１１）を含んでもよい）、セルラー通信ネットワーク、赤外線通信ネットワーク、調理システム１０の構成要素間の通信を容易にするように機能する任意の他の無線ネットワーク、あるいはこれらの任意の組み合わせを含んでもよい。
【００８４】
ネットワーク４２は、例えば無線装置１４や調理装置システム８２などの、調理システム１０の構成要素間の通信を容易にするように機能する任意の適切なネットワークを表している。ネットワーク４２は、音声、映像、信号、データ、メッセージ、またはこれらの任意の組み合わせを送信可能な、任意の相互接続システムを含んでもよい。例えばインターネット、有線または無線ネットワーク、企業イントラネット、あるいは、これらの組み合わせを含む調理システム１０の構成要素間の通信を容易にするように機能する任意の他の適切な通信リンクなどの、ＰＳＴＮ、公衆または私設のデータネットワーク、ＬＡＮ、ＭＡＮ、ＷＡＮ、ＷＰＡＮ、市内通信、地域的通信、グローバル通信、あるいはコンピュータネットワークの全部または一部を、ネットワーク４２が含んでもよい。ネットワーク４２の好ましい例としては、ＷＰＡＮ（当該ＷＰＡＮは、例えば、ブルートゥース（登録商標）、低消費電力のブルートゥース（登録商標）、ブルートゥース  ５、ＡＮＴ＋、ジグビー（ＩＥＥＥ  ８０２．１５．４）、他のＩＥＥＥ  ８０２．１５．４のプロトコル、限定なしのＩＥＥＥ  ８０２．１１Ａ，ＢまたはＧ、およびＷｉＦｉ（ＩＥＥＥ  ８０２．１１）を含んでもよい）、セルラー通信ネットワーク、赤外線通信ネットワーク、調理システム１０の構成要素間の通信を容易にするように機能する任意の他の無線ネットワーク、あるいはこれらの任意の組み合わせを含んでもよい。さらにネットワーク４２は、ネットワーク３８と同様のタイプのネットワークであってもよく、またはネットワーク３８と異なるタイプのネットワークであってもよい。例えば、ネットワーク４２とネットワーク３８の両方が、ブルートゥース（登録商標）による通信ネットワークであってもよい。他の例として、ネットワーク４２がＷｉＦｉによる通信ネットワークであってもよい一方で、ネットワーク３８がブルートゥース（登録商標）による通信ネットワークであってもよい。さらに、ネットワーク４２とネットワーク３８とが別々のネットワークとして図示されているが、ネットワーク４２およびネットワーク３８が同一のネットワークであってもよい。
【００８５】
熱源システム４６は任意の適切な構成要素を表しており、当該構成要素は、食料品を調理するためのエネルギー量を提供でき、かつ、使用者が調理することを補助するために無線装置１４とさらに通信できる。さらに熱源システム４６は、使用者が調理することを補助するために、調理装置システム８２とも通信してもよい。
【００８６】
図示されるように熱源システム４６は、熱源５０、ネットワークインターフェース５４、プロセッサ５８、およびメモリユニット６２を含んでいる。熱源５０は、食料品を調理するためのエネルギー量を提供可能な任意の装置であってもよい。例えば熱源５０は、（例えば電磁誘導式のバーナー、ガスバーナー、赤外線バーナー、および／または加熱コイルなどの）バーナー、抵抗加熱要素、（例えばハロゲンランプなどの）加熱ランプ、オーブン、電子レンジ、レンジの上部、コンロ、鉄板、食料品を調理するためのエネルギー量を提供可能な任意の他の装置、またはこれらの組み合わせであってもよい。図示されるように熱源５０は、ガスの炎の形態で熱エネルギーを提供するガスバーナーである。熱源システム４６は、任意の数の熱源５０を含んでもよい。
【００８７】
熱源５０は、当該熱源５０に動力（またはエネルギー）を供給する動力源にさらに接続されてもよく、それにより熱源５０が、食料品を調理するためのエネルギー量を提供することを可能にしている。この動力源は、例えば、（例えば電源コンセントへの接続やバッテリーなどの）電源、（例えばガスラインへの接続やガスボンベなどの）ガス動力源、他の任意の動力源（またはエネルギー源）、あるいはこれらの任意の組み合わせなどの、任意のタイプの動力源であってもよい。
【００８８】
上述されるように熱源システム４６は、ネットワークインターフェース５４、プロセッサ５８、およびメモリユニット６２をさらに含んでいる。これらのネットワークインターフェース５４、プロセッサ５８、およびメモリユニット６２は、熱源システム４６の上、熱源システム４６内、または熱源システム４６に隣接している任意の場所に位置してよく、ネットワークインターフェース５４およびプロセッサ５８が熱源システム４６の熱源５０と通信することを可能にし、および／またはネットワークインターフェース５４およびプロセッサ５８が無線装置１４および／または調理装置システム８２と通信することを可能にしている。このような例ではプロセッサ５８が、熱源５０および／または無線装置１４および／または調理装置システム８２と通信可能に連結（および潜在的に、物理的または電気的に連結）されてもよい。
【００８９】
ネットワークインターフェース５４は、ネットワーク３８および／またはネットワーク７８からの情報の受信、ネットワーク３８および／またはネットワーク７８による情報の送信、熱源５０からの情報の受信、熱源５０への情報の送信、情報の処理の実行、他の装置との通信、あるいはこれらの任意の組み合わせ、を行なうように機能する任意の適切な装置を表している。例えばネットワークインターフェース５４は、無線装置１４（および電子調理本３０）から、食料品の調理に関連する温度情報または他の測定情報７４を受信する。ネットワークインターフェース５４は、（ＬＡＮ、ＭＡＮ、ＷＡＮ、または他の通信システムにより通信するための、プロトコル変換およびデータ処理能力を含む任意の適切なハードウェアおよび／またはソフトウェアを含んでいる）実際の、または仮想の、任意のポートまたは接続を表しており、当該ポートまたは接続は、熱源システム４６が、無線装置１４、ネットワーク３８、ネットワーク４２、ネットワーク７８、調理装置システム８２、またはシステム１０の他の構成要素と、情報を交換することを可能にしている。
【００９０】
プロセッサ５８は、ネットワークインターフェース５４およびメモリユニット６２と通信可能に連結しており、ネットワークインターフェース５４およびメモリユニット６２から受信した情報を処理することにより、熱源システム４６の動作およびネットワーク管理を制御している。プロセッサ５８は、情報を制御および処理するように動作する任意のハードウェアおよび／またはソフトウェアを含んでいる。例えばプロセッサ５８は熱源システムの管理アプリケーション６６を実行し、熱源システム４６の動作を制御して、例えば食料品を調理するためのエネルギー量を提供するようにしており、また無線装置１４とさらに通信して、使用者が調理することを補助するようにしている。プロセッサ５８は、プログラム可能な論理デバイス、マイクロコントローラ、マイクロプロセッサ、任意の適切な処理装置、またはこれらの組み合わせであってよい。
【００９１】
メモリユニット６２は、データ、動作可能なソフトウェア、またはプロセッサ２２用の他の情報を、恒久的または一時的のどちらか一方で記憶している。メモリユニット６２は、情報を記憶することに適している、揮発性または不揮発性の、ローカル装置または遠隔装置の、任意の１つまたは任意の組み合わせを含んでいる。例えばメモリユニット６２は、ＲＡＭ、ＲＯＭ、磁気記憶装置、光学記憶装置、他の任意の適切な情報記憶装置、またはこれらの任意の組み合わせを含んでもよい。メモリユニット６２は、特定の情報モジュールを含むものとして図示される一方で、熱源システム４６の動作で用いる任意の適切な情報を含んでもよい。
【００９２】
図示されるようにメモリユニット６２は、熱源システムの管理アプリケーション６６、調理指示７０、および測定情報７４を含んでいる。熱源システムの管理アプリケーション６６は、任意の適切な命令、論理またはコードのセットを表し、当該セットは、コンピュータで読み取り可能な記憶媒体に具体化され、熱源システム４６の操作を容易にするように機能している。
【００９３】
調理指示７０は、使用者が調理することを補助するために熱源システム４６により利用できる、任意の指示のセットを表している。例えば調理指示７０は、（例えば華氏375度などの）食料品が調理される温度、（例えば華氏375度で45分などの）食料品が特定の温度で調理される時間、（例えばタマネギなどの）食料品に与えられる食品の識別子、調理または料理のレシピに関連する任意の他の情報、あるいはこれらの組み合わせであってもよい。調理指示７０が、無線装置１４から熱源システム４６により受信されてもよい。
【００９４】
測定情報７４は、調理装置システム８２内の（または調理装置システム８２に隣接する）食料品に関連する測定値の任意のセットを表している。例えば測定情報７４は、（例えば、食料品が調理されている現在の温度などの）食料品に関連する現在の温度、食料品に関連する重量測定値、食料品に関連する酸度測定値、（例えばメイラード反応やタンパク質の変性などの）調理に関連する化学反応が調理中に生じている度合いの測定値、食料品（または調理装置システム８２）に関連する任意の他の測定値、あるいはこれらの組み合わせであってもよい。測定情報７４が、調理装置システム８２から熱源システム４６により受信されてもよい。
【００９５】
ネットワーク７８は、例えば熱源システム４６や調理装置システム８２などの、調理システム１０の構成要素間の通信を容易にするように機能する任意の適切なネットワークを表している。ネットワーク７８は、音声、映像、信号、データ、メッセージ、またはこれらの任意の組み合わせを送信可能な、任意の相互接続システムを含んでもよい。例えばインターネット、有線または無線ネットワーク、企業イントラネット、あるいは、これらの組み合わせを含む調理システム１０の構成要素間の通信を容易にするように機能する任意の他の適切な通信リンクなどの、ＰＳＴＮ、公衆または私設のデータネットワーク、ＬＡＮ、ＭＡＮ、ＷＡＮ、ＷＰＡＮ、市内通信、地域的通信、グローバル通信、あるいはコンピュータネットワークの全部または一部を、ネットワーク７８が含んでもよい。ネットワーク３８の好ましい例としては、ＷＰＡＮ（当該ＷＰＡＮは、例えば、ブルートゥース（登録商標）、低消費電力のブルートゥース（登録商標）、ブルートゥース  ５、ＡＮＴ＋、ジグビー（ＩＥＥＥ  ８０２．１５．４）、他のＩＥＥＥ  ８０２．１５．４のプロトコル、限定なしのＩＥＥＥ  ８０２．１１Ａ，ＢまたはＧ、およびＷｉＦｉ（ＩＥＥＥ  ８０２．１１）を含んでもよい）、セルラー方式の通信ネットワーク、赤外線による通信ネットワーク、調理システム１０の構成要素間の通信を容易にするように機能する任意の他の無線ネットワーク、あるいはこれらの任意の組み合わせを含んでもよい。さらにネットワーク７８は、ネットワーク３８および／またはネットワーク４２と同様のタイプのネットワークであってもよく、またはネットワーク３８とネットワーク４２の両方と異なるタイプのネットワークであってもよい。例えば、ネットワーク３８、ネットワーク４２およびネットワーク７８のそれぞれが、ブルートゥース（登録商標）の通信ネットワークであってもよい。他の例として、ネットワーク７２が有線ネットワークであってもよく、ネットワーク４２がＷｉＦｉによる通信ネットワークであってもよく、そして、ネットワーク３８がブルートゥース（登録商標）による通信ネットワークであってもよい。さらに、ネットワーク７８、ネットワーク４２およびネットワーク３８が別々のネットワークとして図示されているが、ネットワーク７８がネットワーク３８および／またはネットワーク４２と同一のネットワークであってもよい。
【００９６】
調理装置システム８２は、食料品を調理するために使用できる任意の適切な構成要素を表している。調理装置システム８２はまた、使用者が調理することを補助するために、熱源システム４６と通信してもよい。加えて調理装置システム８２は、使用者が調理することを補助するために、無線装置１４とさらに通信してもよい。
【００９７】
図示されるように調理装置システム８２は、調理装置８６、（例えば測定センサ９０ａ〜９０ｄなどの）測定センサ９０、ネットワークインターフェース９４、プロセッサ９８、およびメモリユニット１０２を含んでいる。調理装置８６は、食料品の調理に使用できる任意の装置であってもよい。例えば調理装置８６は、食料品を調理している間に当該食料品を支持、保持または包囲できる、食品を支持するプラットフォームであってよく、例えば、深鍋、平鍋、容器、トレイ、鉄板の圧板、火格子、オーブン、加圧調理器、炊飯器、長時間調理用の鍋（slow cooker）、電子レンジ、オーブントースター、オーブン、ティーポット、食料品を調理している間に当該食料品を支持、保持または包囲できる任意の他の装置、またはこれらの組み合わせなどである。他の例として調理装置８６は、例えばスプーン、トング、フライ返し、（例えば温度を測定するプローブなどの）測定プローブ、食料品を調理している間に使用できる任意の他の用具、またはこれらの任意の組み合わせなどの、調理用具であってもよい。図示されるように、調理装置８６は調理鍋である。
【００９８】
（例えば測定センサ９０ａ〜９０ｄなどの）測定センサ９０は、食料品に関連する測定値を測定または感知する（あるいは、他の方法で提供する）任意のセンサを表している。例えば測定センサ９０は温度センサであってもよく、当該温度センサは、食料品の温度、（例えば、調理装置８６の一部の温度や調理装置８６の内側または近傍の周囲温度などの）食料品の近傍の温度、食料品を調理している温度、食料品の調理に関連する任意の他の温度、またはこれらの組み合わせを測定している。他の例として測定センサ９０が、体積、重量、水分、酸性度、アルカリ度、色、圧力、液面、１つ以上のタンパク質の変性、食料品および／または調理装置８６の任意の他の特性、あるいはこれらの任意の組み合わせを測定してもよい。さらなる例として測定センサ９０が、化学センサ、食料品および／または調理装置８６の使用者による物理的な動きを測定する加速度計、使用者および／または食料品が特定の位置であるかどうかを判定する運動センサまたは他の位置センサ、任意の他のタイプのセンサ、あるいはこれらの任意の組み合わせであってもよい。
【００９９】
全ての測定センサ９０が、（例えば温度などの）同様のタイプの測定法で測定または感知してもよく、もしくは１つ以上の測定センサ９０が、他の測定センサ９０と異なる測定法で測定してもよい（例えば、測定センサ９０の第１のセットが温度を測定してもよく、測定センサ９０の第２のセットが重量および／または液面を測定してもよい）。図示されるように測定センサ９０は、調理装置８６の様々な部分の温度を測定する測定センサ９０である。測定センサ９０は、調理装置システム８２内、調理装置システム８２上、または調理装置システム８２に隣接した任意の場所に位置してもよく、測定センサ９０が、食料品に関連する情報を測定することを可能にしており、また測定センサ９０が、このような情報をプロセッサ９８に送信することをさらに可能にしている。測定センサ９０が、調理装置システム８２内、調理装置システム８２上、または調理装置システム８２に隣接した任意の場所に連結（あるいは、他の方法で配置）されてもよく、測定センサ９０が、任意の方法でこのような場所に連結（あるいは、他の方法で配置）されてもよい。一例として測定センサ９０が、（例えば接着剤を使用して）当該場所に接着されてもよく、リベットやクリップを使用して当該場所に接続されてもよく、（例えば、調理装置８６の２層以上の材料の層などの）当該場所の２つ以上の材料の中間に配置されてもよく、（例えば、調理装置８６の全部または一部と一体的に形成されるなどの）当該場所で装置と一体的に形成されてもよく、任意の他の方法で当該場所に連結されてもよく、あるいは、これらの任意の組み合わせでもよい。
【０１００】
上述されるように調理装置システム８２は、ネットワークインターフェース９４、プロセッサ９８、およびメモリユニット１０２をさらに含んでいる。これらのネットワークインターフェース９４、プロセッサ９８、およびメモリユニット１０２は、調理装置システム８２の上、調理装置システム８２内、または調理装置システム８２に隣接している任意の場所に位置してよく、ネットワークインターフェース９４およびプロセッサ９８が測定センサ９０と通信することを可能にし、かつ、ネットワークインターフェース５４およびプロセッサ５８が無線装置１４および／または熱源システム４６とさらに通信することを可能にしている。このような例ではプロセッサ５８が、測定センサ９０および／または無線装置１４および／または熱源システム５６と通信可能に連結（および潜在的に、物理的または電気的に連結）されてもよい。図示されるように、ネットワークインターフェース９４、プロセッサ９８、およびメモリユニット１０２が、調理装置システム８２の取手部内（または取手部上）に位置している。いくつかの例において、ネットワークインターフェース９４、プロセッサ９８、およびメモリユニット１０２の位置決めでは、過度の熱からこれらの構成要素を保護してもよい。
【０１０１】
ネットワークインターフェース９４は、ネットワーク４２および／またはネットワーク７８からの情報の受信、ネットワーク４２および／またはネットワーク７８による情報の送信、測定センサ９０からの情報の受信、測定センサ９０への情報の送信、情報の処理の実行、他の装置との通信、あるいはこれらの任意の組み合わせ、を行なうように機能する任意の適切な装置を表している。例えばネットワークインターフェース９４は、測定センサ９０から測定値を受信する。他の例として、ネットワークインターフェース９４が測定情報７４を熱源システム４６に送信する。ネットワークインターフェース９４は、（ＬＡＮ、ＭＡＮ、ＷＡＮ、または他の通信システムにより通信するための、プロトコル変換およびデータ処理能力を含む任意の適切なハードウェアおよび／またはソフトウェアを含んでいる）実際の、または仮想の、任意のポートまたは接続を表しており、当該ポートまたは接続は、調理装置システム８２が、無線装置１４、ネットワーク３８、ネットワーク４２、熱源システム４６、ネットワーク７８、またはシステム１０の他の構成要素と、情報を交換することを可能にしている。
【０１０２】
プロセッサ９８は、ネットワークインターフェース９４およびメモリユニット１０２と通信可能に連結しており、ネットワークインターフェース９４およびメモリユニット１０２から受信した情報を処理することにより、調理装置システム９４の動作およびネットワーク管理を制御している。プロセッサ９８は、情報を制御および処理するように動作する任意のハードウェアおよび／またはソフトウェアを含んでいる。例えばプロセッサ９８は調理装置システムの管理アプリケーション１０６を実行し、調理装置システム８２の動作を制御して、例えば熱源システム４６と通信して使用者が調理することを補助するようにしており、また無線装置１４と通信して使用者が調理することを補助するようにしている。プロセッサ５８は、プログラム可能な論理デバイス、マイクロコントローラ、マイクロプロセッサ、任意の適切な処理装置、またはこれらの組み合わせであってよい。
【０１０３】
メモリユニット１０２は、データ、動作可能なソフトウェア、またはプロセッサ９８用の他の情報を、恒久的または一時的のどちらか一方で記憶している。メモリユニット１０２は、情報を記憶することに適している、揮発性または不揮発性の、ローカル装置または遠隔装置の、任意の１つまたは任意の組み合わせを含んでいる。例えばメモリユニット１０２は、ＲＡＭ、ＲＯＭ、磁気記憶装置、光学記憶装置、他の任意の適切な情報記憶装置、またはこれらの任意の組み合わせを含んでもよい。メモリユニット１０２は、特定の情報モジュールを含むものとして図示される一方で、調理装置システム８２の動作で用いる任意の適切な情報を含んでもよい。
【０１０４】
図示されるようにメモリユニット１０２は、調理装置システムの管理アプリケーション１０６を含んでいる。調理装置システムの管理アプリケーション１０６は、任意の適切な命令、論理またはコードのセットを表し、当該セットは、コンピュータで読み取り可能な記憶媒体に具体化され、熱源システム４６の操作を容易にするように機能している。
【０１０５】
調理システム１０の操作の例示的な実施形態において、使用者が、例えばステーキやチリ・コン・カルネなどの食料品を調理したいと望むかもしれない。そうするために、使用者は（例えば携帯電話やタブレットなどの）無線装置１４を利用してもよい。特に使用者は、無線装置１４に電子調理本３０を実行させてもよい。当該使用者は、無線装置１４に、任意の方法で電子調理本３０を実行させてもよい。例えば電子調理本３０が、無線装置１４にインストールされた“アプリ”であってもよい。このような場合、使用者は、無線装置１４に表示された電子調理本３０のアイコンを選択することにより、無線装置１４に電子調理本３０を実行させることができる。
【０１０６】
電子調理本３０は、無線装置１４により実行された時点で、調理に関連するコンテンツを表示してもよい。例えば電子調理本３０は、ステーキ、パスタ、（例えばケーキなどの）パン・菓子類、前菜、スープ、サラダ、チキン、または他の任意の食料品の調理方法についてのレシピなどの料理のレシピを含んでもよい。電子調理本３０は、（例えば調理指導用のビデオなどの）調理に関連するビデオ、（例えば、料理のレシピに従って調理された後の食料品の写真や、食料品の一部の調理方法に関する写真などの）調理に関連する写真、調理に関連する他の任意の情報、またはこれらの任意の組み合わせを、さらに含んでもよい。
【０１０７】
使用者は、電子調理本３０を検索し、食料品を調理するために使用される特定の料理のレシピを選択してもよい。使用者は、任意の方法で電子調理本３０を検索してもよい。例えば使用者は、電子調理本３０の検索機能を利用して、特定の料理のレシピを検索してもよい。他の例として使用者が、電子調理本３０の特定の欄において、お気に入りの料理のレシピを保存していてもよい。このような例において、使用者は（例えば電子調理本３０の“お気に入り”タブをクリックすることによってなど）この欄を検索し、特定の料理のレシピを選択してもよい。さらなる例として電子調理本３０が、推奨レシピおよび／または、他の使用者あるいは有名人のシェフにより評価されているレシピを含んでもよい。他の例として使用者が、料理のレシピ全て（または一部）をスクロールして、特定のレシピを選択してもよい。
【０１０８】
電子調理本３０は、（例えばチリ・コン・カルネのレシピなどの）特定のレシピが選択された時点で、この選択された食料品に関連する料理のレシピを無線装置１４で表示してもよい。電子調理本３０は、料理のレシピ全体を無線装置１４で表示してもよく、または料理のレシピの一部のみを無線装置１４で表示してもよい。料理のレシピは、食料品の調理で使用できる任意の情報を含んでもよく、当該情報は、例えば、この食料品を調理するためのステップ（または段階）、この食料品の材料のリスト、この食料品の材料の分量のリスト、この食料品の代わりとなる材料のリスト、この食料品の調理で使用可能な装置または器具（例えば、特定の深鍋／平鍋の説明および／または写真や、この食料品の調理に使用すべき特定のタイプの器具（例えばオーブンやレンジなど）の説明および／または写真など）のリスト、この食料品に関連する他の任意の情報、あるいはこれらの任意の組み合わせ、などである。料理のレシピが、食料品の調理に関連する指導用のビデオおよび／または食料品の材料に関連する写真（例えば、タマネギの写真、賽の目切りされたタマネギの写真、カラメル化された後のタマネギの見た目の写真など）も含んでもよい。
【０１０９】
電子調理本３０は、料理のレシピに従った食料品調理用の段階的な案内をさらに含んでもよい。この段階的な案内が、調理過程のそれぞれのステップにより使用者を誘導してもよい。例えばチリ・コン・カルネの料理のレシピは、以下のステップを含んでもよい：（１）肉が深鍋に入れられ、特定の温度（例えば華氏375度など）で特定の時間（例えば10分など）きつね色に焼かれるステップ；（２）当該きつね色に焼かれた肉にタマネギおよび／または他の材料が加えられるステップ；（３）当該材料の組み合わせが、第２の特定の温度（例えば華氏300度など）で第２の特定の時間（例えば5分など）調理されるステップ；（４）トマト、トマトソースおよびスパイスが加えられるステップ；（５）当該材料の組み合わせが、第３の特定の温度（例えば華氏212度など）で第３の特定の時間（当該トマトソースの組み合わせが１／２に減らされるまで）調理されるステップ；および、食料品全体が、第４の特定の温度（例えば華氏180度など）で第４の特定の時間（例えば4時間など）調理されるステップ。
【０１１０】
この段階的な案内において、チリ・コン・カルネ用の上述の例のそれぞれのステップを、個別に表示（または、料理のレシピで個別に強調して現在のステップを識別）してもよい。現在のステップの間に、無線装置１４が、料理のレシピにおける現在のステップを説明する情報を表示してもよく、当該ステップ中に使用者が何をすべきかをさらに説明する情報を表示してもよい。このステップを完了した時点で、例えば無線装置１４で表示される“次へ”ボタンをクリックすることによるなどの、当該ステップを完了していることを示すように、使用者を指示してもよい。これにより、使用者を次のステップへ誘導するようにしてもよい。使用者が無線装置１４のボタンまたは無線装置１４の画面をクリックして、このような“次へ”ボタンを選択された状態にしてもよい。加えて（またはその代わりに）、以下で説明されるように、使用者が他の任意のボタン（または制御装置）をクリックして、ステップ（または段階）を検索してもよい。
【０１１１】
この段階的な案内が、食料品の調理に関連する追加の情報をさらに含んでもよい。例えば、チリ・コン・カルネの料理用の第１のステップが、肉を（例えば5クオートの深鍋などの）調理装置８６に入れることである場合、この段階的な案内の第１のステップが、推奨される調理装置８６の写真、この肉の調理に使用されるべき推奨される熱源（例えばバーナーなど）の写真、この肉に関連する栄養の情報、この肉がもたらされる動物の種類についての情報、この肉の取り扱い方法についての指導用のビデオ、肉に触れた後で手を衛生的にすることに関連する指導用のビデオおよび／または他の情報、特定のステップに関連する他の情報、あるいはこれらの任意の組み合わせを含んでもよい。
【０１１２】
特定の料理のレシピ（例えばチリ・コン・カルネなど）の選択の後に、無線装置１４は、使用者がどの熱源システム４６を使用し、どの調理装置８２を使用して食料品を調理するかを選択するように、使用者に指示してもよい。無線装置１４は、特定のレシピに適する可能性がある様々な熱源システム４６および調理装置８２の説明および／または写真を表示することにより、熱源システム４６および調理装置８２を選択するように使用者に指示してもよい。例えば、使用者がバーナーを使用してチリ・コン・カルネを調理する、ということを料理のレシピが推奨する場合、無線装置１４は、鉄板またはレンジの上部におけるどのバーナー（例えば、レンジの上部の左前のバーナーなど）がチリ・コン・カルネを調理するために使用する予定であるのかを選択するように、使用者に指示してもよい。他の例として、使用者が5クオートの深鍋または10クオートの深鍋を使用してチリ・コン・カルネを調理する、ということを料理のレシピが推奨する場合、無線装置１４は、5クオートの深鍋と10クオートの深鍋のどちらがチリ・コン・カルネを調理するために使用する予定であるのかを選択するように、使用者に指示してもよい。
【０１１３】
熱源システム４６および／または調理装置システム８２の説明および／または写真を表示するために、無線装置１４（および電子調理本３０）が、特定の台所で利用可能なそれぞれの熱源システム４６および／または調理装置システム８２についての情報を受信してもよい。この情報は、任意の方法で受信されてもよい。例えば、熱源システム４６および／または調理装置システム８２が購入されたときに、当該熱源システム４６および調理装置システム８２が無線装置１４および電子調理本３０に事前登録されていてもよい。このような事前登録により、熱源システム４６および調理装置システム８２が利用可能であることを、無線装置１４が知る（例えば特定の台所において、熱源システム４６および調理装置システム８２が利用可能であることを、無線装置１４が知る）ことができるようにしてもよい。他の例として、無線装置１４が熱源システム４６および調理装置システム８２と通信して、これらが利用可能であることを知ってもよい。このような例において、熱源システム４６および調理装置システム８２のアドバタイズメントを行なうアドバタイズパケット（例えばブルートゥース（登録商標）のアドバタイズパケットなど）をブロードキャストしてもよい。このことにより、台所において、どの熱源システム４６や調理装置システム８２が利用可能であるかを無線装置１４が知ることができるようにしてもよい。無線装置１４はまた、熱源システム４６や調理装置システム８２からのブロードキャスト信号の強度を使用して、どれが近隣にあるかを判断してもよい。無線装置１４はまた、例えば近距離無線通信（Near Field Communication：ＮＦＣ）などの技術を使用して、どの熱源システム４６や調理装置システム８２が近隣にあるかを判断してもよい。いくつかの例において、熱源システム４６が任意の上述の技術を使用して、どの調理装置システム８２がその周辺にあるかを発見してもよく、その情報を無線装置１４にさらに伝達してもよい。他の例において、調理装置システム８２が任意の上述の技術を使用して、どの熱源システム４６がその周辺にあるかを発見してもよく、その情報を無線装置１４にさらに伝達してもよい。
【０１１４】
どの熱源システム４６および調理装置システム８２を使用して食料品を調理するかを選択するように使用者に指示する代わりに（または、指示することに加えて）、特定の熱源システム４６および／または調理装置システム８２を使用するように、無線装置１４が使用者に指示してもよい。例えば、無線装置１４が料理のレシピを分析し、どの熱源システム４６および調理装置システム８２が当該料理のレシピの条件を満たしているかを判断してもよい。さらに無線装置１４は、どの熱源システム４６および調理装置システム８２が台所で利用できるかを、さらに判断してもよい。これらの判断に基づいて、無線装置１４がこれらの結果を比較し、当該特定の料理のレシピのために最も適合するものを判断してもよい。加えて無線装置１４が、どの熱源システム４６および／または調理装置システム８２を使用するかの説明および／または写真を使用者に示してもよい。
【０１１５】
無線装置１４はまた、熱源システム４６および／または調理装置システム８２に信号を送信してもよく、推奨される熱源システム４６および／または調理装置システム８２を使用者が探すことを助けている。この信号により、推奨される熱源システム４６および／または調理装置システム８２が、指示（例えば視覚式の指示および／または可聴式の指示など）を使用者に提供することができる。この指示を提供するために、熱源システム４６および／または調理装置システム８２が、点灯（または点滅）可能な照明システム、可聴音を発することができるスピーカーシステム、他の任意の指示システム、あるいはこれらの任意の組み合わせを含んでもよい。この指示は、使用者が、どの熱源システム４６および／または調理装置システム８２を使用するかを判断することを補助することができる。
【０１１６】
特定の熱源システム４６の選択の後で、無線装置１４が、選択された熱源システム４６との第１の通信リンクを確立してもよい。この第１の通信リンクは、例えば、レンジの上部の左前のガスバーナーとの通信リンクであってもよく、または、複数のバーナーを有するレンジの上部の様々なバーナー間で共有される、共通の、あるいは単一の通信リンクであってもよい。図１Ｂに示されるように、この第１の通信リンクが、ネットワーク３８に対して確立されてもよい。無線装置１４は、熱源システム４６との任意のタイプの通信リンクを確立してもよく、また、任意の方法で当該通信リンクを確立してもよい。一例として無線装置１４が、ブルートゥース（登録商標）による通信リンク、ＷｉＦｉによる通信リンク、赤外線による通信リンク、セルラー方式の通信リンク、他の任意の通信リンク、またはこれらの任意の組み合わせを確立してもよい。加えて無線装置１４は、任意の方法で第１の通信リンクを確立してもよい。例えば無線装置１４が、通信リンク用の要求を他の装置に送信すること、通信リンク用の他の装置の要求を受け入れること、アドバタイズメントまたは他の任意の転送処理に応答すること、アドバタイズメントまたは他の任意の転送処理を送信すること、通信リンクを確立する他の任意の方法、あるいはこれらの任意の組み合わせにより通信リンクを確立してもよい。
【０１１７】
図１Ｂに示されるように、無線装置１４が熱源システム４６とのブルートゥース（登録商標）による通信リンクを確立している。この通信リンクは、任意のタイプのブルートゥース（登録商標）による通信リンクであってもよい。例えばこの通信リンクが１：１のブルートゥース（登録商標）によるリンクであってもよく、ここで、無線装置１４が中央装置として動作し、熱源システム４６が補助装置として動作している。
【０１１８】
特定の調理装置システム８２の選択の後で、熱源システム４６が調理装置システム８２との第２の通信リンクを確立してもよい。図１Ｂに示されるように、この第２の通信リンクがネットワーク７８に対して確立されてもよい。熱源システム４６は、調理装置システム８２との任意のタイプの通信リンクを確立してもよい。一例として熱源システム４６が、ブルートゥース（登録商標）による通信リンク、ＷｉＦｉによる通信リンク、赤外線による通信リンク、セルラー方式の通信リンク、他の任意の通信リンク、有線の通信リンク（例えば調理装置システム８２が、炊飯器または長時間調理用の鍋である熱源システム４６と物理的に接続している調理用の平鍋であるときなど）、またはこれらの任意の組み合わせを確立してもよい。加えて熱源システム４６は、任意の方法で当該通信リンクを確立してもよい。例えば熱源システム４６が、通信リンク用の要求を他の装置に送信すること、通信リンク用の他の装置の要求を受け入れること、アドバタイズメントまたは他の任意の転送処理に応答すること、アドバタイズメントまたは他の任意の転送処理を送信すること、通信リンクを確立する他の任意の方法、あるいはこれらの任意の組み合わせにより通信リンクを確立してもよい。
【０１１９】
（熱源システム４６と調理装置システム８２との間における）第２の通信リンクが、（無線装置１４と熱源システム４６との間における）第１の通信リンクと同様のタイプの通信リンクであってもよい。例えば、第２の通信リンクおよび第１の通信リンクの両方がブルートゥース（登録商標）による通信リンクであってもよい。他の例として、第２の通信リンクと第１の通信リンクが異なるタイプの通信リンクであってもよい。例えば、第２の通信リンクが有線の通信リンクであってもよく、第１の通信リンクがブルートゥース（登録商標）による通信リンクまたはＷｉＦｉによる通信リンクであってもよい。
【０１２０】
図１Ｂに示されるように、熱源システム４６と調理装置システム８２との間の第２の通信リンクは、ブルートゥース（登録商標）による通信リンクである。この第２の通信リンクは、任意のタイプのブルートゥース（登録商標）による通信リンクであってもよく、また、この第２の通信リンクが任意の方法で確立されてもよい。
【０１２１】
例えば第２の通信リンクは、熱源システム４６が調理装置システム８２からブルートゥース（登録商標）のアドバタイズパケットを受信する通信リンクであってもよく、その後、熱源システム４６はこのブルートゥース（登録商標）のアドバタイズパケットを使用して、調理装置システム８２からブルートゥース（登録商標）のスキャン応答パケット（または、他のタイプのパケット）を要求している。熱源システム４６は、任意の方法でこのような第２の通信リンクを確立してもよい。例えば熱源システム４６は、無線装置１４から受信した情報に基づいて、この通信リンクを確立してもよい。このような例において無線装置１４は、調理装置システム８２によりブロードキャストされたブルートゥース（登録商標）のアドバタイズパケットから、調理装置システム８２用の固有識別子を取得してもよい。その後、無線装置１４が、調理装置システム８２用のこのブルートゥース（登録商標）の固有識別子を、熱源システム４６に送信してもよい。熱源システム４６は、このブルートゥース（登録商標）の固有識別子を使用して、調理装置システム８２によりブロードキャストされたもの以外の、他の任意のブルートゥース（登録商標）のアドバタイズパケット（または他のアドバタイズパケット）を除去または無視してもよい。加えて、熱源システム４６が調理装置システム８２からブルートゥース（登録商標）のアドバタイズパケットを受信するとき、熱源システム４６がこのブルートゥース（登録商標）のアドバタイズパケットの識別子を使用して、調理装置システム８２からブルートゥース（登録商標）のスキャン応答パケット（または、他のタイプのパケット）を要求してもよい。
【０１２２】
他の例において第２の通信リンクは、調理装置システム８２が熱源システム４６のブルートゥース（登録商標）の固有識別子を取得する通信リンクであってもよく、その後、調理装置システム８２が、このブルートゥース（登録商標）の固有識別子を使用して、（例えばスキャン応答パケットなどの）パケットを熱源システム４６に直接送信してもよい。このような例において、調理装置システム８２が、無線装置１４から熱源システム４６のブルートゥース（登録商標）の固有識別子を取得してもよい。例えば無線装置１４が、熱源システム４６によりブロードキャストされたブルートゥース（登録商標）のアドバタイズパケットから（または、熱源システム４６との１：１のブルートゥース（登録商標）による接続から）熱源システム４６用のブルートゥース（登録商標）の固有識別子を取得してもよく、その後、無線装置１４が、この熱源システム４６用のブルートゥース（登録商標）の固有識別子を調理装置システム８２に送信してもよい。その後、調理装置システム８２が、このブルートゥース（登録商標）の固有識別子を使用して、（例えばスキャン応答パケットなどの）パケットを、例えば熱源システム４６に直接送信してもよい。
【０１２３】
特定の調理装置システム８２の選択の後で、無線装置１４はまた、選択された調理装置システム８２との第３の通信リンクを確立してもよい。図１Ｂに示されるように、この第３の通信リンクがネットワーク４２に対して確立されてもよい。無線装置１４は、調理装置システム８２との任意のタイプの通信リンクを確立してもよい。一例として無線装置１４が、ブルートゥース（登録商標）による通信リンク、ＷｉＦｉによる通信リンク、赤外線による通信リンク、セルラー方式の通信リンク、他の任意の無線の通信リンク、またはこれらの任意の組み合わせを確立してもよい。加えて無線装置１４は、任意の方法で当該通信リンクを確立してもよい。例えば無線装置１４が、通信リンク用の要求を他の装置に送信すること、通信リンク用の他の装置の要求を受け入れること、アドバタイズメントまたは他の任意の転送処理に応答すること、アドバタイズメントまたは他の任意の転送処理を送信すること、通信リンクを確立する他の任意の方法、あるいはこれらの任意の組み合わせにより通信リンクを確立してもよい。
【０１２４】
（無線装置１４と調理装置システム８２との間における）第３の通信リンクが、（熱源システム４６と調理装置システム８２との間における）第２の通信リンクや（無線装置１４と熱源システム４６との間における）第１の通信リンクと同様のタイプの通信リンクであってもよい。例えば、第３の通信リンク、第２の通信リンクおよび第１の通信リンクのそれぞれがブルートゥース（登録商標）による通信リンクであってもよい。他の例として第３の通信リンクが、第２の通信リンクおよび／または第１の通信リンクと異なるタイプの通信リンクであってもよい。例えば、第３の通信リンクがＷｉＦｉによる通信リンクであってもよく、第２の通信リンクが有線の通信リンクであってもよく、第１の通信リンクがブルートゥース（登録商標）による通信リンクであってもよい。
【０１２５】
図１Ｂに示されるように、無線装置１４と調理装置システム８２との間の第３の通信リンクは、ブルートゥース（登録商標）による通信リンクである。この第３の通信リンクは、任意のタイプのブルートゥース（登録商標）による通信リンクであってもよい。例えば第３の通信リンクは、無線装置１４が調理装置システム８２からブルートゥース（登録商標）のアドバタイズパケットを受信する通信リンクであってもよく、無線装置１４はこのブルートゥース（登録商標）のアドバタイズパケットを使用して、調理装置システム８２からブルートゥース（登録商標）のスキャン応答パケット（または、他のタイプのパケット）を要求している。熱源システム４６は、任意の方法でこのような第２の通信リンクを確立してもよい。例えば熱源システム４６は、無線装置１４から受信した情報に基づいて、この通信リンクを確立してもよい。このことにより、無線装置１４が測定情報７４を受信することを可能にしてもよく、また無線装置１４が、このような測定情報７４を無線装置１４の表示器で使用者に表示することを可能にしてもよい。例えば無線装置１４が、食料品に関連する現在の温度の表示を受信してもよく、食料品に関連する当該現在の温度のグラフ図（例えば、華氏375度のグラフ図）を表示してもよい。いくつかの例において、ブルートゥース（登録商標）のスキャン応答と、ブルートゥース（登録商標）のスキャン応答パケットまたは同様のブロードキャストパケットとを使用することにより、調理装置システム８２および無線装置１４が１：１の通信リンクを有する必要性をなくすことができる。
【０１２６】
無線装置１４と熱源システム４６との間の第１の通信リンクを確立した後で、無線装置１４が熱源システム４６に調理指示７０を送信してもよい。調理指示７０は、食料品の調理に関連する任意の情報を含んでもよい。例えば調理指示７０が、食料品が調理されるべき温度および／または食料品が特定の温度で調理されるべき時間を含んでもよい。加えて調理指示７０が、食料品に加えられるべき材料、食料品を調理するために使用者により実行されるべきステップ、食料品の調理に関連する他の任意の情報、あるいはこれらの任意の組み合わせを含んでもよい。
【０１２７】
調理指示７０は、レシピ全体のための情報を含んでもよく、または、レシピの一部のみのための情報を含んでもよい。例えば調理指示７０が、食料品調理用の段階的な案内における特定のステップのための情報のみを含んでもよい。このような例において、特定のステップを終了するときに、追加の調理指示７０が熱源システム４６に送信されてもよい。これらの追加の調理指示７０が、次のステップ用の情報を含んでもよい。他の例として調理指示７０が、食品調理用の段階的な案内における２つ以上の特定のステップのための情報を含んでもよい。これらの調理指示７０は、使用者が料理のレシピを通して進行するにつれて、（必要に応じて）追加の調理指示７０が補充されてもよい。
【０１２８】
図示されるように調理指示７０は、料理のレシピの少なくとも１つのステップ用の、少なくとも温度の指示を含んでおり、また時間の指示を含んでいる。当該指示は、熱源システム４６が温度および／または時間を判断することを可能にするデータ（または他の情報）であってもよい。例えば当該指示が、温度自体（例えば華氏375度）および／または時間自体（例えば10分）であってもよく、あるいは、熱源システム４６により使用されて温度および／または時間を判断する信号またはポインタ（または他の任意のタイプのデータ）であってもよい。チリ・コン・カルネ用の料理のレシピに関して上述した例において、調理指示７０が（華氏375度で10分間、肉をきつね色に焼くことを提供する）料理のレシピの第１のステップに関連する情報を含んでもよい。このように調理指示７０は、この第１のステップ用の温度の指示（例えば華氏375度）および時間の指示（例えば10分間）を含んでもよい。
【０１２９】
調理指示７０は、第１の通信リンクにより無線装置１４から受信されたものとして上述しているが、いくつかの例において、無線装置１４が中継装置を利用して調理指示７０を提供してもよい。例えば、（無線装置１４と熱源システム４６との間における）第１の通信リンクが切断した場合（または、情報のバックアップセットが求められる場合）、無線装置１４は（例えば、他の無線装置１４や調理装置システム８２などの）中継装置により、熱源システム４６に調理指示７０を送信してもよい。
【０１３０】
熱源システム４６は、（華氏375度の温度の指示および10分間の時間の指示を含んでいる）調理指示７０の受信に基づいて、（例えばプロセッサ５８を用いて）熱源５０を作動させてもよく、調理装置システム８２の調理装置８６にエネルギーを供給し始めるようにしている。あるいは熱源５０をすでに作動させている場合、熱源システム４６が（例えばプロセッサ５８を用いて）熱源５０により調理装置８６に供給されているエネルギー量を調節してもよい。
【０１３１】
熱源５０により供給されているエネルギー量もまた、食料品を調理するために使用されている調理装置システム８２の種類に基づいてもよい。例えば熱源システム４６が、特定の調理装置システム８２に関連するプロファイルを保存（またはアクセス）してもよい。このようなプロファイルが、調理装置８６の種類（例えば深鍋）、調理装置８６の容積の種類（例えば5クオート）、調理装置８６の材料の種類（例えば銅製の底部）、調理装置システム８２の調理装置８６に関連する他の任意の情報、またはこれらの任意の組み合わせを含んでもよい。このプロファイルを使用して、熱源システム４６が、熱源５０により調理装置８６に供給されるエネルギー量を調節してもよい。例えば調理装置８６が、より低いエネルギー量でより高い温度まで熱くなる材料で作成されている場合、熱源システム４６が（例えばプロセッサ５８を用いて）、調理装置８６に供給されるエネルギー量をこのようなプロファイルに従って調節してもよい。
【０１３２】
熱源５０が調理指示７０に従って調理装置８６にエネルギーを供給している間に、熱源システム４６が、熱源システム４６が食料品を調理することを補助できる調理装置システム８２から情報を受信してもよい。上述されるように、調理装置システム８２が、食料品に関連する測定値を感知（または、他の方法で提供）できる測定センサ９０を含んでもよい。例えば測定センサ９０が、食料品に関連する現在の温度（例えば、食料品の現在の温度、食料品に隣接する調理装置８６の一部の現在の温度、または食料品が調理されている現在の温度など）を測定してもよい。調理装置システム８２が、測定センサ９０からの測定値に基づき、第２の通信リンクを使用して測定情報７４を熱源システム４６に送信してもよい。
【０１３３】
測定情報７４は、測定センサ９０を使用して測定可能な任意の情報を含んでもよい。例えば測定情報７４は、食料品が調理されている現在の温度の表示を含んでもよい。当該表示は、食料品が調理されている現在の温度を熱源システム４６が判断することを可能にするデータ（または他の情報）であってもよい。例えば当該表示が、現在の温度自体（例えば華氏375度）であってもよく、または、熱源システム４６により使用されて現在の温度が華氏375度であることを判断する信号またはポインタ（または他の任意のタイプのデータ）であってもよい。加えて（またはその代わりに）測定情報７４が、食料品の現在の水面の表示、食料品の現在の重量の表示、食料品の現在の酸性度の表示、食料品の調理に関連する他の任意の測定可能な情報、あるいはこれらの任意の組み合わせを含んでもよい。
【０１３４】
熱源システム４６は、測定情報７４を使用して、調理装置８６に加えられているエネルギー量を（連続的または定期的に）確認してもよい。例えば、熱源５０が、華氏375度での食料品の調理を意図するエネルギー量を提供している一方で、この食品が華氏350度の温度で調理されていることを測定情報７４が示す場合、熱源システム４６が調理装置８６に加えられるエネルギー量を増加させてもよい。他の例として、熱源５０が、華氏375度での食料品の調理を意図するエネルギー量を提供している一方で、この食品が華氏400度の温度で調理されていることを測定情報７４が示す場合、熱源システム４６が調理装置８６に加えられるエネルギー量を減少させてもよい。さらなる例として、熱源システム４６が、華氏375度での食料品の調理を意図するエネルギー量を提供している一方で、この食品が華氏375度の温度で調理されていることを測定情報７４が示す場合、熱源システム４６は、熱源５０が調理装置８６に同じ量のエネルギーを供給し続けることを可能にしてもよい。さらなる例として、現在の調理温度が意図された温度の華氏375度未満であるものの、この意図された温度を通り過ぎる虞があるように急速に上昇していることを測定情報７４が示している場合、熱源システム４６が、熱源５０により提供されるエネルギー量を減少させてもよい。さらなる例として、一連の温度測定値７４におけるフィードバックアルゴリズムまたはフィードフォワードアルゴリズム（例えば、ＰＩＤアルゴリズムなど）の動作に基づいて、熱源システム４６が、熱源５０により提供されるエネルギーを任意の様々な量に調整してもよい。
【０１３５】
熱源システム４６は、測定情報７４をさらに使用して、調理の過程における潜在的な間違いを（連続的または定期的に）確認してもよい。例えば、使用者が誤った調理装置システム８２を熱源５０の上に配置している虞がある。このような例において熱源システム４６は、測定情報７４および正しい調理装置システム８２のプロファイルを利用して、誤った調理装置システム８２が熱源５０の上に現在配置されていると判断してもよい。具体的には、正しい調理装置システム８２に加えられた特定の量のエネルギー（例えば、中レベル〜高レベル）により、当該食料品を特定の温度（例えば華氏375度など）で調理すべきである、ということを、正しい調理装置システム８２用のプロファイルが示してもよい。しかしながら、誤った調理装置システム８２が熱源５０の上に配置されている場合、正しい調理装置システム８２から受信した測定情報７４が、熱源５０により提供されているエネルギー量のために現在の温度が低すぎる、ということを示してもよい。これに基づいて、熱源システム４６は、誤った調理装置システム８２が熱源５０の上に配置されていると判断することができる。その後、熱源システム４６が無線装置１４にエラー信号を送信してもよく、当該無線装置１４が使用者に間違いを警告してもよい。このような間違い訂正システムは、複数の熱源５０が複数の調理装置８６にエネルギーを加えるために使用されており、複数の異なるタイプの食料品を、同様の（または同一の）期間で調理しているときに、特に有利であることができる。熱源５０はまた、当該熱源５０の近傍の様々な調理装置システム８２から来ている任意の無線信号の強度を分析することにより、どの調理装置システム８２が、調理目的のために当該熱源５０の上部または中に配置されるのか、も判断することができる。
【０１３６】
さらなる例として、熱源システム４６が判断のために測定情報７４を使用できてもよく、（例えば、食料品の酸性度が不正確である場合などに）誤った材料が調理装置システム８２に入れられていること、（例えば、調理装置８６の重量が重すぎる（または軽すぎる）場合などに）多すぎる（または少なすぎる）特定の材料が調理装置システム８２に入れられていること、調理装置８６が満杯になっている（または空になっている）こと、食料品が沸騰している（または、他の任意の相変化が発生している）こと、食料品がまさに吹きこぼれようとしていること、食料品が吹きこぼれてなくなっていること、食料品の酸性度が不正解であること、食料品が不適切に加熱されていること、食料品が所望の質感（例えば、カリカリしているなど）または火の通り具合に達していること、調理装置８６の蓋が調理装置８６から離れている（または、調理装置８６に付いたままである）こと、調理過程の間違いに関連する他の任意の情報、あるいはこれらの任意の組み合わせを判断している。
【０１３７】
上述されるように、調理装置システム８２が熱源システム４６に測定情報７４を提供してもよい。調理装置システム８２は、任意の方法で測定情報７４を提供してもよい。例えば理装置システム８２は、ブルートゥース（登録商標）による通信リンクを使用して測定情報７４を送信してもよい。そのようにするために調理装置システム８２が、調理装置システムを識別可能なブルートゥース（登録商標）のアドバタイズパケットを周期的に送信してもよい。このようなブルートゥース（登録商標）のアドバタイズパケットを熱源システム４６が受信すると、熱源システム４６が調理装置システム８２に追加の情報を要求することができる。この要求に応じて、調理装置システム８２が１つ以上の測定センサ９０を作動させてもよく、当該測定センサ９０からの測定値を受信し始めるようにしている。これらの測定値に基づいて、調理装置システム８２が測定情報７４を作成してもよく、また、この測定情報７４をブルートゥース（登録商標）のスキャン応答パケット（または他の任意のタイプのブルートゥース（登録商標）のパケット）に挿入してもよい。測定情報７４は、例えば、製造業者専用のアドバタイジングデータ用に予約された特定のフィールドなどの、ブルートゥース（登録商標）のスキャン応答パケットにおける任意の適切なフィールドに加入されてもよい。その後、このブルートゥース（登録商標）のスキャン応答パケットが、追加の情報を要求した熱源システム４６にブロードキャスト（または他の方法で送信）されてもよい。いくつかの例において、ブルートゥース（登録商標）のスキャン応答パケットが構成されるたびに、最新の測定情報７４が当該ブルートゥース（登録商標）のスキャン応答パケットに組み込まれてもよい。
【０１３８】
一般にブルートゥース（登録商標）のスキャン応答パケットは、ブルートゥース（登録商標）のアドバタイズパケットに組み込むよりも多くの情報を提供するために、周辺装置に使用されるパケットである。この追加の情報は、周辺機器が提供するサービスについてのアドバタイズパケットやスキャン応答パケットを調べる装置、周辺機器の名前、および、周辺機器と接続したいかどうかを判断するためにアドバタイズパケットの受信者が知りたいかもしれない関連情報を通知してもよい。（その内容が常に同一である）従来のブルートゥース（登録商標）のスキャン応答パケットとは異なり、調理装置システム８２により作成されたブルートゥース（登録商標）のスキャン応答パケットは、それぞれのブルートゥース（登録商標）のスキャン応答パケットが、（時間と共に変化する可能性がある）最新の測定情報７４を含むかもしれないため、連続するブルートゥース（登録商標）のスキャン応答パケット間で変化する内容を有する可能性がある。アドバタイズパケットおよび／またはスキャン応答パケット（またはスキャンパケット）に関する追加の情報は、以下の文献に記載され、これらの全てが参照により本明細書に組み込まれる：発明の名称が「スキャンウィンドウおよびスキャン間隔の推定に基づく低エネルギー無線ネットワーク用の接続設定」である米国特許出願公開第２０１３／０００３６３０号、発明の名称が「近距離データ送信用の方法および技術装置」である米国特許出願公開第２０１４／０３２１３２１号、発明の名称が「ネットワーク探索用の方法、装置およびコンピュータプログラム製品」である米国特許出願公開第２０１５／０１７２３１９号、発明の名称が「無線近距離通信におけるサービス発見用の方法、装置およびコンピュータプログラム製品」である米国特許出願公開第２０１５／０１７２９０２号、発明の名称が「低消費電力近距離無線通信システム」である米国特許出願公開第２０１６／００２９１４９号、発明の名称が「マスターおよびスレーブモバイルデバイスへのサービスを可能にする近距離ＲＦアクセスポイント設計」である米国特許第６，７９５，４２１号、発明の名称が「マスターおよびスレーブモバイルデバイスへのサービスを可能にする近距離ＲＦアクセスポイント設計」である米国特許第７，６０２，７５４号、発明の名称が「非ネットワーク化でのメッセージ交換」である米国特許第８，５８８，６８８号、発明の名称が「デュアルモードのブルートゥースによる低エネルギー装置用の方法およびシステム」である米国特許第８，７３７，９１７号、発明の名称が「ＷＬＡＮパケットを受信している間のブルートゥース（登録商標）のパケットの同時バックグラウンドスペクトルスキャン」である米国特許第８，８１７，７１７号、発明の名称が「ブルートゥースによる低エネルギーモジュールシステムおよび方法」である米国特許第９，１８５，６５２号、発明の名称が「近距離通信環境におけるサービス発見用の方法、装置およびコンピュータプログラム製品」である米国特許第９，２５８，６９５号、発明の名称が「近距離無線制御装置のフィルタリング方法およびレポーティング方法」である米国特許第９，３５７，３４２号、発明の名称が「近距離データ伝送用の方法および技術装置」である米国特許第９，４１４，２１７号、発明の名称が「端末の状態に基づくコンテンツ受信用の方法および装置」である米国特許第９，４５６，２９５号、発明の名称が「ブルートゥース（登録商標）に基づく一般サービス発見用の方法および装置」である米国特許第９，５３８，３５６号、および、発明の名称が「スキャン不可能な装置の発見用の方法、装置およびコンピュータプログラム製品」である米国特許第９，５４４，７５５号。
【０１３９】
いくつかの例において、これらのステップにより、調理装置システム８２が、（例えばバッテリーなどの）その動力源を節約することを可能にし、動力源を長持ちさせることを可能にしている。例えばブルートゥース（登録商標）のスキャン応答パケットを用いて情報を送信することにより、いくつかの例において、ブルートゥース（登録商標）による正式な接続の確立および維持に関連する、計算オーバーヘッドおよびバッテリー寿命限界のオーバーヘッドなしに、調理装置８２が（例えば現在の温度データなどの）現在の測定情報７４を送信できてもよい。他の例として調理装置システム８２が、追加の情報が要求されたときに、その測定センサ９０のみを利用してもよい。これにより測定センサ９０が、（例えば、調理装置システム８２が全く使用されていないときなど）長期間にわたって休止状態を続けることを可能にし、かつ、調理装置システム８２により使用されているエネルギー量を低減させることを可能にしている。他の例において、調理装置システム８２は、その測定センサ９０を常に使用していてもよく、または、使用者が（例えば電源ボタンを押すことによってなど）調理装置システム８２を作動させるときにその測定センサ９０を使用していてもよい。このような例において調理装置システム８２は、測定センサ９０が起動されたときにいつでも測定情報７４を送信してもよく、または、測定情報７４が要求されたときだけに測定情報７４を送信してもよい。
【０１４０】
上述されたステップはブルートゥース（登録商標）による通信リンクに関して説明されているが、このようなステップ（または同様のステップ）は、例えば、任意の他のＷＰＡＮによる通信リンク（例えば、低消費電力のブルートゥース（登録商標）、ブルートゥース  ５、ＡＮＴ＋、ジグビー（ＩＥＥＥ  ８０２．１５．４）、他のＩＥＥＥ  ８０２．１５．４のプロトコル、限定なしのＩＥＥＥ  ８０２．１１Ａ，ＢまたはＧ、およびＷｉＦｉ（ＩＥＥＥ  ８０２．１１）など）、セルラー方式の通信リンク、赤外線による通信リンク、任意の他の無線通信リンク、任意の他の通信リンク、あるいはこれらの任意の組み合わせなどの、任意の他の通信リンクのために実行されてもよい。加えて、測定情報７４は（第２の通信リンクを使用している）熱源システム４６に送信されているものとして上述されているが、測定情報７４が（第３の通信リンクを使用している）無線装置１４に送信されてもよい。このような例において無線装置１４は、（上述されるように）アドバタイズパケットを受信した後でも、追加の情報を要求してもよい。この測定情報７４を受信することにより、無線装置１４が測定情報７４に含まれる情報（例えば、食料品に関連する現在の温度など）を使用者に表示することができる。（熱源システム４６と調理装置システム８２との間における）第２の通信リンクが切断した場合（または、情報のバックアップセットが求められる場合）、無線装置１４もまた、熱源システム４６にこの情報を提供できてもよく、および／または（無線装置１４と熱源システム４６との間における）第３の通信リンクが切断した場合（または、情報のバックアップセットが求められる場合）、熱源システム４６が無線装置１４にこの情報を提供できてもよい。
【０１４１】
熱源５０は、調理指示７０に従って調理装置８６にエネルギーを供給している一方で、さらに熱源システム４６は、エネルギーが調理装置８６に供給された時間を記録してもよい。このことにより、熱源システム４６が、特定の時間、特定の温度で食料品を調理することを可能にしてもよい。例えば上述されるように、食料品が華氏375度で10分間調理されるべきであることを、調理指示７０が示してもよい。このような例において熱源システム４６が、この特定のステップのために調理装置８６にエネルギーを供給している時間を記録してもよい。この時間が経過したとき（または、例えば経過する5分前、経過する2分前および／または経過する1分前など、この時間が経過寸前であるとき）、熱源システム４６が、この時間が経過したこと（または、この時間が経過寸前であること）を示している無線装置１４に信号を送信してもよい。このことにより、無線装置１４が、例えば可聴音を発すること、振動すること、使用者にメッセージを送信すること、使用者を呼び出すこと、または使用者に警告する他の任意の方法によってなどで、使用者に警告することができる。この警告が使用者に、次のステップに進む時間である（または、そろそろ次のステップに進む時間である）ということを通知してもよい。
【０１４２】
加えて（または、その代りに）、無線装置１４もまた、この特定のステップのために経過した時間も記録してもよい。このように無線装置１４は、熱源システム４６からの信号を受信することなく、時間を使用者に警告することができる。さらに無線装置１４は、当該時間における残された時間（例えば、次のステップまで残り2分30秒など）の連続的なカウントダウン（または、定期的な更新）も提供してもよい。
【０１４３】
（例えば、華氏375度で10分間、肉をきつね色に焼く第１のステップなどの）料理のレシピのステップを完了したときに、無線装置１４は次のステップに進んでもよい。この次のステップへ進むことにより、無線装置１４が次のステップを使用者に表示するようにしてもよい。あるいは、複数のステップが無線装置１４により既に表示されている場合、このように次のステップへ進むことにより、表示部で次のステップを何らかの方法で強調させてもよく、当該次のステップが、今、現在のステップであるということを示している。（例えば、料理のレシピのステップ２などの）この次のステップへ進むことにより、無線装置１４が、新たな調理指示７０を熱源システム４６に送信するようにしてもよい。この新たな調理指示７０が、新たなステップに関連する情報を含んでもよい。あるいは熱源システム４６が、料理のレシピ用の調理指示７０のすべて（または２つ以上のセット）に既にアクセスしている場合、無線装置１４が命令を熱源システム４６に送信して、調理指示７０の次のステップに進んでもよい。
【０１４４】
チリ・コン・カルネの例に関して上述されるように、次のステップ（例えばステップ２）は、使用者がタマネギおよび他の材料を加えることを含んでもよい。このような例において、熱源システム４６が、使用者にタマネギおよび他の材料を加えるための時間（例えば5分）にわたって同一の温度（例えば華氏375度）を提供し続けるべきであることを示す情報を、新たな調理指示７０が含んでもよい。
【０１４５】
使用者によりこの次のステップを完了すると、使用者は、例えば電子調理本３０における「次へ」ボタンをクリックすることによってなどで、当該ステップを完了したことを無線装置１４に示してもよい。加えて（または、その代わりに）、熱源システム４６が、当該ステップを完了した時間を判断しようとしてもよい。例えば、食料品に材料を加えることにより、食料品に関連する現在の温度の突然の変化を引き起こすであろうことを示す情報を、熱源システム８２が記憶していてもよい。このような例において、材料が加えられた後、当該材料が加えられたことと整合性がとれるような方法で、食料品に関連する現在の温度が突然変化していることを示す測定情報７４を、熱源システム４６が受信してもよい。これに基づいて、熱源システム４６が無線装置１４に信号を送信し、当該ステップを完了したことを示してもよい。このことにより、当該ステップを完了したことを使用者が手動で示す必要をなくすことができる。
【０１４６】
あるいは、ステップを完了したことを使用者が誤って指示している場合、熱源システム４６は、この指示が誤りであると判断できてもよい。例えば、材料が加えられたことと整合性をとって食料品が調理されている現在の温度において、例えば突然の変化を示す測定情報７４を熱源システム４６が受信しない場合、熱源システム４６は材料が加えられていないと判断できてもよい。このように、熱電システム４６がエラーメッセージを無線装置１４に送信してもよく、これにより、無線装置が使用者に間違いを警告するようにしてもよい。
【０１４７】
（例えば、タマネギおよび他の材料が食料品に加えられたステップ２の完了などの）ステップの完了後に、無線装置１４が次のステップに進んでもよい。前のステップと同様に、このように次のステップへ進むことにより、次のステップを使用者に表示させてもよく、新たな調理指示７０を熱源システム４６にさらに送信させてもよい。チリ・コン・カルネの例に関して上述されるように、次のステップ（例えばステップ３）は、材料の組み合わせを華氏300度で5分間にわたって調理することを含んでもよい。このような例において、この新たな調理指示７０が、特定の温度（例えば華氏300度）および特定の時間（例えば5分）を含んでもよい。
【０１４８】
このような例において、熱源システム４６は調理指示７０に従って調理装置８６に供給されるエネルギー量を減少させてもよく、それにより、華氏300度のより低い温度で食料品を調理させている。上述されたステップと同様に、調理システム４６が調理装置システム８２から測定情報７４を受信し続けてもよく、それにより、熱源システムが、調理装置８６に供給されるエネルギー量を確認することを可能にしている。さらに熱源システム４６もまた、現在のステップで経過した時間を記録してもよい。
【０１４９】
（上述された）調理システム１０の構成要素により実行される行動が、料理のレシピのそれぞれのステップの間で継続してもよい。料理のレシピの全てのステップを完了している時点で（例えば使用者が、電子調理本３０において、全てのステップを完了していることを示すとき）、無線装置１４は熱源システム４６に最終的な調理指示７０を送信してもよい。この最終的な調理指示７０には、調理装置８６に供給されている全てのエネルギーを遮断するという熱源システム４６への命令が含まれていてもよい。したがって、料理のレシピの全てのステップを完了しているとき、無線装置１４は、熱源システム４６に熱源５０を自動的に停止させることができ、このことにより、使用者が手動で熱源５０を停止する必要（または、熱源５０の停止を記憶する必要）をなくすことができる。
【０１５０】
上述されたステップに加えて、いくつかの例において、料理のレシピを進めるときに調理システム１０が問題にぶつかる虞がある。一例として使用者が、調理されている食品から離れて、例えば他の部屋などに移動するかもしれない。そうすることで、使用者は（例えば、彼らの携帯電話や彼らのタブレットなどの）無線装置１４を持参することができる。例えば電話をかけるため、当該無線装置１４に記憶されたビデオまたは写真を家族に示すため、インターネットを閲覧するため、（例えば、使用者が単に無線装置１４を携帯するときなどの、全く行動がないことも含んでいる）無線装置１４を使用して他の任意の行動を実行するため、または、これらの任意の組み合わせのために、使用者は無線装置１４を他の部屋に持っていくかもしれない。このことにより、無線装置１４を熱源システム４６および／または調理装置システム８２との通信範囲の外側に移動させる虞があり、第１の通信リンクおよび／または第３の通信リンクを（少なくとも一時的に）切断させる虞がある。
【０１５１】
従来、このような調理されている食料品から離れた移動が問題である虞がある。特に使用者は、食料品が調理されていることを忘れる可能性があり、このことが火災の危険である可能性がある。さらに、使用者が通信範囲から離れて移動するたびに熱源が停止することは、使用者が（例えば、数秒または数分などの）わずかな時間にわたって食料品を放っておくだけかもしれないので、不利になる虞がある。また多くの食料品が、弱火で長時間にわたって調理されるかもしれない。使用者が通信範囲から離れるときに熱源が停止した場合、（３〜４時間の可能性がある）調理過程全体の間、使用者が通信範囲内に留まらざるを得ない虞があった。しかしながら、このこととは対照的に、調理システム１０は上述されるように、熱源システム４６と調理装置システム８２との間の第２の通信リンクを利用することができる。この第２の通信リンクにより、使用者および／または無線装置１４が熱源システム４６の通信範囲外に移動する場合でさえ、食品を料理のレシピに従って調理し続けることができる。
【０１５２】
上述されるように、熱源システム４６が無線装置１４から調理指示７０を受信してもよい。これらの調理指示７０は、（例えば、華氏375度で10分間にわたってなどの）特定の調理温度および特定の時間を含んでもよい。これらの調理指示７０を使用して、熱源システム４６が、華氏375度で10分間にわたって食料品を調理することを意図されたエネルギーを供給してもよい。さらに熱源システム４６は、調理装置システム８２から測定情報７４を受信してもよく、このことにより、熱源システム４６が調理装置８６に供給されるエネルギー量を（連続的または定期的に）確認することを可能にしてもよく、および／または熱源システム４６が調理過程の間違いの確認を可能にしてもよい。
【０１５３】
（例えば、電話をかけるため、または無線装置１４を使用してインターネットを閲覧するために、使用者が無線装置１４を他の部屋に携帯する場合などの）無線装置１４が熱源システム４６および／または調理装置システム８２の通信範囲外に移動する場合（または、移動するとき）にもかかわらず、熱源システム４６が第２の通信リンクを使用して調理装置システム８２と通信できてもよい。このように、熱源システム４６が依然として調理システム８２から測定情報７４を受信してもよく、このことにより、熱源システム４６が調理装置８６に供給されるエネルギー量を確認することを可能にし、および／または熱源システム４６が調理過程の間違いを確認することを可能にしている。したがって、調理指示７０に従って調理を進行し続けることができる。
【０１５４】
熱源システム４６によるこのような動作が、無線装置１４が通信範囲外に移動した後、任意の時間にわたって継続してもよい。一例において、熱源システム４６によるこのような動作は、時間が経過するまで継続してもよい。例えば、食料品が華氏375度で10分間にわたって調理されたことを調理指示７０が示した場合、熱源システム４６は当該10分の時間中、華氏375度で調理し続けてもよい。
【０１５５】
当該10分間の終了前に無線装置１４が通信範囲内に戻れた場合、熱源５０が調理指示７０に従って（および、第２の通信リンクを用いて）華氏375度で食料品を調理し続けている可能性があるため、調理過程の変更が生じていなくてもよい。さらに、使用者が次のステップを実行するということであれば、調理過程の変更が生じていなくてもよい。
【０１５６】
あるいは、（例えば、電話が長時間にわたった場合など）無線装置１４が通信範囲内に戻ることができる前に当該10分の時間が経過した場合、熱源システム４６が調理指示７０を使用して次のステップを判断してもよい。例えば調理指示７０が、（例えば華氏150度などの）保持温度および（例えば30分などの）保持時間を含んでもよく、このことにより、熱源５０が、当該保持時間にわたって当該保持温度で温め続け（または、調理し続け）てもよい。このことにより、調理過程を完全に台無し（または停止）することなく、使用者が無線装置１４を通信範囲内に持ち帰るための追加の時間を与えることができる。当該保持時間が経過する前に無線装置１４が通信範囲内に戻ってこない場合、熱源システム４６は熱源５０を停止させてもよく、または、第二の時間にわたる第二の保持温度に移行してもよい。
【０１５７】
他の例として、調理指示７０が一足先のステップ（jump ahead step）を含んでもよい。鶏肉のロースト用の料理のレシピに関するこの一例として、（例えば、完了していない唯一のステップが、長いロースト期間の前にいくつかのスパイスを鶏肉に加える、大したことのないステップなど）ローストチキン用の料理のレシピのステップがほとんど全て完了である場合、当該一足先のステップにより、料理のレシピを最後のステップ（または、次の主要な調理のステップ）にスキップさせてもよく、例えば、鶏肉が2時間にわたって華氏375度でローストされる。この一足先のステップにより、鶏肉を完全にロースト（ただし、少量の追加の材料なしに）することができる。このように、通信範囲の外側に移動し、かつ、時間が経過するまで戻らない無線装置１４により、このレシピ全体が台無しにされない。
【０１５８】
さらに、無線装置１４が通信範囲の外側に移動していると判断された場合、無線装置１４が、この問題を使用者に通知しようとしてもよい。例えば無線装置１４が、可聴音のアラームを発してもよく、振動してもよく、（例えば、画面の色を赤に変更するなど）無線装置１４の表示画面を変更してもよく、使用者にメールを送信してもよく、使用者に電話してもよく、または、他の任意の警告を使用者に提供してもよい。また、例えばコンピュータやスマートテレビなどの他の装置に配信される予定の代替の通信機構によって、使用者に警告しようとしてもよい。また無線装置１４が、熱源システム４６および／または調理装置システム８２との異なる通信リンクを確立しようとすることにより、この通信の問題を自動的に解決しようとしてもよい。例えば、無線装置１４が通信範囲の外側に移動するときに、無線装置１４がブルートゥース（登録商標）による通信リンクを使用している場合、無線装置１４は、熱源システム４６および／または調理装置システム８２とのＷｉＦｉによる通信リンク（または、赤外線による通信リンク、セルラー方式の通信リンク、あるいは、他の任意の無線通信リンク）を確立しようとしてもよい。このような例において、無線装置１４が、通信リンクを再確立するために、その通信プロトコルの全て（または、一部）を繰り返してもよい（または、スキャンしてもよい）。あるいは（または、加えて）、熱源システム４６および／または調理装置システム８２が、それらの通信プロトコルの全て（または、一部）を繰り返す（または、スキャンする）ことにより、障害のある通信リンクを再確立しようとして、それぞれの通信リンクを再確立してもよい。
【０１５９】
また無線装置１４も、熱源システム４６および／または調理装置システム８２と通信可能な中継装置との通信リンクを確立しようとしてもよい。例えば無線装置１４が、熱源システム４６および／または調理装置システム８２と通信範囲外である一方で、この無線装置１４が、熱源システム４６および／または調理装置システム８２との（例えばブルートゥース（登録商標）の通信範囲などの）通信範囲内である、（例えば他の携帯電話または他のタブレットなどの）中継装置との（例えばブルートゥース（登録商標）の通信範囲などの）通信範囲内であってもよい。このような例において、無線装置１４がこの中継装置を使用して、その通信範囲を拡張してもよい。あるいは（または、加えて）、熱源システム４６および／または調理装置システム８２が、無線装置１４と通信可能な中継装置との通信リンクを確立しようとしてもよい。
【０１６０】
図２は、一実施形態による調理システム２１０の通信方式の概略図である。調理システム２１０は、電子調理本２３０を備えているコンピュータ装置２１４と、１つ以上の熱源２５０を含んでいる熱源システム２４６と、１つ以上の調理装置を含んでいる調理装置システム２８２と、１つ以上の補助ボタンインターフェース３１９を含んでいる補助ボタンシステム３００と、を含んでいる。電子調理本２３０が熱源システム２４６と信号通信してもよく、熱源システム２４６が調理装置システム２８２と信号通信してもよく、および／または調理装置システム２８２が電子調理本２３０と信号通信してもよい。これらの信号通信や通信方式の例が、図１Ａおよび図１Ｂに関して上述される。
【０１６１】
補助ボタンシステム３００が電子調理本２３０と信号通信してもよい。また電子調理本２３０が補助ボタンシステム３００と信号通信してもよく、例えば以下に説明されるように、通知装置３５７を使用して通知を提供している。いくつかの実施形態において、通知装置３５７が、調理装置システム２８２または熱源システム２４６を中継として使用している信号通信を含んでもよい。このような実施形態の一つにおいて、補助ボタンシステム３００が熱源システム２４６（例えば、加熱装置２５０や加熱機器）と一体化されてもよく、あるいは、調理装置システム２８２（例えば調理装置２８６）と一体化されてもよい。
【０１６２】
コンピュータ装置２１４は、パーソナルコンピュータ、ワークステーション、ノート型パソコン、（例えば、スマートフォン、または他の無線電話、セル方式の携帯無線電話、コードレス電話、あるいは衛星電話などの）携帯電話、電子手帳またはタブレット（例えばｉＰａｄ（登録商標））、携帯情報端末、データ入力用自動発券機（data entry kiosk）、スキャナ、小型投写型表示器、便利な位置にある機器内蔵型表示器（例えば、冷蔵庫のフロントパネルの表示器）、仮想現実（virtual reality：ＶＲ）表示装置または拡張現実（augmented reality：ＡＲ）表示装置、あるいは、電子調理本２３０の信号通信の動作を実行するための無線通信、有線通信または他の適切な通信用に動作可能な適切な通信回路用ハードウェアを有している他の任意のコンピュータ装置を含んでもよい。様々な実施形態において、コンピュータ装置２１４および電子調理本２３０は、図１Ａおよび図１Ｂに関して上述されるような無線装置１４および電子調理本３０と同様であってもよく、したがって、（例えば、プロセッサ２２、ネットワークインターフェース１８およびメモリユニット２６などの）ハードウェアおよび関連する機能を含んでもよい。例えば電子調理本２３０が、調理装置システム２８２の加熱用の熱源システム２４６を制御するように作動してもよい。本明細書で使用されるように、電子調理本２３０は、それ自体が電子調理本２３０を参照してもよく、電子調理本２３０の動作を実行している（例えばコンピュータ装置２１４などの）装置を参照してもよい。
【０１６３】
上述されるように、電子調理本２３０（または、電子調理本２３０の動作を実行しているコンピュータ装置２１４）は、１つ以上の熱源システム２４６に、例えば制御信号などの信号を送信するのに適した通信用ハードウェアをさらに備えており、当該熱源システム２４６はそれぞれ、１つ以上の熱源２５０を備えている。熱源２５０は、調理装置システム２８２に熱（または他のエネルギー）を加えるように構成されてもよく、当該調理装置システム２８２は、１つ以上の調理装置２８６を含んでもよい。例えば熱源システム２４６は、（例えば、ガスバーナー、電磁誘導式のバーナー、電気式のバーナー、加熱コイル、または図１Ａおよび図１Ｂに関して上述される任意の他の熱源などの）１つ以上の熱源２５０を備えているレンジの上部、レンジまたは鉄板を含んでもよい。例えば調理装置システム２８２は、（例えば、深鍋、平鍋、調理容器、火格子、食材を保持して熱源２５０により調理されるように構成される他の任意の装置、または図１Ａおよび図１Ｂに関して上述される任意の他の調理装置などの）調理装置２８６を備えてもよい。
【０１６４】
熱源システム２４６は、本明細書に記載された熱源システム２４６の動作（例えば、通信、測定、検知、電力変調など）を実行するのに適したハードウェアを備えている。様々な実施形態において、熱源システム２４６は、図１Ａおよび図１Ｂに関して上述されるような熱源システム４６と同様であってもよい。例えば熱源システム２４６は、食料品を調理するためのエネルギー量を供給可能な任意の適切な構成要素を表していてもよい。他の例として、熱源システム２４６はネットワークインターフェース５４、プロセッサ５８およびメモリユニット６２を備えてもよく、熱源システム４６に関して上述される機能と同様の機能を含んでもよい。
【０１６５】
調理装置システム２８２は、本明細書に記載された調理装置システム２８２の動作（例えば、通信、測定、検知など）を実行するのに適したハードウェアを備えている。様々な実施形態において、調理装置システム２８２は、図１Ａおよび図１Ｂに関して上述されるような調理装置システム８２と同様であってもよい。例えば調理装置システム２８２は、食料品を調理するために使用可能な任意の適切な構成要素を表していてもよい。他の例として、調理装置システム２８２はネットワークインターフェース９４、プロセッサ９８およびメモリユニット１０２を備えてもよく、調理装置システム８２に関して上述される機能と同様の機能を含んでもよい。
【０１６６】
図２に示された例において、電子調理本２３０および熱源システム２４６は、（例えば、ブルートゥース（登録商標）技術を用いた）１：１の信号通信である。この信号通信は、電子調理本２３０および熱源システム２４６の両方が信号を送受信できるように双方向である。この信号通信は、無線通信１４／電子料理本３０と熱源システム４６との間の通信に関して上述されるような通信と同様であってもよい。例えばこの信号通信は、例えばネットワーク３８などのネットワークによる通信を含んでもよい。同様に図示されるように、調理装置システム２８２もまた、電子料理本および／または熱源システム２４６との信号通信であってもよい。例えば上述されるように、（ネットワーク３８やネットワーク４２を含むことができる）ネットワークに関して、（ネットワークインターフェース９４を含むことができる）送信機を用いて、（例えば、装置ＩＤおよび温度などの）装置情報や周囲の情報をアドバタイズするように調理装置システム２８２が構成されている。また、アドバタイジングの内容を定義するためにプロンプトまたは要求を受信するように作動する、（ネットワークインターフェース９４を含むことができる）受信機を調理装置システム２８２が含んでもよい。上述されるように、電子調理本２３０、熱源システム２４６および調理装置システム２８２が他の通信方式用に構成されてもよい。例えば電子調理本２３０および調理装置システム２８２が、１：１の通信用に構成されてもよい。このような例において、調理装置システム２８２はアドバタイジング信号をブロードキャストしてもしなくてもよく、または、アドバタイジングの内容の要求をしてもしなくてもよい。補助ボタンシステム３００が、このような通信方式内の動作に同様に適してもよいことが理解されよう。
【０１６７】
様々な実施形態において、電子調理本２３０（または、電子調理本２３０の動作を実行しているコンピュータ装置２１４）は、個別のウィンドゥ、カバーまたは料理本カバーにより保護できる、内臓の平面な表示器を含んでもよい。いくつかの実施形態において、電子調理本２３０は、当該電子調理本２３０を使用している遠隔表面（remote surface）、または当該電子調理本２３０から表示データを受信する（例えば、投射型表示器、ヘッドアップ表示器、ＶＲ（仮想現実用）ゴーグル、または、異なる装置（例えば、調理器具または個別の表示装置）に関連する平面な表示器などの）個別の表示装置で表示されてもよい。
【０１６８】
電子調理本２３０は、表示器との信号通信する（例えばグラフィカルユーザーインターフェース（Graphical User Interface：ＧＵＩ）などの）ユーザーインターフェース（User Interface：ＵＩ）をさらに含んでもよい。コンピュータ装置２１４は表示器を含んでよく、または、表示器がリモートディスプレイであってもよい。いくつかの実施形態において、電子調理本２３０または補助ボタンシステム３００は、追加の表示器または個別の表示器を設けるように構成されてもよく、１つ以上のレシピに関連する使用者の調理指示を提供している。
【０１６９】
上述されるように、電子調理本２３０は、１つ以上のレシピに関連する使用者の調理指示を提供するように構成され、かつ、熱源システム２４６と通信するようにさらに構成されて、当該レシピにより指定された時間にわたって、調理装置システム２８２を（当該レシピに指定されたような）所望の温度にする１つ以上の段階を実行している。電子調理本２３０により提供される時間の制御、温度の制御、または時間および温度の両方の制御は、加熱源の出力を設定するときに使用者による間違いを排除するために使用されてもよい。いくつかの実施形態において、電子調理本２３０は、熱源システム２４６や電子調理システム２８２の一方または両方と信号通信してもよく、食品の環境をレシピに記載された正確な温度に保っている。このことは、食品の環境の温度の測定値を使用することにより行われてもよく、熱源システム２４６（例えば加熱システムの加熱ユニット）に加えられる動力を調節することにより、さらに行なわれてもよい。この例は、図１Ａおよび図１Ｂに関して上述されている。
【０１７０】
コンピュータ装置２１４（例えば、無線装置または他の任意の装置）で電子調理本２３０により表示されるスクリーンショットの例が図２２〜図２８に示されている。図２２は平鍋で焼いたサーモンのレシピ詳細表示を示しており、準備時間、調理時間、一人分の分量および材料を提供している。図２３は、魚をテンパリングするための、平鍋で焼いたサーモンのレシピのステップの表示を示している。図２４は、サーモンを味付けするための、平鍋で焼いたサーモンのレシピのステップの表示を示している。この表示には、使用者がインターフェースで接続して次のステップへ進むことができる「次へ」ボタンを含んでいる。図２５は、サーモンを味付けするための、平鍋で焼いたサーモンのレシピのステップの詳細な表示を示している。この表示は、指示、加熱表示、調理時間のシーケンス、および使用者がインターフェースで接続して、このステップ内を進めることができる、または次のステップへ進むことができるボタンを含んでいる。図２６は、脂を抜くための、平鍋で焼いたサーモンのレシピのステップの詳細な表示を示している。この表示は、指示、加熱温度表示、調理時間のシーケンス、および、このステップ内を進める、または次のステップへ進むボタンを含んでいる。図２７は、サーモンを調理するための、平鍋で焼いたサーモンのレシピのステップの詳細な表示を示している。この表示は、指示、加熱温度表示、および調理時間のシーケンスを含んでいる。図２８は、使用者に提示可能な様々な加熱用表示を示している。パネルＡは、目標温度、現在の温度、および両方の温度の視覚的な表示を含む、熱源２５０のウォーミングアップ中の温度の加熱表示を示している。パネルＢは、現在の動力、および総出力に対する当該動力の出力の視覚的な表示を含む、熱源２５０のウォーミングアップ中の動力の加熱表示を示している。パネルＣは、時間経過に伴う温度を示すグラフを含んでいる温度の加熱表示を示している。
【０１７１】
電子調理本２３０により、例えば初心者の料理人などの使用者が専門家の仕上がりを得ることを可能にしている。理由は、この電子制御により得られる温度およびタイミングの正確な制御により、いくつかの例において、調理過程中の食品の感触、質感および色の組み合わせから火の通り具合を判断する料理人の専門知識の使用を必要としない、再現可能な結果を提供できるからである。いくつかの実施形態において、調理前に材料の準備における専門家の助言を提供し、使用者が最適な結果を達成することを補助するように、電子調理本２３０が構成されてもよい。これらの実施形態、または他の実施形態において、電子調理本２３０が調理後に、１つ以上の仕上げのステップにおける専門家の助言を提供し、使用者が最適な結果を達成することを補助してもよい。一実施形態において、電子調理本２３０が、調理前、調理後または調理中に、１つ以上の仕上げまたは準備のステップにおける専門家の助言を提供し、使用者が最適な結果を達成することを補助してもよい。
【０１７２】
電子調理本２３０が、任意で選択可能な内容であってよい追加の内容を提供してもよく、当該追加の内容は、レシピにおける他の段階を開始するための段階である、例えば、調理過程中の食品の感触、質感および色の組み合わせからなどの、食材の判断や使用者の技能レベルを高めるために使用できる。この助言は、レシピの様々な段階またはそれぞれの段階で利用可能（例えば、任意で利用可能）であり、例えば切断、賽の目切り、魚の三枚おろし、混合、または攪拌などの技法に関する写真またはビデオの表示を含んでもよい。また表示は、ステップの成功した完了後の、所望の食品の外観に関する写真またはビデオを含んでもよい。一例として、ニンジンを特定の大きさに賽の目切りするための指示を提供した後、使用者は適切な賽の目切りの技術のビデオを任意に見てもよく、および／または、使用者は所望の準備された材料（例えば、ステップの終わりに準備されたときの賽の目切りされたニンジンの外観）のビデオまたは写真を任意に見てもよい。
【０１７３】
様々な実施形態において、コンピュータ装置２１４は、（例えば、スマートフォンまたはタブレット型コンピュータ（例えばｉＰａｄ（登録商標）などの）手持ちサイズのコンピュータ装置、小型投写型表示器、便利な位置にある機器内蔵型表示器（例えば、冷蔵庫のフロントパネルの表示器）、あるいは、使用者により使用されて、使用者がレシピの指示を容易に見ること、受信すること、または再生することを可能にするＶＲ表示装置またはＡＲ表示装置を備えてもよい。例えば、電子調理本２３０の表示態様は、文字列と比較して、複雑な準備の技術をより良く説明することができる。いくつかの実施形態において電子調理本２３０は、調理器具や台所の用具を使用するための適切または安全な方法の、使用者へのリマインダを含んでもよい。また電子調理本２３０は、チェックリスト、リマインダおよび／またはタイマーを設置することにより間違いや見落としを避けるように構成されてもよく、これにより、曖昧さの余地をほとんど無くすることができる。このような機能は任意であってよく、また使用者により選択可能であってもよい。表示機能は、レシピを試すかどうかを判断する対象となる重要な情報を使用者に提供してもよい。例えば使用者は、レシピのステップを通してスキップすることにより、このレシピをプレビューして、これらのステップを試す前に複雑なステップまたは時間のかかるステップを見るようにしてもよい。一実施形態において、使用者が、特定の食品、ステップ、熱源、難易度、一食当たりの栄養素またはカロリー、準備時間、調理時間、費用、あるいは使用者の献立計画または特別食を補助するための検索基準を検索することを可能にしている検索機能を、電子調理本２３が備えている。
【０１７４】
一実施形態において電子調理本２３０は、レシピのステップの文字列を、このステップのビデオ実演と並行して表示してもよく、オーディオトラックは、ビデオ実演のサウンドトラックまたは上述の文字列部分の一方または両方を任意で再生している。例えば伝統的なレシピは、通常、材料および装置をリストアップし、時には、準備時間および調理時間をリストアップする。電子調理本２３０は、静止画像と第１のビデオセグメントとの任意の組み合わせに加えて、伝統的なレシピの態様を提示するように構成されてもよく、当該伝統的なレシピの態様は、材料を示しているスチル写真やパンショット（pan shot）ということもあり得、または、完成した料理がどのように見えるのかを、文字列部分に栄養情報と準備時間を有して示しているスチル写真やパンショットということもあり得る。
【０１７５】
レシピの最初のステップ、または次のステップは、例えば、みじん切り、薄切り、賽の目切り、混合によってなど、材料をどのように準備するのかを説明してもよい。次のステップは調理の順で提示されてもよく、その後、最終的な提示が行なわれてもよい。
【０１７６】
以下の表は、電子調理本２３０により表示されるレシピ表示のフォーマットの一例の概要を説明しており、この表のそれぞれの行が表示できる内容をリストアップしており、それぞれの行が個別の表示であり、または他の部分からスクロール可能な表示の部分である。
【０１７７】
【表１】
2019509453.tif 000003
【０１７８】
電子調理本２３０により表示できる情報の種類の上記の非限定的な例から、一般的に、例えば材料の収集段階および測定段階、および混合段階または調理段階などの、いくつかの準備段階を含むことが理解されよう。使用者は、上記のレシピ表示のフォーマットを使用して、従うべき段階またはステップ、技法、および、レシピの全体評価を得るための食品の外観の表示間のレシピ内を移動してもよい。
【０１７９】
有益な一態様において、レシピが、例えば新規な準備技術などの複雑なステップを含むとき、使用者は電子調理本２３０とインターフェースで接続して、使用者が準備している食品が、このレシピの１つ以上の段階で適切な外観、質感または色を有することを視覚的に確認してもよい。したがって、このレシピで次のステップにナビゲートされる前に、使用者は、画像や例えば文字列などの他の内容を検索して、現在のステップまたは現在の段階が合格であることを確認できる。また電子調理本２３０は、コンピュータ装置２１４（または、コンピュータ装置２１４の通信範囲内の他の任意の装置）の一部である１つ以上のカメラにより撮影された調理過程の画像で、画像認識アルゴリズムを使用してもよく、使用者に、食品の適切な外観、質感、色または火の通り具合に対するフィードバックをしている。
【０１８０】
使用者は、電子調理本２３０に触れることなく（例えば、電子調理本２３０を実行しているコンピュータ装置２１４に触れることなく）この電子調理本２３０とインターフェースで接続することを望むかもしれない。例えば使用者が、例えば“ステップを進める”、“ステップを繰り返す”、“ステップや技法に関するさらなる情報を提供するビデオを見る”、“異なるレシピ用の他のステップのセットに切替える”などの操作を指示することを望むかもしれない。しかしながら使用者は、このような操作を提供するために、電子調理本２３０の彼らの手との接触を避けることを望むかもしれない。例えば、電子調理本２３０が手の届かない所にあるかもしれず、または、使用者の手が塞がっている、あるいは汚いかもしれない。電子調理本２３０を汚れた手で触れることは、使用者が電子調理本２３０へ操作を指示するインターフェースに、使用者の手における余分な材料が移動する虞があるために、望ましくない虞がある。移動した材料が、この装置の感知能力を阻害する虞がある。例えば、タッチセンサへのこのような材料の移動により感知能力を損なう虞がある。同様に、グラフィカルユーザーインターフェースへの材料の移動により、表示を不鮮明にする虞がある。このような汚染の防止では、使用者の手や電子調理本２３０自体を繰り返し洗浄することや過度に洗浄することが必要となるかもしれない。
【０１８１】
さらに図２に示される概略図を参照すると、調理システム２１０が補助ボタンシステム３００を含むことができ、当該補助ボタンシステム３００は、電子調理本２３０に触れることなく（または、いくつかの例において、電子調理本２３０を実行している、電子調理本２３０の動作を実行している、および／または電子調理本２３０の１つ以上の表示を表示している他の装置に触れることなく）、使用者が電子調理本２３０に対する操作を指示することを可能にしている。したがって、電子調理本２３０の操作に補助ボタンシステム３００を組み込むことにより、電子調理本２３０が熱源システム２４６または調理装置システム２８２と信号通信するときでさえ、使用者が、電子調理本２３０に接触することなく、レシピの指示や補助している内容にアクセスすることを可能にしてもよい。電子調理本２３０は使用者からの指示を受信すると、図１Ａおよび図１Ｂの調理システム１０に関して上述されるように、この指示に応答することができる。
【０１８２】
図示されるように、補助ボタンシステム３００は、補助ボタンモジュール３１５および補助装置３１３を含んでいる。補助ボタンモジュール３１５は、使用者が電子調理本２３０に対する操作を指示することを可能にする１つ以上の構成要素を表していてもよい。補助ボタンモジュールに関する詳細がさらに後述される。
【０１８３】
補助装置３１３は、電子調理本２３０（および／または電子調理本２３０の動作を実行している装置）と切り離されている任意の装置であってもよい。例えば、（例えばタブレットなどの）コンピュータ装置２１４が電子調理本２３０の動作を実行している場合、補助装置３１３は、（例えば、調理器具または第２のコンピュータ装置などの）コンピュータ装置２１４と切り離されている任意の装置であってもよい。補助装置２１３の例が、調理器具または食品加熱器具（例えば、冷蔵庫、レンジ、オーブン、鉄板、はかり、長時間調理用の鍋、食器洗い機、電子レンジ、炊飯器、加圧調理器、平鍋、小鍋など）、調理装置または調理容器（例えば、平鍋、小鍋など）、調理用の表面（例えば、まな板、調理台など）、調理器具（例えば、スプーン、フォーク、トング、ナイフなど）、電子調理本２３０用の支持システム（例えば、電子調理本２３０および／またはコンピュータ装置２１４を挿入可能もしくは他の方法で支持可能なケース、カバーまたはスタンド）、補助表示器（例えば眼鏡、プロジェクターなど）、ウェアラブルデバイス（例えば、腕時計、エプロン、またはベルトなど）、あるいは、電子調理本２３０（および／または電子調理本２３０の動作を実行している装置）と切り離されている任意の他の装置を含んでもよい。
【０１８４】
いくつかの実施形態において、補助装置３１３が、電子調理本２３０により制御されている（または、電子調理本２３０と通信する）熱源システム２４６および／または熱源２５０であってもよい。例えば補助装置３１３が、電子調理本２３０に含まれるレシピに従って食料品を調理するために使用されているオーブンであってもよい。いくつかの実施形態において、補助装置３１３が、電子調理本２３０により制御されている（または、電子調理本２３０と通信する）調理装置システム２８２および／または調理装置２８６であってもよい。例えば補助装置３１３が、電子調理本２３０に含まれるレシピに従って食料品を調理するために使用されている深鍋であってもよい。
【０１８５】
いくつかの実施形態において、電子調理本２３０と切り離すことにより、使用者が、電子調理本２３０に触れることなく補助装置３１３に触れることができる。このことにより、使用者が電子調理本２３０に触れることなく（または、いくつかの例において、電子調理本２３０を実行している、電子調理本２３０の動作を実行している、および／または電子調理本２３０の１つ以上の表示を表示している他の装置に触れることなく）、当該電子調理本２３０に対する操作を指示することを可能にしてもよい。このことにより、電子調理本２３０を調理の作業場から離れたところ（例えば食堂の邪魔にならない場所）に設置することを可能にしてもよい一方で、さらに使用者が、補助ボタンシステムを使用して（レシピのページごとまたはステップごとに）電子調理本２３０を検索することを可能にしてもよい。したがって使用者は、電子調理本２３０に接触するのを避けることができ、また当該電子調理本２３０が動作するとき（例えば、レシピを実行またはプレビューしているとき）に、当該電子調理本２３０を汚染することを避けることができる。
【０１８６】
補助装置３１３は電子調理本２３０と切り離すとして上述されている一方で、いくつかの例において、補助装置３１３は電子調理本２３０と切り離さなくてもよい。例えば補助装置３１３は、電子調理本２３０の１つ以上の動作を実行しているプロセッサを含んでもよい。他の例として補助装置３１３は、電子調理本２３０の一部を使用者に表示可能な画面（または表示器）を含んでもよい。このような例において、（電子調理本２３０に対する操作を指示するために）使用者により接触可能な補助装置３１３の一部が、電子調理本２３０により使用されている補助装置の一部と切り離していてもよい（または、切り離し可能であってもよい）。例えば補助装置３１３が、電子調理本２３０の動作を実行し、および／または電子調理本２３０の一部を使用者に表示するタブレットであってもよい。これにもかかわらず、このタブレットは、洗浄のために当該タブレットから取り外し可能、または、洗浄可能なタブレットの場所に設置可能な１つ以上のボタンを含んでもよい。さらに他の実施形態において、補助ボタンシステム３００がコンピュータ装置２１４と一体化される音声コマンドシステムであってもよい。このような例においてコンピュータ装置２１４は、電子調理本２３０の操作用の音声コマンドを受信でき、使用者がコンピュータ装置２１４または電子調理本２３０と接触することを防止できる。
【０１８７】
図示されるように、補助ボタンシステム３００は補助ボタンモジュール３１５をさらに含んでもよく、当該補助ボタンモジュール３１５は、例えば、（１つ以上の補助ボタン３２３を含んでもよい）補助ボタンインターフェース３１９を有し、当該補助ボタンインターフェース３１９により、使用者が、例えば電子調理本２３０のレシピの段階またはステップを進むなどの、電子調理本２３０の操作を指示することを可能にしている。補助ボタンモジュール３１５は通知装置３５７をさらに有する。これらの構成要素の例が以下でさらに説明される。
【０１８８】
図３は、様々な実施形態による補助ボタンシステム３００の様々なハードウェアユニットを概略的に示している。補助ボタンシステム３００は、（上述されるような）補助装置３１３と、補助ボタンモジュール３１５とを含んでもよい。補助ボタンモジュール３１５は、補助ボタンインターフェース３１９、操作回路３２７、通信回路３３１、および補助ボタンシステム３００に電力を供給する電源３３５を有してもよい。補助ボタンモジュール３１５は、使用者に通知を提供するため、または使用者に指示するために通電可能である通知装置３５７をさらに含んでもよい。
【０１８９】
補助ボタンインターフェース３１９は、使用者がインターフェースで接続して、（ステップまたはレシピの指示の完了を含んでもよい）所望の操作を指示するユーザーインターフェースである。補助ボタンインターフェース３１９は１つ以上の補助ボタン３２３（当該補助ボタン３２３の例が図４〜図２１に図示される）を含んでもよく、当該補助ボタン３２３により、使用者が所望の操作を指示することを可能にしている。
【０１９０】
補助ボタン３２３は、操作を指示可能なプラットフォームを提供することにより、使用者を電子調理本２３０とインターフェースで接続するように構成されてもよい。使用者が指示を与えることを可能にする任意の適切な装置を使用できる一方で、様々な実施形態において補助ボタン３２３が、例えば、作動可能なボタンまたはスイッチ、タップ面、タッチスクリーン表示器、膜スイッチ、音声コマンド受信機／マイクロフォン、あるいは、使用者の動作を検出する領域を含んでもよい。これらの実施形態または他の実施形態において、補助ボタンインターフェース３１９または補助ボタン３２３は、使用者により与えられる指示を受信（例えば、感知または検知）するために、タッチスクリーン、マイクロフォン、運動センサ、静電容量センサ、または振動センサを備えてもよく、または、これらに動作可能に関連していてもよい。補助ボタン３２３は、任意の適切な操作を指示するように構成されてもよい。操作の例では、“次のステップに進む”、“前のステップに戻る”、“最初に戻る”、“現在のステップを繰り返す”、“ステップの指示を一時停止する”、“ビデオ表示をオフにする”、“音声をオフにする”、“加熱システムをオフにする”、“表示装置を切替える”、“熱源システムの他の熱源ユニットに切替える”、“他のレシピ用の指示に切替える”、“更新されたステップを提供する”、“補助ボタンをオフにする”、“補助ボタンの感度を変更する”、または“装置のペアリングをリフレッシュする”を含んでもよい。上述されるように、補助ボタンインターフェース３１９が１つ以上の補助ボタン３２３を含んでもよい。いくつかの実施形態において補助ボタンインターフェース３１９は、補助装置３１３の表面の異なる領域に配置される２つ以上の補助ボタン３２３を含んでいる。
【０１９１】
一実施形態において補助ボタンインターフェース３１９は、使用者により与えられる音声の指示を感知するように機能するマイクロフォンを含んでいる。他の実施形態において補助ボタンインターフェース３１９は、使用者が操作の指示を指示できる環境を含んでいる。例えば補助ボタン３２３が領域により定められてもよく、使用者が第１の方向に手を振って（例えば、“次のステップに進む”などの）第１の操作を指示してもよく、かつ、第２の方向に手を振って（例えば、“前のステップに戻る”などの）第２の操作を指示してもよい。また他の動作が、特定の方向に手を振ることに加えて使用され、またはその代わりに使用されて、これらの指示または他の指示を指示してもよい。
【０１９２】
補助ボタンインターフェース３１９が操作回路３２７を備えてもよく、または操作回路３２７と動作可能に関連してもよく、このことにより、当該操作回路３２７が指示された操作を受信することを可能にしている。例えば操作回路３２７が補助ボタンインターフェース３１９と動作可能に連結され、当該補助ボタンインターフェース３１９または１つ以上の補助ボタン３２３自体から指示された操作を電気的に受信してもよい。通信回路３３１は、操作回路３２７からのこの指示された操作を（例えば、電気信号の形態で）受信し、この信号を電子調理本２３０に送信するように構成されてもよい。一実施形態において通信回路３３１は、熱源システム２４６または調理装置システム２８２により送信された周囲のデータを受信するようにさらに構成されてもよい。
【０１９３】
図３に図示されるように、操作回路３２７は補助ボタンインターフェース３１９と動作可能に連結され、当該補助ボタンインターフェース３１９から指示された操作を電気的に受信してもよい。いくつかの実施形態において操作回路３２７は、補助ボタンインターフェース３１９での使用者の指示を変換するように機能している。様々な実施形態において操作回路３２７は、使用者の指示を電気信号に変換するように構成された電気スイッチまたは変換器を備えている。例えば操作回路３２７は、オーディオセンサ、運動センサ（加速度計、マイクロ波、赤外線、電気、反射、振動、超音波など）、熱センサ、振動センサ、圧力センサ、光センサまたは静電容量センサを備えてもよい。当業者であれば、補助ボタンインターフェース３１９から指示された操作を感知、検知、または変換する他の方法を使用できることが理解されよう。
【０１９４】
通信回路３３１は、操作回路３２７から電気信を受信し、この信号を電子調理本２３０に送信するように構成される。通信回路３３１は、信号を送信するように構成された送信器を備えてもよい。この信号は、電子調理本２３０により受信可能である。したがって、使用者による補助ボタンインターフェース３１９での操作の指示により、通信回路３３１にこの信号を送信させ、電子調理本２３０により受信されたときに、使用者により指示された操作命令を補助ボタンシステム３００で提供している。
【０１９５】
様々な実施形態において、通信回路３３１は、双方向通信に適用可能な受信器または送受信器を含んでもよい。この双方向通信は１：１接続を備えてもよく、補助ボタンシステム３００が電子調理本２３０と対になってもよい。このような接続は、電子調理本２３０と熱源システム２４６との間の１：１接続に関して上述されたものと同様であってもよい。この実施形態または他の実施形態において、補助ボタンシステム３００の通信回路３３１は、（例えば装置ＩＤなどの）固有識別子を提供する定期的な信号またはアドバタイズメントを提供するように構成されてもよく、当該固有識別子が電子調理本２３０により使用され、補助ボタンシステム３００により送信された信号を識別してもよい。
【０１９６】
通信回路３３１が、電子調理本２３０との無線通信用に構成されてもよい。したがって通信回路３３１は、１つ以上の電磁気的な伝送（例えば、無線伝送、マイクロ波伝送、赤外線伝送、磁気伝送、光伝送、電磁場の生成または操作、またはこれらの任意の組み合わせ）を用いて信号を送信するように構成された無線送信器を備えている。この無線送信器は、例えばインターネット（例えば、ＴＣＰ通信プロトコルの使用）、ＷｉＦｉによるネットワーク、セルラー方式のネットワーク、無線電気通信ネットワーク、ブルートゥース（登録商標）によるネットワーク、ＮＦＣネットワーク、または他の適切なネットワークなどの、１つ以上のネットワークに関してであってもよい。
【０１９７】
いくつかの実施形態において通信回路３３１は、無線通信に加えて、または無線通信の代わりに、有線通信用に構成されてもよい。例えば補助装置３１３は、有線通信を用いて電子調理本２３０に接続されてもよい。
【０１９８】
また通信回路３３１は、通知信号を受信するように構成されてもよく、上述されるように、使用者に指示するための通知信号を含んでもよい。操作回路３２７は、補助ボタンインターフェース３１９に従って１つ以上の通知機能を活性化するように機能してもよい。例えば操作回路３２７は、表示画面上の指示ボタンを使用者に通知するため、または、レシピのステップの実行に関して動作を確認するように使用者に指示するために、１つ以上のライトを活性化してもよい。例えば補助ボタンインターフェース３１９が、補助ボタン３２３に隣接した、または補助ボタン３２３に沿ったＬＥＤまたは他のライトを活性化して、使用者に指示または通知してもよい。
【０１９９】
補助ボタンインターフェース３１９、操作回路３２７および通信回路３３１は、当該補助ボタンインターフェース３１９、操作回路３２７および通信回路３３１に関して本明細書で説明される動作を実行するように機能するハードウェアの構成要素を共有できることが理解されよう。補助ボタンインターフェース３１９、操作回路３２７および通信回路３３１はプロセッサをさらに備えてもよく、当該プロセッサは、このプロセッサにより実行可能な命令を格納するためのメモリを有している。このようなプロセッサおよびメモリは、補助ボタンインターフェース３１９、操作回路３２７および通信回路３３１に関して本明細書で説明される動作を実行するために使用されてもよい。
【０２００】
上で紹介されるように補助ボタンシステム３００は、（電子調理本２３０との接触に関して）使用者がリモートで操作を指示できるように構成された補助装置３１３を含んでもよい。補助装置３１３は、補助ボタンインターフェース３１９を備えてもよく、補助ボタンインターフェース３１９と関連してもよい。補助ボタンインターフェース３１９は、補助装置３１３と関連してもよく、補助装置３１３と一体化されてもよい。いくつかの実施形態において、補助装置３１３または補助ボタンモジュール３１５は、例えば筐体などの本体を有し、表面（例えば、戸棚の扉、蛇口、壁、調理台など）に安定的に設置または接着されるように構成された専用の装置またはスタンドアロンの装置であってもよい。
【０２０１】
いくつかの実施形態において、補助装置３１３は多機能の装置である。いくつかのこのような実施形態において、補助装置３１３または補助ボタンモジュール３１５は、熱源システム２４６または調理装置システム２８２の構成要素であってもよい。他のこのような実施形態において補助ボタンモジュール３１５は、補助装置３１３の装置本体３４３（その一例が図１０に示される）と一体化され、または取り外し可能に取付可能であり、多機能の装置を形成している。補助装置３１３は、例えば、切り離されている表示装置または追加の表示装置を含んでもよい。したがって補助装置３１３は、使用者がリモートで操作を指示できるように構成されてもよく、さらに、切り離されている表示装置または追加の表示装置を表示するように構成されてもよい。他の実施形態において補助装置３１３は、切り離されている表示装置または追加の表示装置と切り離されてもよい。このような実施形態において、切り離されている表示装置または追加の表示装置が使用されなくてもよい。
【０２０２】
補助ボタンモジュール３１５が（例えば調理装置２８６などの）調理装置システム２８２の構成要素に一体化されるまたは取付けられる一実施形態において、補助ボタンモジュール３１５の通信回路３３１が、（例えばスマート調理容器（smart cooking vessel）などの）調理装置２８６の通信回路と共に動作してもよい。このように、指示された操作（例えば信号）が、電子調理本２３０と調理装置システム２８２との間に確立された接続を用いて電子調理本２３０に送信されてもよい。いくつかのこのような実施形態において、この指示された操作の送信では同一の通信機器を使用してもよい。例えば、電子調理本２３０と調理装置システム２８２（例えば調理装置２８６）との間で送信された、または確立された、接続内、フォーマット内、ペアリング内、ネットワーク内、または信号内で、通信回路３３１が電子調理本２３０に信号を送信してもよい。このような一実施形態または異なる実施形態において、補助ボタンモジュール３１５の調理装置システム２８２または通信回路３３１は、電子調理本２３０にルーティングするために、熱源システム２４２の構成要素に信号を伝達してもよい。
【０２０３】
補助ボタンモジュール３１５が熱源システム２４６の構成要素に一体化されるまたは取付けられる一実施形態において、補助ボタンモジュール３１５の通信回路３３１が、熱源システム２４６の通信回路３３１と共に動作してもよく、指示された操作の命令（例えば信号）が、熱源システム２４６と電子調理本２３０との間に確立された接続を用いて、電子調理本２３０に送信されるようにしてもよい。例えば、電子調理本２３０と熱源システム２４６との間で送信された、または確立された、接続内、フォーマット内、ペアリング内、ネットワーク内、または信号内で、通信回路３３１が電子調理本２３０に信号を送信してもよい。このような一実施形態または異なる実施形態において、補助ボタンモジュール３１５の熱源システム２４６または通信回路３３１は、電子調理本２３０にルーティングするために、電子調理システム２８２の構成要素に信号を伝達してもよい。
【０２０４】
電子調理本２３０と通信するために、補助ボタンシステム３００が、電子調理本２３０に使用できる識別子または他の任意のデータをブロードキャストして、近隣の装置を識別してもよい。その後使用者は、選択やそれに続くペアリングのために、このような装置のリストを提示されてもよい。いくつかの実施形態において、利用可能な装置とのペアリングの開始または維持に関するルール（例えば、近接性、同一性、使用など）を、電子調理本２３０が含んでもよい（または、使用者が設定してもよい）。また例えば、電子調理本２３０がブロードキャスト信号の強度を使用して、どれが近隣にあるかを判断してもよい。また電子調理本２３０は、例えばＮＦＣなどの技術を使用して、どの補助ボタンシステム３００が近隣にあるかを判断してもよい。
【０２０５】
図４は、補助ボタンインターフェース３１９に沿って第１の端部３２５と第２の端部３２９の間に設置された１つ以上の補助ボタン３２３を備えている補助ボタンインターフェース３１９の一例を示している。操作を指示するために第１の端部３２５に接触し、または作動させてもよく、さらに、他の操作を指示するために第２の端部３２９に接触し、または作動させてもよい。第１の端部３２５に接触または作動させることが、第２の端部３２９に接触または作動させるときと同一または異なる操作を電子調理本２３０に指示するために使用されてもよい。例えば使用者が、第１の端部３２５に接触または作動させて“次のステップに進む”ことを指示し、または第２の端部３２９に接触または作動させて“前のステップに戻る”ことを指示してもよい。この実施形態または他の実施形態において、使用者が、中央領域３３３に沿った１つ以上の補助ボタン３２３に接触または作動させてもよく、使用者が、第１の端部３２５または第２の端部３２９への接触または作動を利用することにより切替が可能な、他の操作を実行し、または表示における選択可能な追加の操作のリストを提示している。一実施形態において図４に示される補助ボタン３２３は、表示画面における指示ボタンを使用者に通知するように構成されてもよく、または、レシピのステップの実行に関する動作を確認するよう使用者に指示するように構成されてもよい。例えば補助ボタンインターフェース３１９が、補助ボタン３２３に隣接した、または補助ボタン３２３に沿ったＬＥＤまたは他のライトを活性化して、使用者に指示または通知してもよい。
【０２０６】
図５は、電子調理本２３０に操作を指示するために使用者が接触可能な２つの補助ボタン３２３を備えている補助ボタンインターフェース３１９の例を示している。このような実施形態の動作の一例において、使用者は、左の補助ボタン３２３を“前のステップに戻る”ために押してもよく、右の補助ボタン３２３を“次のステップに進む”ために押してもよい。一実施形態において、使用者が左の補助ボタン３２３を押すとき、メニューが追加の操作の指示をリストアップしながら現れてもよく、使用者が、右の補助ボタン３２３を押すことにより当該メニューから選択してもよい。一実施形態において図５に示される補助ボタン３２３は、表示画面における指示ボタンを使用者に通知するように構成されてもよく、または、レシピのステップの実行に関する動作を確認するよう使用者に指示するように構成されてもよい。例えば補助ボタンインターフェース３１９が、補助ボタン３２３に隣接した、または補助ボタン３２３に沿ったＬＥＤまたは他のライトを活性化して、使用者に指示または通知してもよい。
【０２０７】
図６は、タッチパッド３５１を備えている補助ボタンインターフェース３１９の他の例を示している。タッチパッド３５１は、使用者が操作の指示を指示するために接触可能または接近可能な１つ以上の補助ボタン３２３を含んでもよい。タッチパッド３５１は、例えば、使用者の静電容量を感知することにより動作している。他の実施形態においてタッチパッド３５１は、使用者がタッチパッド３５１の表面をタップすることにより生じる使用者の振動を感知するように機能しているタップ用のパッドを備えてもよい。様々な実施形態においてタッチパッド３５１は、点灯した表示、静止画像または補助ボタン３２３として指定された領域を備えてもよい。一実施形態において補助ボタンインターフェース３１９は、使用者がタッチパッド３５１における補助ボタン３２３に接触または接近するときの光の変化を検知するように構成される。他の実施形態において補助ボタンインターフェース３１９は、使用者がタッチパッド３５１における補助ボタン３２３に接触または接近するときの温度の変化を検知するように構成される。一実施形態において図６に示される補助ボタン３２３は、表示画面における指示ボタンを使用者に通知するように構成されてもよく、または、レシピのステップの実行に関する動作を確認するよう使用者に指示するように構成されてもよい。例えば補助ボタンインターフェース３１９が、補助ボタン３２３に隣接した、または補助ボタン３２３に沿ったＬＥＤまたは他のライトを活性化して、使用者に指示または通知してもよい。
【０２０８】
様々な実施形態において、補助ボタンインターフェース３１９の１つ以上の補助ボタン３２３は、ソフトウェアのボタン３２３を備えてもよい。例えば使用者は、１つ以上の補助ボタン３２３を指定（例えば、プログラム、選択、または定義）して、所望の操作を指示してもよい。例えば、電子調理本２３０または補助ボタンシステム３００が使用者によりアクセス可能なアプリケーションで構成され、補助ボタン３２３により示される操作を指定してもよい。一実施形態において、（タッチパッド３５１と同様であってもよい）タッチパッドは複数の使用者変更可能ボタンを含んでおり、当該複数の使用者変更可能ボタンにより、使用者が補助ボタン３２３を指定することを可能にして、利用可能な操作のリストから選択された操作を指示している。さらなる実施形態において、使用者が、タッチパッドにおける補助ボタン３２３の形状、大きさ、および／または位置を変更してもよい。
【０２０９】
上で紹介されるように、補助ボタンシステム３００は、通知装置３５７を用いて使用者に通知を提供するように構成されてもよい。この通知は、操作を指示するように使用者に指示するために使用されてもよく、電子調理本のレシピの実行に関する動作を確定するために使用されてもよい。様々な実施形態において、電子調理本２３０や表示が、例えば“次へ”ボタンなどの指示ボタンを表示しているとき、またはレシピのステップに関する操作の指示を要求しているときに、通知を提供してもよい。例えば表示装置が、レシピのステップまたは当該ステップの一部の完了の確認を要求している指示ボタンを表示するとき、使用者が、行動を促すための通知を提供されてもよい。一例においてレシピの実行中に、操作または確認の指示用の指示ボタンが表示器に表示されるとき、電子調理本２３０は、指示ボタンの存在または利用可能性を、補助ボタンモジュール３１５または補助装置３１３（例えば、熱源システム２４２の構成要素、調理装置システム２８２、切り離されている表示装置または追加の表示装置、例えばスマートＴＶやコンピュータなどの他の補助装置３１３）に伝達（例えば、信号を送信）してもよい。補助ボタンシステム３００は、この信号を受信すると、通知装置３５７を活動させて、指示ボタンの存在または利用可能性を使用者に通知するように構成されてもよい。
【０２１０】
通知装置３５７は、補助ボタンモジュール３１５または補助装置３１３に関連して活動可能なライトを含んでもよい。例えば補助ボタンインターフェース３１９は、電子調理本２３０または表示装置の信号により活性化されるように作動する１つ以上のライトを含んでもよい。通知は、点灯、点滅、強度、色の変化、または目に見える他の光り方を含んでもよい。一実施形態において、通知装置３５７の１つ以上の通知用ライトが、指示された操作を提供するために使用可能な補助ボタン３２３の根拠をなしてもよく、または他の方法で当該補助ボタン３２３を点灯しているようであってもよい。他の実施形態において通知装置３５７は、補助ボタン３２３の画像（または、補助ボタン３２３を表すライト）を生成している補助ボタンインターフェース３１９を含んでもよく、当該補助ボタン３２３は、使用者により接触可能であり、指示された操作を（例えば、点灯したタッチスクリ−ン表示において）提供している。一実施形態において、通知装置３５７の１つ以上の通知用ライトを、補助ボタン３２３の近傍に配置してもよい。通知装置３５７は、他の通知構成要素や通知媒体（例えば、可聴式の通知を提供するためのスピーカー）を含んでもよい。したがって補助ボタンシステム３００は、補助ボタン３２３を用いた電子調理本２３０とのインターフェース接続を利用できることに関して、使用者に遠隔通知を提供するように構成された通知装置３５７を含んでもよい。この通知により、レシピの順序付けを向上でき、さらに、表示を繰り返し見ることによる遅延を避けることができる。一実施例において、（例えば、“次のステップに進む”ための操作の指示を指示した結果として）レシピのステップを進めることが、熱源２５０を活動させるように機能し、または、動力レベルの設定点または温度の設定点の少なくとも１つで調理装置２８６を加熱するように機能している。また一実施形態において、熱源システム２４６または加熱装置システム２８２のセンサ出力が電子料理本２３０により分散されて、レシピの段階に従って熱源２５０の熱出力を調節してもよい。一実施形態において、センサ出力が、レシピの表示を進めるために使用されてもよい。
【０２１１】
図７Ａは、装置本体３３９を有する補助ボタンモジュール３１５を含む、補助ボタンシステム３００の実施形態を概略的に示している。装置本体３３９により、補助ボタンモジュール３１５がスタンドアロンの装置として使用されることを可能にしてもよい。このような例において、補助ボタンモジュール３１５が他の補助装置に取付けられていない（または、他の方法で連結されていない）ときでも、当該補助ボタンモジュール３１５を操作できる。
【０２１２】
図７Ｂは、補助装置３１３と一体化された補助ボタンモジュール３１５を含む、補助ボタンシステム３００の実施形態を概略的に示している。この一体化された補助ボタンモジュール３１５は、（上述されるように）装置本体３３９を有してもよく、または装置本体３３９を有していなくてもよい。一体化された補助ボタンモジュール３１５が装置本体３３９を含まない実施形態において、当該補助ボタンモジュール３１５のそれぞれの構成要素が、補助装置３１３と直接一体化されてもよい。
【０２１３】
図８は、補助装置３１３に取り外し可能に取付けできる補助ボタンモジュール３１５を含む、補助ボタンシステム３００の実施形態を概略的に示している。この補助ボタンモジュール３１５は矢印で示されるように、補助装置３１３の装置本体３４３に取付部位３４７で取り外し可能に取付けできてもよい。いくつかの実施形態において装置本体３４３は、１つ以上の補助ボタンモジュール３１５を受け入れるように構成された２つ以上の取付部位３４７を含んでもよい。取付部位３４７は、補助装置３１３で補助ボタンモジュール３１５を解除可能に保持するための取付具を含んでもよい。１つ以上の補助ボタン３２３が補助ボタンモジュール３１５に配置されてもよく、照明されて、使用者に通知またはプロンプトを提供するようにしている。様々な実施形態において取付部位３４７が、留め金、掛け金、溝、摘み、ねじ山、接着剤、圧縮性の取付具、または補助ボタンモジュール３１５に係合して取外し可能に保持するように構成された他の適切な機能を含んでもよい。
【０２１４】
図示されるように、補助ボタンモジュール３１５は、補助ボタンインターフェース３１９、操作回路３２７、通信回路３３１、および電源３３５を含んでもよい。さらに補助ボタンモジュール３１５は装置本体３３９を含んでもよく、このことにより、補助ボタンモジュール３１５が補助装置３１３に取付けられていないときに、当該補助ボタンモジュール３１５がスタンドアロンの装置として使用されることを可能にしている。このような実施形態において補助ボタンモジュール３１５は、スタンドアロンの装置として動作している間と、補助装置３１３に取付けられる間の両方で、指示された操作命令を電子調理本２３０に送信するように構成されてもよい。
【０２１５】
図９は、補助ボタンモジュール３１５が補助装置３１３の装置本体３４３に動作可能に取付けられるように構成された、さらなる実施形態を概略的に示している。動作可能な取付けは、動作可能な機能を提供する取付けを含んでもよい。例えば、装置本体３４３に取付けられたときの補助ボタンモジュール３１５が、補助ボタンインターフェース３１９、操作回路３２７、通信回路３３１、または電源３３５を形成または完成してもよく、このことにより、使用者から指示された操作を電子調理本２３０に送信することを可能にしている。また、いくつかの実施形態において、この動作可能な取付けが取り外し可能な取付けであってもよい。一実施形態において、補助ボタンモジュール３１５が、補助ボタンインターフェース３１９、操作回路３２７、通信回路３３１、または電源３３５の全てまたは一部を含んでもよい一方で、補助装置３１３が、当該補助ボタンモジュール３１５に含まれない残りの構成要素の全てまたは一部を含んでもよい。例えば、補助ボタンモジュール３１５が補助ボタンインターフェース３１９（または、その一部）を含む一方で、補助装置３１３の補助装置３４３が、操作回路３２７、通信回路３３１、電源３３５および通信装置３５７（図示せず）を含んでいる。しかしながら、これらの構成要素（および、これらの構成要素の一部）が、他の方法で、補助ボタンモジュール３１５と補助装置３１３との間に分配されてもよい。
【０２１６】
動作可能な取付けは、補助ボタンモジュール３１５と補助装置３１３の装置本体３４３との間の電気的接続の形成を含んでもよい。図９に示される例示的な実施形態において、取付部位３４７は、補助ボタンモジュール３１５に配置された１つ以上の電気的接続部３５３（当該電気的接続部３５３はプラグであってもよい）を受け入れるための１つ以上の電気的接続部３５３（当該電気的接続部３５３はコンセントであってもよい）を含んでいる。したがって、補助ボタンモジュール３１５が取付部位３４７で受け入れられるとき、１つ以上の電気的接続が形成されて、補助ボタンモジュール３１５および補助装置３１３の動作可能な組み合わせを提供している。いくつかの実施形態において、電気的接続部３５３によって提供される電気的連結により、（補助装置３１３と補助ボタンモジュール３１５との間の）データの転送、追加の記憶容量への接続、または追加の操作の提供を可能にしている。
【０２１７】
補助ボタンモジュール３１５の取外し可能な取付け（例えば、補助ボタンシステム３００の１つ以上の構成要素）は、補助ボタンシステム３００の可搬性を改善できる。例えばいくつかの実施形態において、レシピの実行前または実行中に、ある位置または補助装置３１３から他の位置または補助装置３１３に補助ボタンモジュール３１５を移動させることができる。このことにより、使用者が、調理の経験全体を通して、彼らの近傍に（または、彼らと共に）、補助ボタンモジュール３００を有することを可能にしている。また取外し可能な取付けは、摩耗または損傷した構成要素の交換の容易さを改善できる。いくつかの実施形態において、補助ボタンシステム３００は、使用者が補助ボタンモジュール３１５を交換できるように構成された補助ボタンモジュール３１５または装置本体３３９，３４３を備えている。したがって、このような交換可能な補助ボタンモジュール３１５により、第２の補助ボタンモジュール３１５のために第１の補助ボタンモジュール３１５を交換することをサポートし、例えば、使用者により指示可能な異なる操作または追加の操作を有する、望ましい補助ボタンインターフェース３１９を提供することができる。
【０２１８】
いくつかの実施形態において、補助ボタンシステム３００の構成要素が洗浄可能であってもよい。一実施形態において、装置本体３３９，３４３、補助ボタン３２３、または（取り外し可能に取付けられた、または一体化された）補助ボタンシステム３００の他の任意の構成要素が洗浄可能であってもよい。洗浄可能であることでは、従来の食器洗浄器で洗浄可能な機械や、（補助ボタン３２３、補助ボタンインターフェース３１９、装置本体３３９，３４３または他の構成要素を水中に浸すことを含む）洗浄可能な流し台に言及してもよい。また洗浄可能であることでは洗浄可能なスプレーに言及してもよく、当該洗浄可能なスプレーは、補助ボタンモジュール３１５、補助装置３１３または補助ボタン３２３の表面を洗浄液でスプレーし、その次に当該表面を拭くことを含んでいる。補助ボタンモジュール３１５の取外し可能な取付けにより、使用者が、構成要素の一方または両方を洗浄するために、装置本体３４３から補助ボタンモジュール３１５を取り外すことを可能にしている。いくつかの構成において、（例えば、電気的な構成要素などの）特定の構成要素が、（例えば、高温や過度の湿気にさらされることが原因で）洗浄のいくつかの形態の間に損傷をうける虞があることが理解されよう。このようないくつかの実施形態において、これらの構成要素の１つ以上が取り外し可能であってよく、使用者が、より傷つきやすい構成要素よりも過酷な環境で他の構成要素を洗浄することを可能にしている。補助ボタンモジュール３１５は、洗浄中の損傷を防ぐために、水分から実質的に遮断されてもよい。一実施形態において、補助ボタン３２３が、洗浄を容易にするために使用者により取り外し可能なカバーを有してもよい。
【０２１９】
様々な実施形態において、補助ボタンモジュール３１５が、指示された機能に特有である回路を含んでもよく、補助ボタンモジュール３１５が取付可能な補助装置３１３に関係なく操作されるとき、あるいは、補助ボタンモジュール３１５がスタンドアロンの装置として動作しているのか、または補助装置３１３の一部として動作しているのかに関係なく操作されるとき、補助装置モジュール３１が同一の信号を生成するようにしている。他の実施形態において、補助ボタンモジュール３１５は、補助装置３１３により指定された信号、または予め選択された指示または所定の指示に従って電子調理本２３０により解釈可能な一般の信号を提供するように構成されてもよい。上で紹介されるように、補助ボタンシステム３００は、信号の動的な指定用に構成されてもよい。したがって、いくつかの実施形態において、使用者は、１つ以上の補助ボタン３２３により指示される操作を（電子調理本２３０を用いて）定めることができ、当該補助ボタン３２３は、特定の回路または一般の回路を含んでいる補助ボタンモジュール３１５に適用可能であってもよい。
【０２２０】
図１０は補助ボタンシステム３００の一実施形態を示しており、ここで、補助装置３１３は熱源システム２４６である。図示されるように、熱源システム２４６は、オーブンおよびバーナーを含む熱源２５０を有しているオーブン／レンジシステムである。熱源システム２４６は、例えばバーベキュー用の鉄板、電子レンジ、料理用焼き網、オーブン、レンジ、または他の任意の熱源システム２４６または熱源システム４６などの、図示された熱源システム２４６または異なる熱源システム２４６であってもよい。さらに、図１０は熱源システム２４６としての補助装置３１３を図示する一方で、その代わりに、補助装置３１３が熱源２５０または熱源５０であってもよい。
【０２２１】
補助ボタン３２３を備えている補助ボタンインターフェース３１９は、操作命令を指示するために便利なアクセスを使用者に提供する場所で、熱源システム２４６の表面に沿って配置されてもよい。例えば補助ボタンインターフェース３１９は、１つ以上の目盛り盤または表示の近傍に、熱源システム２４６の前面に沿って配置されてもよい。他の例として、補助ボタンインターフェース３１９は、熱源システム２４６の上面に沿って配置されてもよい。上述されるように、補助ボタンシステム３００が熱源システム２４６と一体化されてもよく、または、熱源システム２４６に取り外し可能に取付けられてもよい。
【０２２２】
いくつかの実施形態において、熱源システム２４６／補助ボタンモジュール３１５は、指示された操作命令を電子調理本２３０に無線で送信するように構成されている。このような実施形態において、熱源システム２４６が電子調理本２３０と切り離していてもよい。追加の実施形態において、熱源システム２４６／補助ボタンモジュール３１５は、当該電子調理本２３０と離れていない電子調理本２３０に指示された操作命令を無線で送信するように構成されている。
【０２２３】
いくつかの実施形態において、電子調理本２３０および熱源システム２４６が、有線接続を用いて電気的に連結されるように構成されている。例えば、図示された熱源システム２４６は、当該熱源システム２４６に組み込まれた、および／または配線された、表示器３５５を含んでもよい。この表示器３５５は、熱源システム２４６で使用者に電子調理本２３０を表示してもよい。このような例において、電子調理本２３０が、熱源システム２４６のプロセッサにインストールされ（かつ、当該プロセッサにより実行され）てもよい。他の例において、電子調理本２３０が、熱源システム２４６における表示器３５５に当該電子調理本２３０の表示を送信する別の装置にインストールされ（かつ、当該別の装置により実行され）てもよい。いくつかの例において有線接続は、通信回路３３１が当該有線接続で電子調理本２３０に指示された操作（例えば信号）を送信できるように、補助ボタンモジュール３１５にさらに電気的に接続してもよい。
【０２２４】
補助ボタンインターフェース３１９、操作回路３２７、通信回路３３１、および電源３３５は、熱源システム２４６のインターフェース、操作回路、通信回路、および電源と共有されてもよく、または切り離していてもよい。一実施形態において、補助ボタンシステム３００の通信回路３３１が熱源システム２４６の通信回路と共に動作してもよく、熱源システム２４６と電子調理本２３０の間で確立された接続を用いて、指示された操作命令（例えば、信号）を電子調理本２３０に送信できるようにしている。
【０２２５】
図１１は補助ボタンシステム３００の一実施形態を示しており、ここで、補助装置３１３は調理用具である。図示されるように、補助装置３１３はスプーンである。
しかしながら補助装置３１３が、フォーク、ナイフ、トング、フライ返し、測定プローブなどの他の調理器具であってもよい。１つ以上の補助ボタン３２３を備えている補助ボタンインターフェース３１９は、調理用具の取手部に沿って配置されてもよく、または、使用者が操作を便利に指示することを可能にする任意の他の場所に配置されてもよい。一度指示されると、この操作が電子的調理本２３０に無線送信されてもよい。
【０２２６】
上述されるように、補助ボタンシステム３００が調理用具に一体化されてもよく、または調理用具に取り外し可能に（または操作的に）取付けることができてもよい。補助ボタンモジュール３１５は、通知を提供するため、または使用者に指示するために通電可能である通知装置３５７をさらに含んでもよく、当該通知の提供または使用者への指示は、上述されるように点滅、色の変化、光度の変化、または他の特徴を含んでもよい。他の実施形態において、補助ボタンモジュール３１５は通知装置３５７を含んでいない。いくつかのこのような実施形態において、通知装置３５７は、調理器具の装置本体３４３または調理システムの他の構成要素に沿って設けられてもよい。一実施形態において、調理システム２１０が通知装置３５７を含んでいない。
【０２２７】
図１２は補助ボタンシステム３００の一実施形態を示しており、ここで、補助装置３１３は調理装置２８６である。調理装置２８６は、例えば、調理装置システム２８２内で動作するように構成されたスマート調理容器であってもよい。いずれにしても、調理装置２８６が調理装置システム２８２の構成要素であってもなくてもよく、当該調理装置システム２８２が、電子調理本２３０により実行されるレシピと共に使用されている。さらに調理装置２８６は、例えば、深鍋、平鍋、容器、トレイ、鉄板の圧板、火格子、オーブン、加圧調理器、炊飯器、長時間調理用の鍋などの、食料品を調理している間に当該食料品を支持、保持または包囲できる任意の装置であってもよい。図示されるように、この調理装置２８６は深鍋である。
【０２２８】
図示されるように、調理装置２８６は、補助ボタンインターフェース３１９を有している補助ボタンシステム３００を含んでいる。補助ボタン３２３を備えている補助ボタンインターフェース３１９は、使用者が操作命令を便利に指示することを可能にする位置で、調理装置２８６の取手部に沿って配置されてよい。図示された実施形態では、補助装置３１３の表面（例えば、取手部）の異なる領域に位置している２つ以上の補助ボタン３２３を含む補助ボタンインターフェース３１９の一例を提供している。しかしながら他の実施形態において、補助ボタンインターフェース３１９は、取手部の同一領域に位置している１つ以上の補助ボタン３２３を備えている。上述されるように、補助ボタンシステム３００が調理装置２８６と一体化されてもよく、または、調理装置２８６に取り外し可能に（または操作的に）取付けることができてもよい。
【０２２９】
いくつかの実施形態において、調理装置２８６は、指示された操作命令を電子調理本２３０に無線送信するように構成される。調理装置２８６がスマート調理容器である実施形態では、補助ボタンインターフェース３１９、操作回路３２７、通信回路３３１、および電源３３５は、電子調理システム２８６のインターフェース、操作回路、通信回路、および電源と共有されてもよく、または切り離していてもよい。一実施形態において、補助ボタンシステム３００の通信回路３３１は、電子調理本２３０と調理装置２８６との間、または電子調理本２３０と調理装置システム２８２との間で確立された接続を用いて、指示された操作（例えば、信号）を電子調理本２３０に送信できるように、調理装置２８６の通信回路と共に動作してもよい。例えば通信回路３３１は、電子調理本２３０と調理装置２８６（または調理装置システム２８２）との間で送信または確立された接続内、フォーマット内、ペアリング内、ネットワーク内、または信号内で信号を電子調理本２３０に送信してもよい。このような一実施形態または異なる実施形態において、補助ボタンシステム３００の調理装置２８６（または調理装置システム２８２）または通信回路３３１は、電子調理本２３０にルーティングするために、熱源システム２４２の構成要素に信号を伝達してもよい。
【０２３０】
補助ボタンモジュール３１５は、上述されるように、通知を提供するため、または使用者に指示するために通電可能である通知装置３５７をさらに含んでもよく、当該通知の提供または使用者への指示は、上述されるように点滅、色の変化、光度の変化、または他の特徴を含んでもよい。他の実施形態において、補助ボタンモジュール３１５は通知装置３５７を含んでいない。いくつかのこのような実施形態において、通知装置３５７は、調理装置２８６の装置本体３４３または調理システムの他の構成要素に沿って設けられてもよい。一実施形態において、調理システム２１０が通知装置３５７を含んでいない。
【０２３１】
図１３は補助ボタンシステム３００の一実施形態を示しており、ここで補助装置３１３は、電磁誘導式のバーナー（例えば、電磁誘導式のバーナー熱源２５０を有している調理台）を含む熱源システム２４６である。熱源システム２４６は、動作中に、電子調理本２３０により実行されるレシピと共に使用されている電磁誘導式のバーナーであってもよく、そうでなくてもよい。図示されるように電磁誘導式のバーナーは、補助ボタンインターフェース３１９を有する補助ボタンシステム３００を含んでいる。
【０２３２】
補助ボタンインターフェース３１９は、使用者が操作命令を便利に指示することを可能にする位置で、装置本体３４３の表面に沿って配置された１つ以上の補助ボタン３２３を備えている。図示されるように、補助ボタンインターフェース３１９は、電磁誘導式のバーナーの周囲に沿って配置された２つの補助ボタン３２３を含んでいる。 他の実施形態において、追加の補助ボタン３２３、またはより少ない数の補助ボタン３２３を使用してもよい。
【０２３３】
上述されるように、補助ボタンシステム３００が電磁誘導式のバーナーと一体化されてもよく、または電磁誘導式のバーナーに取り外し可能に（または操作的に）取付けできてもよい。いくつかの実施形態において、熱源システム２４６（例えば、電磁誘導式のバーナー）は、指示された操作命令を電子調理本２３０に無線送信するように構成される。
いくつかの実施形態において、電子調理本２３０および電磁誘導式のバーナーは、有線接続を用いて電気的に結合するように構成されている。例えば電磁誘導式のバーナーは、電子調理本２３０と有線接続で電気的に結合する取付具を含んでもよい。通信回路３３１が当該有線接続で電子調理本２３０に指示された操作（例えば信号）を送信できるように、この有線接続により補助ボタンモジュール３１５にさらに電気的に接続してもよい。
【０２３４】
補助ボタンインターフェース３１９、操作回路３２７、通信回路３３１、および電源３３５は、電磁誘導式のバーナーのインターフェース、操作回路、通信回路、および電源と共有されてもよく、または切り離していてもよい。一実施形態において、補助ボタンシステム３００の通信回路３３１が電磁誘導式のバーナーの通信回路と共に動作してもよく、電磁誘導式のバーナーと電子調理本２３０の間で確立された接続を用いて、指示された操作命令（例えば、信号）を電子調理本２３０に送信できるようにしている。例えば通信回路３３１は、電子調理本２３０と電磁誘導式のバーナーとの間で送信または確立された接続内、フォーマット内、ペアリング内、ネットワーク内、または信号内で信号を電子調理本２３０に送信してもよい。
【０２３５】
補助ボタンモジュール３１５は、上述されるように、通知を提供するため、または使用者に指示するために通電可能である通知装置３５７をさらに含んでもよく、当該通知の提供または使用者への指示は、上述されるように点滅、色の変化、光度の変化、または他の特徴を含んでもよい。通知装置３５７は、補助ボタン３２３を照明するために下に位置している、または他の方法で配置されたＬＥＤのライトを備えてもよい。照明のときに、このＬＥＤのライトが点滅して、例えば使用者に通知してもよい。他の実施形態において、補助ボタンモジュール３１５は通知装置３５７を含んでいない。いくつかのこのような実施形態において、通知装置３５７が電磁誘導式のバーナーの装置本体３４３に沿って設けられてもよい。一実施形態において、補助ボタンモジュール３１５は通知装置３５７を含んでいない。
【０２３６】
図１４は補助ボタンシステム３００の実施形態を示し、ここで補助装置３１３は調理器具である。補助装置３１３は、例えば電子レンジ、ミキサー、泡立て器、はかり、または他の任意の調理器具などの任意の調理器具であってもよい。図示されるように、この補助装置３１３は、はかりである。このはかりは、補助ボタンインターフェース３１９を有している補助ボタンシステム３００を含んでいる。
【０２３７】
補助ボタンインターフェース３１９は、使用者が操作命令を便利に指示することを可能にする位置で、装置本体３４３の表面に沿って配置された補助ボタン３２３を備えてもよい。上述されるように、補助ボタンシステム３００がこの調理器具と一体化されてもよく、または、この調理器具に取り外し可能に（または操作的に）取付けることができてもよい。
【０２３８】
いくつかの実施形態において、調理器具は、指示された操作命令を無線で電子調理本２３０に送信するように構成されている。いくつかの実施形態において、電子調理本２３０および調理器具は、有線接続を用いて電気的に連結するように構成されている。例えば、この調理器具は、有線接続で電子調理本２３０と電気的に連結するための取付具を含んでもよい。通信回路３３１が有線接続で電子調理本２３０に指示された操作（例えば信号）を送信できるように、この有線接続により補助ボタンモジュール３１５にさらに電気的に接続してもよい。
【０２３９】
補助ボタンインターフェース３１９、操作回路３２７、通信回路３３１、および電源３３５は、調理器具のインターフェース、操作回路、通信回路、および電源と共有されてもよく、または切り離していてもよい。一実施形態において、補助ボタンシステム３００の通信回路３３１が調理器具の通信回路と共に動作してもよく、当該調理器具と電子調理本２３０の間で確立された接続を用いて、指示された操作命令（例えば、信号）を電子調理本２３０に送信できるようにしている。例えば、電子調理本２３０と調理器具との間で送信された、または確立された、接続内、フォーマット内、ペアリング内、ネットワーク内、または信号内で、通信回路３３１が電子調理本２３０に信号を送信してもよい。このような一実施形態または異なる実施形態において、補助ボタンシステム３００の調理器具または通信回路３３１は、電子調理本２３０にルーティングするために、熱源システム２４２／調理装置システム２８２の構成要素に信号を伝達してもよい。
【０２４０】
補助ボタンモジュール３１５は、通知を提供するため、または使用者に指示するために通電可能である通知装置３５７をさらに含んでもよく、当該通知の提供または使用者への指示は、上述されるように点滅、色の変化、光度の変化、または他の特徴を含んでもよい。通知装置３５７は、補助ボタン３２３を照明するために下に位置している、または他の方法で配置されたＬＥＤのライトを備えてもよい。照明のときに、このＬＥＤのライトが点滅して、例えば使用者に通知してもよい。他の実施形態において、補助ボタンモジュール３１５は通知装置３５７を含んでいない。いくつかのこのような実施形態において、通知装置３５７が調理器具の装置本体３４３に沿って設けられてもよい。一実施形態において、調理システム２１０は通知装置３５７を含んでいない。
【０２４１】
図１５は補助ボタンシステム３００の一実施形態を示しており、ここで補助装置３１３は、調理容器である。図示されるように、この調理容器は長時間調理用の鍋である。しかしながら、この調理容器が、例えば炊飯器、ワッフル製造機、またはイタリア風サンドイッチ製造機（Panini press）などの、他のタイプの調理容器であってもよい。いくつかの例において調理容器が、調理装置システム２８２内で動作するように構成されたスマート調理容器（smart cooking vessel）であってもよい。いずれにしても、この調理容器が、動作中に、調理装置システム２８２の構成要素であってもなくてもよく、当該調理装置システム２８２が、電子調理本２３０により実行されるレシピと共に使用されている。図示されるように、この調理容器は、補助ボタンインターフェース３１９を有している補助ボタンシステム３００を含んでいる。
【０２４２】
補助ボタンインターフェース３１９は、使用者が操作命令を便利に指示することを可能にする位置で、装置本体３４３の表面に沿って配置された１つ以上の補助ボタン３２３を備えている。上述されるように、補助ボタンシステム３００がこの調理容器と一体化されてもよく、または、この調理容器に取り外し可能に（または操作的に）取付けることができてもよい。
【０２４３】
いくつかの実施形態において、調理容器は、指示された操作命令を無線で電子調理本２３０に送信するように構成されている。いくつかの実施形態において、電子調理本２３０および調理容器は、有線接続を用いて電気的に連結するように構成されている。例えば、この調理器具は、有線接続で電子調理本２３０と電気的に連結するための取付具を含んでもよい。通信回路３３１が有線接続で電子調理本２３０に指示された操作（例えば信号）を送信できるように、この有線接続により補助ボタンモジュール３１５にさらに電気的に接続してもよい。
【０２４４】
補助ボタンインターフェース３１９、操作回路３２７、通信回路３３１、および電源３３５は、調理容器のインターフェース、操作回路、通信回路、および電源と共有されてもよく、または切り離していてもよい。一実施形態において、補助ボタンシステム３００の通信回路３３１が調理容器の通信回路と共に動作してもよく、当該調理容器と電子調理本２３０の間で確立された接続を用いて、指示された操作命令（例えば、信号）を電子調理本２３０に送信できるようにしている。例えば、電子調理本２３０と調理容器との間で送信された、または確立された、接続内、フォーマット内、ペアリング内、ネットワーク内、または信号内で、通信回路３３１が電子調理本２３０に信号を送信してもよい。このような一実施形態または異なる実施形態において、補助ボタンシステム３００の調理容器または通信回路３３１は、電子調理本２３０にルーティングするために、熱源システム２４２／調理装置システム２８２の構成要素に信号を伝達してもよい。
【０２４５】
補助ボタンモジュール３１５は、通知を提供するため、または使用者に指示するために通電可能である通知装置３５７をさらに含んでもよく、当該通知の提供または使用者への指示は、上述されるように点滅、色の変化、光度の変化、または他の特徴を含んでもよい。通知装置３５７は、補助ボタン３２３を照明するために下に位置している、または他の方法で配置されたＬＥＤのライトを備えてもよい。照明のときに、このＬＥＤのライトが点滅して、例えば使用者に通知してもよい。他の実施形態において、補助ボタンモジュール３１５は通知装置３５７を含んでいない。いくつかのこのような実施形態において、通知装置３５７が調理容器の装置本体３４３に沿って設けられてもよい。一実施形態において、調理システム２１０は通知装置３５７を含んでいない。
【０２４６】
図１６は補助ボタンシステム３００の実施形態を示し、ここで補助装置３１３は機器である。図示されるように、この機器は冷蔵庫である。しかしながら、この機器は、例えば食器洗浄器、ワインクーラー、またはベントフードなどの、任意の他のタイプの器具であってもよい。図示されるように、調理容器は、補助ボタンインターフェース３１９を有している補助ボタンシステム３００を含んでいる。
【０２４７】
補助ボタンインターフェース３１９は、使用者が操作命令を便利に指示することを可能にする位置で、装置本体３４３の表面に沿って配置された１つ以上の補助ボタン３２３を備えている。上述されるように、補助ボタンシステム３００がこの機器と一体化されてもよく、または、この機器に取り外し可能に（または操作的に）取付けることができてもよい。
【０２４８】
いくつかの実施形態において、この機器は、指示された操作命令を電子調理本２３０に無線で送信するように構成されている。いくつかの実施形態において、電子調理本２３０およびこの機器は、有線接続を用いて電気的に連結するように構成されている。例えば、この機器は、有線接続で電子調理本２３０と電気的に連結するための取付具を含んでもよい。通信回路３３１が有線接続で電子調理本２３０に指示された操作（例えば信号）を送信できるように、この有線接続により補助ボタンモジュール３１５にさらに電気的に接続してもよい。
【０２４９】
補助ボタンインターフェース３１９、操作回路３２７、通信回路３３１、および電源３３５は、機器のインターフェース、操作回路、通信回路、および電源と共有されてもよく、または切り離していてもよい。一実施形態において、補助ボタンシステム３００の通信回路３３１がこの機器の通信回路と共に動作してもよく、この機器と電子調理本２３０の間で確立された接続を用いて、指示された操作命令（例えば、信号）を電子調理本２３０に送信できるようにしている。例えば、電子調理本２３０とこの機器との間で送信された、または確立された、接続内、フォーマット内、ペアリング内、ネットワーク内、または信号内で、通信回路３３１が電子調理本２３０に信号を送信してもよい。このような一実施形態または異なる実施形態において、補助ボタンシステム３００の機器または通信回路３３１は、電子調理本２３０にルーティングするために、熱源システム２４２／調理装置システム２８２の構成要素に信号を伝達してもよい。
【０２５０】
補助ボタンモジュール３１５は、通知を提供するため、または使用者に指示するために通電可能である通知装置３５７をさらに含んでもよく、当該通知の提供または使用者への指示は、上述されるように点滅、色の変化、光度の変化、または他の特徴を含んでもよい。通知装置３５７は、補助ボタン３２３を照明するために下に位置している、または他の方法で配置されたＬＥＤのライトを備えてもよい。照明のときに、このＬＥＤのライトが点滅して、例えば使用者に通知してもよい。他の実施形態において、補助ボタンモジュール３１５は通知装置３５７を含んでいない。いくつかのこのような実施形態において、通知装置３５７が機器の装置本体３４３に沿って設けられてもよい。一実施形態において、調理システム２１０は通知装置３５７を含んでいない。
【０２５１】
同様に図示されるように、この機器は、当該機器に組み込まれた、および／または配線された、表示器３５５を含んでもよい。この表示器３５５は、この機器で使用者に電子調理本２３０を表示してもよい。このような例において、電子調理本２３０が、この機器のプロセッサにインストールされ（かつ、当該プロセッサにより実行され）てもよい。他の例において、電子調理本２３０が、この機器における表示器３５５に当該電子調理本２３０の表示を送信する別の装置にインストールされ（かつ、当該別の装置により実行され）てもよい。
【０２５２】
図１７は補助ボタンシステム３００の一実施形態を示しており、ここで、補助装置３１３は支持装置である。図示されるように、この支持装置は、（例えば、電子調理本２３０を実行しているコンピュータ装置２１４用のスタンドなどの）電子調理本２１０を支持可能なスタンドである。しかしながら、この支持装置は、例えば、カバー、充電ユニット、筐体、または他の任意の支持装置などの、他の任意のタイプの支持装置であってもよい。さらに、この支持装置は電子調理本２３０を支持するものとして図示される一方で、当該支持装置は（例えば追加の表示ユニットなどの）任意の他の装置を支持してもよい。図示された実施形態において、このスタンドは、損傷を防止し、かつ、洗浄を補助するために、表示器の表面上に設置可能なカバーを含んでいる。このカバーは取り外し可能であってもよく、または、電子調理本２３０あるいは他のコンピュータ装置２１４を受け入れるための大きさの溝を定めてもよい。
【０２５３】
図示されるように、この支持装置は、補助ボタンインターフェース３１９を有している補助ボタンシステム３００を含んでいる。補助ボタンインターフェース３１９は、使用者が操作命令を便利に指示することを可能にする位置で、装置本体３４３の表面に沿って配置された１つ以上の補助ボタン３２３を備えている。上述されるように、補助ボタンシステム３００がこの支持装置と一体化されてもよく、または、この支持装置に取り外し可能に（または操作的に）取付けることができてもよい。
【０２５４】
いくつかの実施形態において、この支持装置は、指示された操作命令を電子調理本２３０に無線で送信するように構成されている。いくつかの実施形態において、電子調理本２３０およびこの支持装置は、有線接続を用いて電気的に連結するように構成されている。例えば、この支持装置は、有線接続で電子調理本２３０と電気的に連結するための取付具を含んでもよい。このような例において、この支持装置は、電子調理本２３０を保持する一方で、電気的な連結を提供することもできる。通信回路３３１が有線接続で電子調理本２３０に指示された操作（例えば信号）を送信できるように、この有線接続により補助ボタンモジュール３１５にさらに電気的に接続してもよい。
【０２５５】
補助ボタンモジュール３１５は、通知を提供するため、または使用者に指示するために通電可能である通知装置３５７をさらに含んでもよく、当該通知の提供または使用者への指示は、上述されるように点滅、色の変化、光度の変化、または他の特徴を含んでもよい。通知装置３５７は、補助ボタン３２３を照明するために下に位置している、または他の方法で配置されたＬＥＤのライトを備えてもよい。照明のときに、このＬＥＤのライトが点滅して、例えば使用者に通知してもよい。他の実施形態において、補助ボタンモジュール３１５は通知装置３５７を含んでいない。いくつかのこのような実施形態において、通知装置３５７がこの支持装置の装置本体３４３に沿って設けられてもよい。一実施形態において、調理システム２１０は通知装置３５７を含んでいない。
【０２５６】
図１８は補助ボタンシステム３００の一実施形態を示しており、ここで、補助装置３１３は支持装置の別の例である。図示されるように、この支持装置は、（例えば、電子調理本２３０を実行しているコンピュータ装置２１４用のケースなどの）電子調理本２１０を支持可能なケース（または筐体）である。しかしながら、この支持装置は、例えば、カバーや充電ユニットなどの、他の任意のタイプの支持装置であってもよい。さらに、この支持装置は電子調理本２３０を支持するものとして図示される一方で、当該支持装置は（例えば、電子調理本２３０またはレシピの実行を行なう役割を有していなくてもよい追加の表示ユニット、別の装置ユニット、または任意の他の装置などの）任意の他の装置を支持してもよい。
【０２５７】
図示されるように、この支持装置は、補助ボタンインターフェース３１９を有している補助ボタンシステム３００を含んでいる。補助ボタンインターフェース３１９は、使用者が操作命令を便利に指示することを可能にする位置で、装置本体３４３の表面に沿って配置された１つ以上の補助ボタン３２３を備えている。上述されるように、補助ボタンシステム３００がこの支持装置と一体化されてもよく、または、この支持装置に取り外し可能に（または操作的に）取付けることができてもよい。
【０２５８】
いくつかの実施形態において、この支持装置は、指示された操作命令を電子調理本２３０に無線で送信するように構成されている。いくつかの実施形態において、電子調理本２３０およびこの支持装置は、有線接続を用いて電気的に連結するように構成されている。例えば、この支持装置は、有線接続で電子調理本２３０と電気的に連結するための取付具を含んでもよい。このような例において、この支持装置は、電子調理本２３０を保持する一方で、電気的な連結を提供することもできる。通信回路３３１が有線接続で電子調理本２３０に指示された操作（例えば信号）を送信できるように、この有線接続により補助ボタンモジュール３１５にさらに電気的に接続してもよい。
【０２５９】
補助ボタンモジュール３１５は、通知を提供するため、または使用者に指示するために通電可能である通知装置３５７をさらに含んでもよく、当該通知の提供または使用者への指示は、上述されるように点滅、色の変化、光度の変化、または他の特徴を含んでもよい。通知装置３５７は、補助ボタン３２３を照明するために下に位置している、または他の方法で配置されたＬＥＤのライトを備えてもよい。照明のときに、このＬＥＤのライトが点滅して、例えば使用者に通知してもよい。他の実施形態において、補助ボタンモジュール３１５は通知装置３５７を含んでいない。いくつかのこのような実施形態において、通知装置３５７がこの支持装置の装置本体３４３に沿って設けられてもよい。一実施形態において、調理システム２１０は通知装置３５７を含んでいない。
【０２６０】
図１９は補助ボタンシステム３００の一実施形態を示しており、ここで、補助装置３１３は表示装置である。図示されるように、この表示装置はプロジェクターである。しかしながら、この表示装置は、例えばテレビ、コンピュータ、または電話の表示器などの、他の任意のタイプの表示装置であってもよい。
【０２６１】
図示されるように、この表示装置は、補助ボタンインターフェース３１９を有している補助ボタンシステム３００を含んでいる。補助ボタンインターフェース３１９は、使用者が操作命令を便利に指示することを可能にする位置で、装置本体３４３の表面に沿って配置された１つ以上の補助ボタン３２３を備えている。上述されるように、補助ボタンシステム３００がこの表示装置と一体化されてもよく、または、この表示装置に取り外し可能に（または操作的に）取付けることができてもよい。
【０２６２】
いくつかの実施形態において、この表示装置は、指示された操作命令を電子調理本２３０に無線で送信するように構成されている。いくつかの実施形態において、電子調理本２３０およびこの表示装置は、有線接続を用いて電気的に連結するように構成されている。例えば、この表示装置は、有線接続で電子調理本２３０と電気的に連結するための取付具を含んでもよい。通信回路３３１が有線接続で電子調理本２３０に指示された操作（例えば信号）を送信できるように、この有線接続により補助ボタンモジュール３１５にさらに電気的に接続してもよい。
【０２６３】
補助ボタンモジュール３１５は、通知を提供するため、または使用者に指示するために通電可能である通知装置３５７をさらに含んでもよく、当該通知の提供または使用者への指示は、上述されるように点滅、色の変化、光度の変化、または他の特徴を含んでもよい。通知装置３５７は、補助ボタン３２３を照明するために下に位置している、または他の方法で配置されたＬＥＤのライトを備えてもよい。照明のときに、このＬＥＤのライトが点滅して、例えば使用者に通知してもよい。他の実施形態において、補助ボタンモジュール３１５は通知装置３５７を含んでいない。いくつかのこのような実施形態において、通知装置３５７がこの表示装置の装置本体３４３に沿って設けられてもよい。一実施形態において、調理システム２１０は通知装置３５７を含んでいない。
【０２６４】
図２０は補助ボタンシステム３００の一実施形態を示しており、ここで、補助装置３１３はウェアラブルデバイスである。図示されるように、このウェアラブルデバイスは（例えばスマートウォッチなどの）腕時計である。しかしながら、このウェアラブルデバイスは、例えば腕輪、指輪、ネックレス、ベルト、またはエプロンなどの、他の任意のウェアラブルデバイスであってもよい。いくつかの実施形態において、このウェアラブルデバイスは、追加の表示器または個別の表示器を設けるように構成された表示装置を備えてもよい。
【０２６５】
図示されるように、このウェアラブルデバイスは、補助ボタンインターフェース３１９を有している補助ボタンシステム３００を含んでいる。補助ボタンインターフェース３１９は、使用者が操作命令を便利に指示することを可能にする位置で、装置本体３４３の外面に沿って配置された１つ以上の補助ボタン３２３を備えている。上述されるように、補助ボタンシステム３００がこのウェアラブルデバイスと一体化されてもよく、または、このウェアラブルデバイスに取り外し可能に（または操作的に）取付けることができてもよい。
【０２６６】
いくつかの実施形態において、このウェアラブルデバイスは、指示された操作命令を電子調理本２３０に無線で送信するように構成されている。いくつかの実施形態において、電子調理本２３０およびこのウェアラブルデバイスは、有線接続を用いて電気的に連結するように構成されている。例えば、このウェアラブルデバイスは、電子調理本２３０を実行するプロセッサを含んでもよい。
【０２６７】
補助ボタンモジュール３１５は、通知を提供するため、または使用者に指示するために通電可能である通知装置３５７をさらに含んでもよく、当該通知の提供または使用者への指示は、上述されるように点滅、色の変化、光度の変化、または他の特徴を含んでもよい。通知装置３５７は、補助ボタン３２３を照明するために下に位置している、または他の方法で配置されたＬＥＤのライトを備えてもよい。照明のときに、このＬＥＤのライトが点滅して、例えば使用者に通知してもよい。他の実施形態において、補助ボタンモジュール３１５は通知装置３５７を含んでいない。いくつかのこのような実施形態において、通知装置３５７がこのウェアラブルデバイスの装置本体３４３に沿って設けられてもよい。一実施形態において、調理システム２１０は通知装置３５７を含んでいない。
【０２６８】
図２１は補助ボタンシステム３００の一実施形態を示しており、ここで、補助ボタンモジュール３１５はスタンドアロンの装置として使用するように構成されている。スタンドアロンの装置であるので、補助ボタンモジュール３１５は、使用者が操作の指示を電子調理本２３０に提供するために補助装置３１３に取り付けられる必要はない。その代わりに、補助ボタンモジュール３１５が運搬可能であってもよく、レシピの実行中にずっと、この補助ボタンモジュール３１５を、使用者により持ち運ぶ（または、複数の場所に移動する）ことができるようにしている。さらに使用者は、使用中に補助ボタンモジュール３１５を（例えば、調理台の上や、補助装置３１３の上または中などの）所望の面に配置してもよく、あるいは、使用中に補助ボタンモジュール３１５が使用者により保持されてもよい。
【０２６９】
図示されるように、補助ボタンモジュール３１５は補助ボタンインターフェース３１９を有している。補助ボタンインターフェース３１９は、使用者が操作命令を便利に指示することを可能にする位置で、装置本体３３９の表面に沿って配置された１つ以上の補助ボタン３２３を備えている。上述されるように、補助ボタンモジュール３１５はスタンドアロンの装置として使用するように構成されている。しかしながら、上述もされるように、補助ボタンモジュール３１５が補助装置３１３と一体化されてもよく、または、補助装置３１３に取り外し可能に（または操作的に）取付けることができてもよい。
【０２７０】
いくつかの実施形態において、補助ボタンモジュール３１５は、指示された操作命令を電子調理本２３０に無線で送信するように構成されている。いくつかの実施形態において、電子調理本２３０および補助ボタンモジュール３１５は、有線接続を用いて電気的に連結するように構成されている。例えば、この表示装置は、有線接続で電子調理本２３０と電気的に連結するための取付具を含んでもよい。通信回路３３１が有線接続で電子調理本２３０に指示された操作（例えば信号）を送信できるように、この有線接続により補助ボタンモジュール３１５にさらに電気的に接続してもよい。
【０２７１】
補助ボタンモジュール３１５は、通知を提供するため、または使用者に指示するために通電可能である通知装置３５７をさらに含んでもよく、当該通知の提供または使用者への指示は、上述されるように点滅、色の変化、光度の変化、または他の特徴を含んでもよい。通知装置３５７は、補助ボタン３２３を照明するために下に位置している、または他の方法で配置されたＬＥＤのライトを備えてもよい。照明のときに、このＬＥＤのライトが点滅して、例えば使用者に通知してもよい。他の実施形態において、補助ボタンモジュール３１５は通知装置３５７を含んでいない。いくつかのこのような実施形態において、補助ボタンモジュール３１５が取付けられる補助装置３１３の装置本体３４３に沿って、通知装置３５７が設けられてもよい。一実施形態において、調理システム２１０は通知装置３５７を含んでいない。
【０２７２】
本明細書の範囲を逸脱しない限り、調理システム１０および／または調理システム２１０の変更、追加および／または置き換え、および／または、調理システム１０の構成要素および／または調理システム２１０の構成要素の変更、追加および／または置き換え、および／または、調理システム１０の機能および／または調理システム２１０の機能の変更、追加および／または置き換えが可能である。例えば、発明の名称が「改良された調理装置を用いた自動調理制御」である米国特許出願公開第２０１６／００５１０７８号、当該米国特許出願公開は参照により本明細書に組み込まれる、に記載された（および／またはクレームされた）構成要素、機能および／または能力の中の１つまたは複数（または全て）を、調理システム１０が含んでもよい。
【０２７３】
本明細書で使用される文法的冠詞“one”、“a”、“an”および“the”は、別段の指示が無い限り、“少なくとも１つ”または“１つ以上”を含むように意図されている。したがって本明細書において、これらの冠詞は、１つまたは複数の（すなわち“少なくとも１つの”）当該冠詞の文法的目的語に言及するために使用される。例として、“a component”が１つ以上の構成要素を意味し、その結果として、場合により、１つより多くの構成要素が検討され、記載された実施形態の用途において採用または使用されてもよい。さらに、文脈上の使用で他の意味に解釈すべき場合を除き、単数名詞の使用にはその複数が含まれ、複数名詞の使用にはその単数が含まれる。さらに文法的接続詞“and”および“or”は、ここでは一般に認められた語法に従って使用される。例として、“x and y”は“x”および“y”に言及する。その一方で、“x or y”は“x”、“y”、または“x”および“y”の両方に言及することに対して、“either x or y”は排他的に言及している。
【０２７４】
本開示は、オーブンシステム、装置およびこれらの方法の、様々な実施形態、構成および配置の、様々な要素、機能、態様、および利点を記載している。開示された実施形態のより明確な理解に関する要素、機能および態様のみを説明するために、様々な実施形態およびこれらの構成および配置の特定の説明が簡略化されている一方で、簡潔さ、または明確さを目的として、他の要素、特徴および態様を削除していることを理解すべきである。後に“実施形態（embodiment）”、“構成（configuration）”または“配置（arrangement）”が続くときの、“様々な（various）”、“特定の（certain）”、“いくつかの（some）”、“一（one）”または“或る（an）”へのあらゆる言及は、一般に、この例において記載される特定の要素、機能または態様が、少なくとも１つの実施形態に含まれることを意味している。後に“実施形態（embodiment）”、“構成（configuration）”または“配置（arrangement）”が続くときの、“様々な（in various）”、“特定の（in certain）”、“いくつかの（in some）”、“一（in one）”または“或る（in an）”という言い回しでは、必ずしも同一の実施形態を言及しているとは限らない。さらに、後に“実施形態（embodiment）”、“構成（configuration）”または“配置（arrangement）”が続くときの、“このような一（in one such）”または“この（in this）”という言い回しは、一般的に前述の実施形態を言及または詳述している一方で、当該言い回しにより導入された要素、機能および態様が、前述の実施形態に限定されることを示唆することは意図されていない；むしろ、当該言い回しは読者が、本明細書に開示された様々な要素、特徴および態様を理解することを補助するために提供されており、当業者であれば、導入された実施形態に提示されたこのような要素、特徴および態様が、開示された実施形態に提示された要素、特徴および態様の、他の様々な組み合わせや他の様々な部分的な組み合わせ（sub-combination）と組み合わせて適用できることを認識するだろう、ということを理解すべきである。当業者であれば、本明細書の記載を考慮すると、様々な実施形態や他の要素、機能および態様の様々な組み合わせ、または様々な部分的な組み合わせが、特定の実施または適用において望ましいことがあることを認識するであろう、ということを理解すべきである。しかしながら、このような他の要素、機能および態様は、本明細書の記載を考慮することにより当業者により容易に確認でき、開示された実施形態の完全な理解のために必要ではないため、このような他の要素、機能および態様が提供されない虞がある。例えば、本明細書に記載のオーブンおよびオーブンシステムは、例えば、電気接続、ガス接続、または送気管接続の中の１つ以上のための取付具などの接続も含まれてもよい。このように、本明細書に記載された記載は、開示された実施形態の単なる例示および説明であり、特許請求の範囲によってのみ定められる本発明の範囲を限定するものではないことを理解するべきである。
【図１Ａ】
2019509453.tif 000004
【図１Ｂ】
2019509453.tif 000005
【図２】
2019509453.tif 000006
【図３】
2019509453.tif 000007
【図４】
2019509453.tif 000008
【図５】
2019509453.tif 000009
【図６】
2019509453.tif 000010
【図７Ａ】
2019509453.tif 000011
【図７Ｂ】
2019509453.tif 000012
【図８】
2019509453.tif 000013
【図９】
2019509453.tif 000014
【図１０】
2019509453.tif 000015
【図１１】
2019509453.tif 000016
【図１２】
2019509453.tif 000017
【図１３】
2019509453.tif 000018
【図１４】
2019509453.tif 000019
【図１５】
2019509453.tif 000020
【図１６】
2019509453.tif 000021
【図１７】
2019509453.tif 000022
【図１８】
2019509453.tif 000023
【図１９】
2019509453.tif 000024
【図２０】
2019509453.tif 000025
【図２１】
2019509453.tif 000026
【図２２】
2019509453.tif 000027
【図２３】
2019509453.tif 000028
【図２４】
2019509453.tif 000029
【図２５】
2019509453.tif 000030
【図２６】
2019509453.tif 000031
【図２７】
2019509453.tif 000032
【図２８】
2019509453.tif 000033
【国際調査報告】
2019509453.tif 000034
2019509453.tif 000035